(57)【要約】  本発明は、生物学的アレイ、生物学的マイクロアレイ、及び生物学的試料中の生物学的分子の量及び／又は存在を検出するためのアッセイ及びマイクロアレイを使用する方法に関する。本発明の生物学的アレイは、複数のウェルがそこに配設された固化され、切片化可能な基質と複数のウェル内に配設された一又は複数の生物学的試料とを含み、生物学的アレイは場合によっては内部標準調製物及び／又は配向マーカーを含む。生物学的アレイの切片又はスライスは平坦な基体表面に取り付けられて本発明の細胞マイクロアレイを形成する。本発明の他の細胞マイクロアレイにおいては、基質材料は、基体表面に細胞生物学的材料を残すマイクロアレイから除去可能な温度感受性材料である。【特許請求の範囲】
【請求項１】
アレイレシピエントブロックの製造方法において、
複数のピンを有するアレイヤーを、埋め込みモールドと流動性温度感受性基質に、基質とピンが埋め込みモールド内に含まれるように係合させ、ここで埋め込みモールドは底面を有し；
埋め込みモールド内の基質を凍結させて基質を固化させ；
基質と埋め込みモールドからアレイヤーピンを除去して、固体温度感受性基質内に配設された複数のウェルを形成する、方法。
【請求項２】
アレイヤーが複数のピンが突出する本体を更に有し、該複数のピンの各々が本体に固定された第一端と第一端の反対の自由端を有する、請求項１に記載の方法。
【請求項３】
係合工程が、ピンの各々の自由端がモールドの底面に接触するように埋め込みモールド内にアレイヤーピンを十分に挿入する工程を更に具備する、請求項２に記載の方法。
【請求項４】
複数のピンの各々の自由端が先細になって尖状部を形成している、請求項３に記載の方法。
【請求項５】
複数のピンの各々の自由端が針部を有している、請求項３に記載の方法。
【請求項６】
ピンの各々の自由端がモールドの底面に接触しないように埋め込みモールド内にアレイヤーピンを不十分に挿入する工程を更に具備する、請求項２に記載の方法。
【請求項７】
温度感受性基質が樹脂-ポリビニルアルコール及びポリエチレングリコールを含む、請求項１に記載の方法。
【請求項８】
係合工程が、アレイヤーピンに潤滑物質を被覆することを更に含む、請求項１に記載の方法。
【請求項９】
潤滑物質が、グリセロール、脂肪酸、油、グリース、脂肪、又は石鹸からなる群から選択される、請求項８に記載の方法。
【請求項１０】
凍結工程が、埋め込みモールド、流動性温度感受性基質、及びアレイヤーピンを環境に接触させる工程を含み、環境の温度が温度感受性基質の凍結温度より低い、請求項１に記載の方法。
【請求項１１】
環境の温度が、温度感受性基質の凍結温度より少なくとも３℃、少なくとも５℃又は少なくとも１０℃低い、請求項１０に記載の方法。
【請求項１２】
環境が液状イソペンタンである、請求項１１に記載の方法。
【請求項１３】
イソペンタンが約１６０℃の温度を有している、請求項１２に記載の方法。
【請求項１４】
温度感受性基質の凍結温度が、約−１０℃から約−５０℃、約−２０℃から約−５０℃、約−２０℃から約−３５℃、約−３５℃から約−５０℃、約−１０℃から約−３５℃、又は約−１０℃から約−２０℃の範囲にある、請求項１に記載の方法。
【請求項１５】
温度感受性基質が最適切断温度材料（ＯＣＴ）である、請求項１に記載の方法。
【請求項１６】
複数のウェルが配設された温度感受性材料製の凍結基質と、
複数のウェル内に配設され、ウェルを囲む凍結基質によって保持された一又は複数の生物学的試料を具備し、温度感受性材料の凍結温度が生物学的試料の凍結温度よりも低い、生物学的アレイ。
【請求項１７】
温度感受性材料が樹脂-ポリビニルアルコール及びポリエチレングリコールを含む、請求項１６に記載の生物学的アレイ。
【請求項１８】
温度感受性基質材料がＯＣＴである、請求項１６に記載の生物学的アレイ。
【請求項１９】
５ウェル／ｃｍ２より多くを更に含む、請求項１６に記載の生物学的アレイ。
【請求項２０】
ウェルの一又は複数の断面直径が、約０．４ｍｍから約１．２ｍｍ、約０．４ｍｍから約０．７ｍｍ、又は約０．８ｍｍから約１．２ｍｍの範囲にある、請求項１９に記載の生物学的アレイ。
【請求項２１】
生物学的試料の一又は複数が細胞を含む、請求項１６に記載の生物学的アレイ。
【請求項２２】
細胞が、正常細胞、異常細胞、及び処置細胞からなる群から選択される、請求項２１に記載の生物学的アレイ。
【請求項２３】
生物学的試料の一又は複数が細胞懸濁液を含むか又は組織を含む、請求項２１に記載の生物学的アレイ。
【請求項２４】
組織が、血液、筋肉、神経、脳、乳房、前立腺、心臓、肺、肝臓、膵臓、脾臓、胸腺、食道、胃、腸、腎臓、精巣、卵巣、子宮、毛包、皮膚、骨、膀胱、及び脊髄からなる群から選択される、請求項２３に記載の生物学的アレイ。
【請求項２５】
組織が、正常組織、異常組織、及び癌細胞を含む組織からなる群から選択される、請求項２３に記載の生物学的アレイ。
【請求項２６】
組織が、成体生物及び成体前発達段階の生物からなる群から選択される生物由来のものである、請求項２５に記載の生物学的アレイ。
【請求項２７】
複数のウェル内に配設された一又は複数の内部標準調製物を更に含み、ここで内部標準調製物が、埋め込み材料と混合された標準分子を含み、埋め込み材料が少なくとも一の物理的又は化学的性質について基質材料と異なる、請求項１６に記載の生物学的アレイ。
【請求項２８】
標準分子が、ポリヌクレオチド、ＲＮＡ分子、ＤＮＡ分子、及びポリペプチドからなる群から選択される、請求項２７に記載のアレイ。
【請求項２９】
内部標準調製物が二又はそれ以上の異なった標準分子を更に含む、請求項２７に記載のアレイ。
【請求項３０】
標準分子の一つがポリヌクレオチドであり、標準分子の一つがポリペプチドである、請求項２９に記載のアレイ。
【請求項３１】
内部標準調製物が二又はそれ以上の異なったポリヌクレオチドを含む、請求項２９に記載のアレイ。
【請求項３２】
内部標準調製物が二又はそれ以上の異なったポリペプチドを含む、請求項２９に記載のアレイ。
【請求項３３】
埋め込み材料がアガロースを含んでなる、請求項２７に記載のアレイ。
【請求項３４】
埋め込み材料が、約１％から約３％アガロース、約１．５％から約２．５％アガロース、又は約１．８％から約２．２％アガロース、又は約２％アガロースの濃度でアガロースを含む、請求項３３に記載のアレイ。
【請求項３５】
埋め込み材料が、約０．５％から約１０％のウシ血清アルブミン（ＢＳＡ）、約１％から約７％のＢＳＡ、約１％から約６％のＢＳＡ、又は約１％から約５％のＢＳＡを更に含む、請求項３３に記載のアレイ。
【請求項３６】
内部標準調製物が、約０．５％から約２０％のウシ血清アルブミン（ＢＳＡ）、約１％から約１５％のＢＳＡ、約１％から約１０％のＢＳＡ、又は約１％から約５％のＢＳＡを更に含む、請求項２７に記載のアレイ。
【請求項３７】
二又はそれ以上の内部標準調製物を更に含み、ここで内部標準調製物の少なくとも二が埋め込み材料に混合された異なった濃度の標準分子を含む、請求項２７に記載のアレイ。
【請求項３８】
複数のウェルの一又は複数の中にアレイ配向マーカーを更に含む、請求項２７に記載のアレイ。
【請求項３９】
内部標準調製物が既知量の標準分子を含む、請求項２７に記載のアレイ。
【請求項４０】
複数のウェルの各々に潤滑材料が内張されている、請求項１６に記載のアレイ。
【請求項４１】
潤滑材料が、グリセロール、脂肪酸、油、グリース、脂肪、及び石鹸からなる群から選択される、請求項４０に記載のアレイ。
【請求項４２】
生物学的試料用のアレイを製造する装置において、
本体と該本体から突出する複数のピンを有するアレイヤーであって、各ピンが本体に固定された第一端と第一端の反対の自由端を有するものと、
底面を有する埋め込みモールドと、
埋め込みモールド内に収容された温度感受性基質であって、生物学的試料の凍結温度より低い凍結温度を有する温度感受性基質と、
を具備する、装置。
【請求項４３】
温度感受性基質の凍結温度が、生物学的試料の凍結温度より少なくとも３℃、少なくとも５℃、又は少なくとの１０℃低い、請求項４２に記載の装置。
【請求項４４】
温度感受性基質が樹脂-ポリビニルアルコール及びポリエチレングリコールを含む、請求項４２に記載の装置。
【請求項４５】
温度感受性基質が最適切断温度材料（ＯＣＴ）である、請求項４４に記載の装置。
【請求項４６】
アレイ本体が、プレキシグラス、プラスチック、セラミック、ガラス、金属、及び木からなる群から選択される剛性材料から形成されている、請求項４２に記載の装置。
【請求項４７】
アレイヤーが、５ピン／ｃｍ２より多く、７ピン／ｃｍ２より多く、又は１３ピン／ｃｍ２より多く含む、請求項４２に記載の装置。
【請求項４８】
複数のピンの一又は複数の自由端が先細にされて尖状部が形成されている、請求項４２に記載の装置。
【請求項４９】
複数のピンの一又は複数の自由端がピンの直径より小なる直径を有する、請求項４２に記載の装置。
【請求項５０】
複数のピンの一又は複数がガラス平滑端を含んでなる、請求項４２に記載の装置。
【請求項５１】
ガラス平滑端の自由端がシーラーで閉塞されている、請求項５０に記載の装置。
【請求項５２】
針状部がガラス平滑端の自由端内にシーラーから突出する、請求項５１に記載の装置。
【請求項５３】
複数のピンの一又は複数が、中実の管腔を含んでなる、請求項４２に記載の装置。
【請求項５４】
複数のピンの一又は複数が、中空の管腔を含み、自由端がシールされている、請求項４２に記載の装置。
【請求項５５】
複数のピンの一又は複数が、円形断面形状を有する、請求項４２に記載の装置。
【請求項５６】
複数のピンの一又は複数が、約０．４ｍｍから約１．２ｍｍ、約０．４ｍｍから約０．７ｍｍ、又は約０．８ｍｍから約１．２ｍｍの範囲の断面直径を有する、請求項５５に記載の装置。
【請求項５７】
複数のウェルが配設された基質と、
複数のウェルの一又は複数の中に収容された一又は複数の生物学的試料と、
複数のウェルの一又は複数内に収容された一又は複数の内部標準調製物を具備し、内部標準調製物が埋め込み材料混合された標準分子を含み、埋め込み材料が少なくとも一の物理的又は化学的性質において基質とは異なる、生物学的アレイ。
【請求項５８】
標準分子がポリヌクレオチド、ＲＮＡ分子、ＤＮＡ分子、及びポリペプチドからなる群から選択される、請求項５７に記載の生物学的アレイ。
【請求項５９】
標準分子が、Ｈｅｒ２遺伝子又はＶＥＧＦ遺伝子の少なくとも２０の近接ヌクレオチド又はその相補配列を含んでなるポリヌクレオチドである、請求項５８に記載の生物学的アレイ。
【請求項６０】
標準分子が、レセプター、可溶型レセプター、レセプター細胞外ドメイン（ＥＣＤ）、レセプターのリガンド結合断片、レセプターリガンド、抗体、抗体の抗原結合断片、抗原、ＨＥＲ２、ＶＥＧＦ、及びＨＥＲ２ポリペプチド又はＶＥＧＦポリペプチドの少なくとも１０の近接アミノ酸を含む断片ＨＥＲ２又はＶＥＧＦからなる群から選択されるポリペプチドである、請求項５８に記載の生物学的アレイ。
【請求項６１】
内部標準調製物が二又はそれ以上の異なった標準分子を更に含む、請求項５７に記載の生物学的アレイ。
【請求項６２】
標準分子の一つがポリヌクレオチドであり、標準分子の一つがポリペプチドである、請求項６１に記載の生物学的アレイ。
【請求項６３】
内部標準調製物が二又はそれ以上の異なったポリヌクレオチドを含む、請求項６１に記載の生物学的アレイ。
【請求項６４】
内部標準調製物が二又はそれ以上の異なったポリペプチドを含む、請求項６１に記載の生物学的アレイ。
【請求項６５】
埋め込み材料がアガロースを含んでなる、請求項５７に記載の生物学的アレイ。
【請求項６６】
埋め込み材料が、約１％から約３％アガロース、約１．５％から約２．５％アガロース、又は約１．８％から約２．２％アガロース、又は約２％アガロースの濃度でアガロースを含む、請求項６５に記載の生物学的アレイ。
【請求項６７】
埋め込み材料が、約０．５％から約１０％のウシ血清アルブミン（ＢＳＡ）、約１％から約７％のＢＳＡ、約１％から約６％のＢＳＡ、又は約１％から約５％のＢＳＡを更に含む、請求項６５に記載の生物学的アレイ。
【請求項６８】
内部標準調製物が、約０．５％から約２０％のウシ血清アルブミン（ＢＳＡ）、約１％から約１５％のＢＳＡ、約１％から約１０％のＢＳＡ、又は約１％から約５％のＢＳＡを更に含む、請求項５７に記載の生物学的アレイ。
【請求項６９】
試料が組織である、請求項５７に記載の生物学的アレイ。
【請求項７０】
組織が、血液、筋肉、神経、脳、乳房、前立腺、心臓、肺、肝臓、膵臓、脾臓、胸腺、食道、胃、腸、腎臓、精巣、卵巣、子宮、毛包、皮膚、骨、膀胱、及び脊髄からなる群から選択される、請求項６９に記載の生物学的アレイ。
【請求項７１】
組織が、正常組織、異常組織、成体生物由来の組織、及び成体前発達段階の生物由来の組織からなる群から選択される、請求項６９に記載の生物学的アレイ。
【請求項７２】
試料が細胞懸濁液である、請求項５７に記載の生物学的アレイ。
【請求項７３】
基質が、パラフィン、ゼラチン、及び最適切断温度材料（ＯＣＴ）からなる群から選択される温度感受性材料を含んでなる、請求項５７に記載の生物学的アレイ。
【請求項７４】
二又はそれ以上の内部標準調製物を更に含み、ここで内部標準調製物の少なくとも二が埋め込み材料に混合された異なった濃度の標準分子を含む、請求項５７に記載の生物学的アレイ。
【請求項７５】
複数のウェルの一又は複数の中にアレイ配向マーカーを更に含む、請求項５７に記載の生物学的アレイ。
【請求項７６】
生物学的アレイの製造方法において、
複数のウェルが配設された基質を調製し、
標準分子を埋め込み材料と混合して内部標準調製物を形成し、ここで埋め込み材料は少なくとも一の物理的又は化学的性質において基質とは異なり、
基質内の複数のウェルの一又は複数中に内部標準調製物を挿入し、
基質内の複数のウェルの一又は複数中に試料を挿入することを含む方法。
【請求項７７】
基質が、パラフィン、ゼラチン、樹脂-ポリビニルアルコール及びポリエチレングリコールを含む材料、及び最適切断温度材料（ＯＣＴ）からなる群から選択される温度感受性材料を含んでなる、請求項７６に記載の方法。
【請求項７８】
調製段階が基質中にウェルを形成することを更に含む、請求項７７に記載の方法。
【請求項７９】
調製段階が、
複数のピンを、埋め込みモールドと流動性温度感受性基質に、基質とピンが埋め込みモールド内に含まれるように係合させ；
埋め込みモールド内の基質を凍結させて基質を固化させ；
基質と埋め込みモールドからピンを除去して、固体温度感受性基質内に配設された複数のウェルを形成することを、更に含む、請求項７６に記載の方法。
【請求項８０】
調製段階が、複数のピンを埋め込みモールドと流動性温度感受性基質に係合させる前に複数のピンを潤滑することを更に含む、請求項７９に記載の方法。
【請求項８１】
標準分子が、ポリヌクレオチド、ＲＮＡ分子、インビトロ転写ＲＮＡ分子、ＤＮＡ分子、Ｈｅｒ２遺伝子又はＶＥＧＦ遺伝子の少なくとも２０の近接ヌクレオチド又はその相補配列を含むポリヌクレオチド、ポリペプチド、及びＨＥＲ２ポリペプチド又はＶＥＧＦポリペプチドの少なくとも１０の近接アミノ酸を含むポリペプチドからなる群から選択される、請求項７６に記載の方法。
【請求項８２】
混合工程が、埋め込み材料に複数の標準分子を混合して内部標準調製物を形成することを更に含む、請求項７６に記載の方法。
【請求項８３】
混合工程が、埋め込み材料と、一又は複数のポリヌクレオチド及び一又は複数のポリペプチドを混合して内部標準調製物を形成することを更に含む、請求項８２に記載の方法。
【請求項８４】
混合工程が、埋め込み材料と、二又はそれ以上の異なるポリヌクレオチドを混合して内部標準調製物を形成することを更に含む、請求項８２に記載の方法。
【請求項８５】
混合工程が、埋め込み材料と、二又はそれ以上の異なるポリペプチドを混合して内部標準調製物を形成することを更に含む、請求項８２に記載の方法。
【請求項８６】
混合工程が、アガロースと標準分子を混合して内部標準調製物を形成することを含む、請求項７６に記載の方法。
【請求項８７】
内部標準調製物中のアガロース濃度が、約１％から約３％アガロース、約１．５％から約２．５％アガロース、又は約１．８％から約２．２％アガロース、又は約２％アガロースである、請求項８６に記載の方法。
【請求項８８】
混合工程が、アガロース及びウシ血清アルブミン（ＢＳＡ）と標準分子を混合して内部標準調製物を形成することを含む、請求項７６に記載の方法。
【請求項８９】
内部標準調製物中のＢＳＡ濃度が、約０．５％から約２０％のウシ血清アルブミン（ＢＳＡ）、約１％から約１５％のＢＳＡ、約１％から約１０％のＢＳＡ、又は約１％から約５％のＢＳＡである、請求項７６に記載の方法。
【請求項９０】
混合工程が、内部標準調製物をモールド中に注入し、内部標準調製物を固化させ、内部標準ドナーブロックを形成することを更に含む、請求項７６に記載の方法。
【請求項９１】
内部標準調製物の挿入工程が、内部標準ドナーブロックからコアを穿設し、基質中の複数のウェルの一又は複数中にコアを挿入することを含む、請求項９０に記載の方法。
【請求項９２】
内部標準の挿入工程が、基質中の複数のウェルの一又は複数中に内部標準調製物を注入することを含む、請求項７６に記載の方法。
【請求項９３】
アレイ中の生物学的分子の検出方法において、該方法が、
既知量の生物学的分子を埋め込み材料と混合して、内部標準調製物を提供し、
アレイレシピエントブロックの複数のウェルの一又は複数中に内部標準調製物を挿入し、ここで、アレイレシピエントブロックは埋め込み材料とは一又は複数の物理的又は化学的性質が異なる基質を含み、
アレイレシピエントブロックの複数のウェルの一又は複数中に一又は複数の試料を挿入して、アレイを形成し、
アレイで分析手順を実施し、
内部標準調製物に対する分析手順の結果を試料に対する分析手順の結果と相関付け、試料中の生物学的分子の検出を決定する、方法。
【請求項９４】
生物学的分子が、ＲＮＡ分子、ＤＮＡ分子、及びＨｅｒ２遺伝子の少なくとも２０の近接ヌクレオチド又はＶＥＧＦ遺伝子の少なくとも２０の近接ヌクレオチド又はその相補配列を含むポリヌクレオチドからなる群から選択されるポリヌクレオチドである、請求項９３に記載の方法。
【請求項９５】
生物学的分子がポリペプチドである、請求項９３に記載の方法。
【請求項９６】
生物学的分子が、レセプター、可溶型レセプター、レセプター細胞外ドメイン（ＥＣＤ）、レセプターのリガンド結合断片、レセプターリガンド、抗体、抗体の抗原結合断片、抗原、ＨＥＲ２、ＶＥＧＦ、及びＨＥＲ２ポリペプチドの少なくとも１０の近接アミノ酸又はＶＥＧＦの少なくとも１０の近接アミノ酸を含むポリペプチドからなる群から選択される、請求項９３に記載の方法。
【請求項９７】
内部標準調製物が二又はそれ以上の異なった生物学的分子を更に含む、請求項９３に記載の方法。
【請求項９８】
生物学的分子の一つがポリヌクレオチドであり、生物学的分子の一つがポリペプチドである、請求項９７に記載の方法。
【請求項９９】
内部標準調製物が二又はそれ以上の異なったポリヌクレオチドを含む、請求項９７に記載の方法。
【請求項１００】
内部標準調製物が二又はそれ以上の異なったポリペプチドを含む、請求項９７に記載の方法。
【請求項１０１】
埋め込み材料がアガロースを含んでなる、請求項９３に記載の方法。
【請求項１０２】
内部標準中のアガロース濃度が、約１％から約３％アガロース、約１．５％から約２．５％アガロース、又は約１．８％から約２．２％アガロース、又は約２％アガロースである、請求項１０１に記載の方法。
【請求項１０３】
内部標準調製物がウシ血清アルブミン（ＢＳＡ）を更に含み、内部標準調製物中のＢＳＡ濃度が、約０．５％から約２０％のウシ血清アルブミン（ＢＳＡ）、約１％から約１５％のＢＳＡ、約１％から約１０％のＢＳＡ、又は約１％から約５％のＢＳＡである、請求項９３に記載の方法。
【請求項１０４】
試料が組織を含んでなる、請求項９３に記載の方法。
【請求項１０５】
組織が、血液、筋肉、神経、脳、乳房、前立腺、心臓、肺、肝臓、膵臓、脾臓、胸腺、食道、胃、腸、腎臓、精巣、卵巣、子宮、毛包、皮膚、骨、膀胱、及び脊髄からなる群から選択される、請求項１０４に記載の方法。
【請求項１０６】
組織が、正常組織、異常組織、成体生物由来の組織、及び成体前発達段階の生物由来の組織からなる群から選択される、請求項１０４に記載の方法。
【請求項１０７】
試料が細胞懸濁液を含んでなる、請求項９３に記載の方法。
【請求項１０８】
基質が、パラフィン、ゼラチン、樹脂-ポリビニルアルコール及びポリエチレングリコールを含む材料、及び最適切断温度材料（ＯＣＴ）からなる群から選択される温度感受性材料を含んでなる、請求項９３に記載の方法。
【請求項１０９】
分析手順がインサイツハイブリダイゼーションを含む、請求項９３に記載の方法。
【請求項１１０】
分析手順が免疫組織化学を含む、請求項９３に記載の方法。
【請求項１１１】
分析手順が免疫蛍光を含む、請求項９３に記載の方法。
【請求項１１２】
生物学的分子がレセプターであり、分析手順が、リガンドをレセプターに接触させ、リガンドとレセプターの結合を検出することを含む、請求項９３に記載の方法。
【請求項１１３】
リガンドが検出可能に標識される、請求項１１２に記載の方法。
【請求項１１４】
生物学的分子がリガンドであり、分析手順が、リガンド結合ポリペプチドをリガンドに接触させ、リガンドとリガンド結合ポリペプチドの結合を検出することを含む、請求項９３に記載の方法。
【請求項１１５】
リガンド結合ポリペプチドが、レセプター、レセプターのリガンド結合断片、レセプターＥＣＤ、リガンド特異的抗体、抗体のリガンド特異的結合断片からなる群から選択される、請求項１１４に記載の方法。
【請求項１１６】
抗体が抗ＨＥＲ２又は抗ＶＥＧＦである、請求項１１５に記載の方法。
【請求項１１７】
リガンド結合ポリペプチドが検出可能に標識される、請求項１１５に記載の方法。
【請求項１１８】
分析手順が、検出可能に標識された化合物を生物学的分子に接触させることを含む、請求項９３に記載の方法。
【請求項１１９】
検出可能に標識された化合物が、標識されたポリヌクレオチドプローブ又は標識されたポリペプチドからなる群から選択される、請求項１１８に記載の方法。
【請求項１２０】
標識されたポリペプチドが、抗体、モノクローナル抗体、抗体のリガンド結合断片、レセプター、レセプターＥＣＤ、レセプターのリガンド結合断片、抗ＨＥＲ２抗体、抗ＶＥＧＦ抗体、抗ＨＥＲ２抗体のリガンド結合抗体断片、抗ＶＥＧＦ抗体のリガンド結合断片、ＨＥＲ２レセプター、ＶＥＧＦレセプター、ＨＥＲ２レセプターのリガンド結合断片、及びＶＥＧＦレセプターのリガンド結合断片からなる群から選択される。請求項１１９に記載の方法。
【請求項１２１】
相関付け工程が、試料に結合した検出可能に標識された化合物の量に対する、内部標準調製物に結合した検出可能に標識された化合物の量を定量することを含む、請求項１１９に記載の方法。
【請求項１２２】
検出可能に標識された化合物が、放射性同位元素、化学発光標識、発光標識、フルオロフォア、発色団、特異的結合タンパク質、抗体、抗体のリガンド結合断片、抗原、レセプター、レセプターＥＣＤ、レセプターのリガンド結合断片、レセプターリガンド、ビオチン、及びストレプトアビジンからなる群から選択される標識を含む、請求項１１８に記載の方法。
【請求項１２３】
複数のピンを有するアレイヤーを、埋め込みモールドと流動性温度感受性基質に、基質とピンが埋め込みモールド内に含まれるように係合させ、ここで埋め込みモールドは底面を有し；
埋め込みモールド内の基質を凍結させて基質を固化させ；
基質と埋め込みモールドからアレイヤーピンを除去して、固体温度感受性基質内に配設された複数のウェルを形成し；
複数のウェル中に二又はそれ以上の生物学的試料を挿入して生物学的試料のアレイを形成し、
アレイをスライシングして一又は複数のアレイスライスを形成し、ここで各アレイスライスは生物学的試料のアレイに対応する生物学的試料の横断切片のアレイを有し；
アレイスライスの一又は複数を平坦な基体表面上に取り付け；
プラットフォームから温度感受性基質材料を除去して、生物学的試料の横断切片のマイクロアレイを形成する、
ことを含む方法によって製造された細胞マイクロアレイ。
【請求項１２４】
平坦な基体がガラス板である、請求項１２３に記載のマイクロアレイ。
【請求項１２５】
生物学的試料の横断切片密度が少なくとも５横断切片／ｃｍ２、少なくとも７横断切片／ｃｍ２、少なくとも１１横断切片／ｃｍ２、少なくとも１３横断切片／ｃｍ２である、請求項１２３に記載のマイクロアレイ。
【請求項１２６】
生物学的試料の一又は複数が組織である、請求項１２３に記載のマイクロアレイ。
【請求項１２７】
組織が、正常組織、異常組織、処置組織、成体生物由来の組織、及び成体前発達段階の生物由来の組織からなる群から選択される、請求項１２６に記載のマイクロアレイ。
【請求項１２８】
係合工程が潤滑材料でアレイヤーピンをコーティングすることを更に含む、請求項１２３に記載のマイクロアレイ。
【請求項１２９】
潤滑材料がグリセロール、脂肪酸、油、グリース、脂肪又は石鹸からなる群から選択される、請求項１２８に記載のマイクロアレイ。
【請求項１３０】
複数のウェルが内部に配設された基質を準備し；
標準分子を埋め込み材料と混合して内部標準調製物を形成し、ここで埋め込み材料は基質とは少なくとも一の物理的又は化学的性質が異なり；
基質の複数のウェルの一又は複数中に内部標準調製物を挿入し；
基質の複数のウェルの一又は複数中に生物学的試料を挿入し；
アレイをスライシングして一又は複数のアレイスライスを形成し；
アレイスライスの一又は複数を平坦な基体表面上に取り付け；
基体から基質を除去する、
ことを含む方法によって製造された細胞マイクロアレイ。  
【請求項１３１】
生物学的試料が基質内の管中に収容されていない、請求項１３０に記載の方法。
【請求項１３２】
標準分子が、ＲＮＡ分子及びＤＮＡ分子からなる群から選択されるポリヌクレオチドである、請求項１３０に記載の方法。
【請求項１３３】
標準分子がポリペプチドである、請求項１３０に記載の方法。
【請求項１３４】
ポリペプチドが、レセプター、リガンド結合レセプター断片、レセプターＥＣＤ、レセプターリガンド、抗体、抗原結合抗体断片、抗体抗原、及び酵素からなる群から選択される、請求項１３３に記載の方法。
【請求項１３５】
生物学的試料が、細胞懸濁液、細胞ペレット、細胞可溶化物、組織、及び凍結組織からなる群から選択される、請求項１３０に記載の方法。  
【請求項１３６】
基質が、温度感受性基質、樹脂-ポリビニルアルコール及びポリエチレングリコール、最適切断温度（ＯＣＴ）基質、パラフィン、及びゼラチンからなる群から選択される、請求項１３０に記載の方法。
【請求項１３７】
埋め込み材料がアガロースを含む、請求項１３０に記載の方法。
【請求項１３８】
平坦面を有する基体と、
上記面上の一又は複数の細胞性生物学的試料を含む細胞マイクロアレイであって、アレイ基質材料を欠く細胞マイクロアレイ。
【請求項１３９】
生物学的試料が細胞懸濁液、細胞ペレット、細胞可溶化物、組織、及び凍結組織からなる群から選択される、請求項１３８に記載の細胞マイクロアレイ。
【請求項１４０】
アレイが、少なくとも５試料／ｃｍ２、少なくとも７試料／ｃｍ２、少なくとも１１試料／ｃｍ２、及び少なくとも１３試料／ｃｍ２の密度で生物学的試料の横断切片積を含む、請求項１３８に記載の細胞マイクロアレイ。
【請求項１４１】
平坦面を有する基体と、
上記面上の一又は複数の細胞性生物学的試料と、
上記面上の一又は複数の内部標準調製物であって、埋め込み材料に混合された標準分子を含む内部標準調製物と、
を含む細胞マイクロアレイ。
【請求項１４２】
生物学的試料が細胞懸濁液、細胞ペレット、細胞可溶化物、組織、及び凍結組織からなる群から選択される、請求項１４１に記載の細胞マイクロアレイ。
【請求項１４３】
アレイが、少なくとも５試料／ｃｍ２、少なくとも７試料／ｃｍ２、少なくとも１１試料／ｃｍ２、及び少なくとも１３試料／ｃｍ２の密度で生物学的試料の横断切片積を含む、請求項１４１に記載の細胞マイクロアレイ。
【請求項１４４】
マイクロアレイがアレイ基質材料を欠く、請求項１４１に記載の細胞マイクロアレイ。
【請求項１４５】
表面上の一又は複数の生物学的試料に関連した少なくとも一の既知の位置に配向マーカー試料を更に含む、請求項１４１に記載の細胞マイクロアレイ。
【請求項１４６】
配向マーカー試料が、可視可能な染料、標準分子に非特異的に結合する化合物、セルロース、微粒状セルロース、及びベントナイトからなる群から選択される化合物を含む、請求項１４１に記載の細胞マイクロアレイ。
【請求項１４７】
患者からの生物学的試料中のｐ５３の少なくとも２倍の過剰発現とｈＭＬＨ１の少なくとも１．５倍の過小発現を定量することによって、患者の結腸直腸癌を診断することを更に含む、請求項９３に記載の方法。
【請求項１４８】
生物学的試料中のＶＥＧＦの、正常コントロール組織に対する少なくとも２倍の過剰発現を定量することによって、患者の癌を診断することを更に含み、ここで、生物学的試料が、血液、筋肉、神経、脳、乳房、前立腺、心臓、肺、肝臓、膵臓、脾臓、胸腺、食道、胃、腸、腎臓、精巣、卵巣、子宮、毛包、皮膚、骨、膀胱、及び脊髄からなる群から選択される組織である、請求項９３に記載の方法。
【請求項１４９】
患者の乳房組織試料中のＨｅｒ２遺伝子又はＨＥＲ２ポリペプチドの過剰発現を定量することによって、患者の乳癌を診断することを更に含む、請求項９３に記載の方法。
【請求項１５０】
癌の治療のためのＥｒｂＢアンタゴニストに有利に反応すると思われる患者を同定することを更に含み、患者からの組織試料中の腫瘍細胞中におけるｅｒｂＢ遺伝子増幅を検出することを含む、請求項９３に記載の方法。
【請求項１５１】
ＥｒｂＢがＨＥＲ２であり、ＥｒｂＢアンタゴニストが抗ＨＥＲ２抗体又はそのＨＥＲ２結合断片であり、ｅｒｂＢがＨｅｒ２遺伝子である、請求項１５０に記載の方法。
【請求項１５２】
抗ＨＥＲ２抗体がｒｈｕＭＡｂ４Ｄ５（ハーセプチン(登録商標)）である、請求項１５１に記載の方法。
【請求項１５３】
検出が、Ｈｅｒ２遺伝子の少なくとも２０の隣接ヌクレオチド又はその相補配列を含んでなる検出可能に標識されたポリヌクレオチドを試料に接触させることによる、請求項１５０に記載の方法。
【請求項１５４】
コントロール試料での発現に対して、少なくとも１．５倍の、生物学的試料中のＶＥＧＦ遺伝子又はＶＥＧＦポリペプチドの過剰発現を定量することにより、患者の癌を診断することを更に含む、請求項９３に記載の方法。
【請求項１５５】
定量工程が、試料中の核酸を、ＶＥＧＦ遺伝子の少なくとも２０の隣接ヌクレオチド又はその相補配列を含んでなる検出可能に標識されたポリヌクレオチドに接触させることによってＶＥＧＦ遺伝子の過剰発現を検出することを含む、請求項１５４に記載の方法。
【請求項１５６】
定量工程が、試料中のＶＥＧＦポリペプチドを、検出可能に標識された抗ＶＥＧＦ抗体又は該抗体の結合断片に接触させることによってＶＥＧＦポリペプチドの過剰発現を検出することを含む、請求項１５５に記載の方法。
【請求項１５７】
コントロール組織試料での発現に対して、少なくとも１．５倍の、患者由来の生物学的試料中のＶＥＧＦ遺伝子又はＨＩＦ−１αの過剰発現を定量することにより、患者の癌を診断することを更に含む、請求項９３に記載の方法。
【請求項１５８】
定量工程が、試料中の核酸を、ＶＥＧＦ遺伝子の少なくとも２０の隣接ヌクレオチド又はその相補配列を含んでなる検出可能に標識されたポリヌクレオチドに接触させることによってＶＥＧＦ遺伝子の過剰発現を検出し、試料中の核酸を、ＨＩＦ−１α遺伝子の少なくとも２０の隣接ヌクレオチド又はその相補配列を含んでなる検出可能に標識されたポリヌクレオチドに接触させることによってＨＩＦ−１α遺伝子の過剰発現を定量することを含む、請求項１５７に記載の方法。
【請求項１５９】
生物学的試料が、血液、筋肉、神経、脳、乳房、前立腺、心臓、肺、肝臓、膵臓、脾臓、胸腺、食道、胃、腸、腎臓、精巣、卵巣、子宮、毛包、皮膚、骨、膀胱、及び脊髄からなる群から選択される組織である、請求項１５８に記載の方法。
【請求項１６０】
生物学的試料が、腎細胞癌を含んでいると疑われる腎臓組織である、請求項１５９に記載の方法。
【発明の詳細な説明】
【発明の開示】
【０００１】
（発明の分野）
本発明は、切片化して、アレイ中の生物学的試料の生物学的性質を比較するのに有用な複数の組成物を作製するのに好適な基質に入れた細胞試料又は組織試料等の複数の生物学的試料のアレイに関する。本発明は更に内部標準を含むアレイ並びに生物学的試料の生物学的性質の比較のためのその複数の組成物の使用に関する。
【０００２】
（背景）
ヒトゲノム又は他の生物のゲノムの配列決定が最近完了したために、莫大な量の情報が科学社会にもたらされた。この技術に基づいて、バイオテクノロジー及び製薬産業は潜在的な治療用途のための候補分子を同定するための方策を開発した。次の目的は疾患の予測、診断、及び治療に遺伝子データのこの莫大な富を利用することである。しかし、この情報の意味を理解するためには、高効率の分析技術が必要である。
特定のタイプの細胞又は組織に独特な遺伝子又は遺伝子産物を同定するための既知のアプローチ法は一般に制約があり、一つ又は数種の特定の遺伝子配列のみを標的とし、一度に一つの細胞型又は組織型を分析するものである。より最近では、複数の異なった細胞又は組織試料中の遺伝子又は遺伝子産物を同定するための高スループット法が開発されている。かかる高スループット法の一つは細胞又は組織試料のアレイを作製することからなる。アレイを作製するためには、細胞及び／又は組織試料は、パラフィン又はゼラチンのような基質材料から形成された３次元の固形アレイレシピエントブロック内のチューブ中に典型的に挿入される。ついで、パラフィンアレイレシピエントブロックを、各スライスが同じ試料アレイを含む一又は複数の薄いスライスに切断する。アレイスライスを顕微鏡のスライドに取り付け、基質を取り除き、細胞試料又は組織試料のスポット又は横断切片のアレイ中に細胞及び／又は組織試料のアレイを残す。組織マイクロアレイとも呼ばれるアレイスライドは様々な分析手順又は分子解析、例えばインサイツハイブリダイゼーション、及び免疫化学手順に有用である。既知のアレイによって複数の異なった細胞又は組織試料の複数の分子分析を効率的な形で行うことが可能になるが、これらのアレイは、特に製造方法において、多くの不具合を有している。
【０００３】
既知のアレイの一つの欠点は、調製中に、例えば細胞懸濁液のような幾つかの試料を、アレイの固形基質内に、ガラス又はプラスチックチューブのような障壁材料で保持しなければならないことである。チューブの存在はアレイのスライス化の邪魔になる。更に、アレイがスライスされるときに、チューブが壊れ、試料を乱す傾向がある。従って、容易にスライスでき、試料の保持にチューブを必要としないアレイを作製する方法及び装置に対して相当な必要性が存在する。
既知のアレイの他の欠点は、アレイのチューブ中に挿入する前に細胞又は組織試料を固定し保存のためのいろいろな取り扱いが必要となることである。固定液は細胞又は組織試料にダメージを与える可能性があり、これが今度はアレイスライドについて実施される分子分析又は分析手順の結果の完全性に影響を与えうる。試料のいろいろな取り扱いが試料にダメージを生じさせる可能性があり、非常に時間を費やす。従って、アレイ中への挿入前に試料のいろいろな取り扱いや化学的処理を必要としないアレイ製造のための方法及び装置に対してかなりの必要性が残っている。
【０００４】
また、アレイから得られるデータの定性的及び定量的分析方法を改善することが好ましい。一般に、これらの結果の分析には、典型的には、顕微鏡でアレイスライド上の各スポットを検査し、単一のスライド上のスポットのそれぞれについて結果を定性的に（例えば−、＋、又は＋／−）記録する人員が必要となる。この手順は時間がかかり、間違いを起こしやすく、非常に限られた定量的情報をもたらし、例えば人の眼で可視できるシグナル強さのレベルに限られる。更に、組織切片中での発現の定量化が望まれる場合、既存の方法では、標準物質を別個に分析することが必要であり、よってその有用性を制限している（Ermert, L.等, Am. J. Path. 158:407-417 (2001)）。従って、アレイスライド上の試料の分子分析結果を解析する効率的な方法に対してかなりの必要性が残っている。また、アレイスライド上の試料の分子分析の結果を定量化するための精確で効率的な手段を提供するかなりの必要性がある。
【０００５】
（発明の概要）
この背景下、本発明は上記及び他の問題を解決するためになされた。本発明は一般にアレイ基質と生物学的試料の間の障壁材料の必要性を排除し、試料をアレイで使用する前にそれを化学的に処理する必要性がない、凍結生物学的アレイ及び凍結アレイを作製するための方法と装置を含む。また、本発明は、凍結されていようとなかろうと、生物学的アレイを含み、アレイ内に収容される生物学的試料の分析に役に立つ内部標準調製物を含むアレイを作成する方法を含む。
一実施態様では、凍結生物学的アレイは、複数のウェルが配設されてなる温度感受性材料から形成された凍結基質と凍結された切片化可能な基質内の複数のウェル内に配設された一又は複数の生物学的試料を含む。一実施態様では、凍結アレイをつくり出すように一又は複数の凍結された生物学的試料を収容可能な凍結アレイレシピエントブロックが次のようにして作製されうる。複数のピンを有するアレイヤーを、埋め込みモールドと流動性温度感受性基質に、基質とピンが埋め込みモールド内に含まれるように係合させる。他の実施態様では、基質をモールド中に注ぎ、基質を、アレイヤーピンを基質に係合させる前にモールドに係合させる。例えば、一実施態様では、アレイヤーピンは埋め込みモールド内の流動性基質中に挿入される。別法では、アレイヤーピンは、流動性基質をモールドとアレイヤーピンに係合させる前にモールドに係合されうる。温度感受性基質はピンとモールドに係合される一方、基質が凍結され、流動性基質をアレイヤーピンの周りに固化させる。ピンが基質と埋め込みモールドから除去されると、複数のウェルが凍結された温度感受性基質内に配される。
【０００６】
アレイヤーのピンを潤滑材料で被覆すると凍結温度感受性基質からのピンの除去を可能にすることがここに開示される。その結果、本発明の実施態様は、温度感受性基質と凍結を接触させる前に、潤滑材料、例えば限定されるものではないが、グリセロール、脂肪酸、油、グリース、脂肪、又は石鹸でピンを被覆することによって、凍結生物学的アレイを作製する方法を含む。
他の実施態様では、本発明は潤滑材料を裏打ちした複数のウェルを含む凍結アレイを含む。更に他の実施態様では、本発明は潤滑材料で裏打ちされ、生物学的試料、例えば限定されるものではないが、細胞懸濁液、細胞ペレット、細胞可溶化物、組織を含む複数のウェルを含む凍結生物学的アレイを含み、ここで潤滑材料は凍結温度感受性基質と細胞又は組織試料間にウェルを裏打ちする薄膜を形成する。
他の側面では、本発明は、本体と該本体から突出する複数のピンを有するアレイヤーと、温度感受性基質を収容するための埋め込みモールドと、温度感受性基質を含む、アレイレシピエントブロックを作製する装置を含む。本発明によれば、アレイヤー本体は、５ピン／ｃｍ２より多く、あるいは７ピン／ｃｍ２より多く、またあるいは１３ピン／ｃｍ２より多く含む。また、本発明によれば、本発明の生物学的アレイの断面は５ウェル／ｃｍ２より多く、あるいは７ウェル／ｃｍ２より多く、またあるいは１１ウェル／ｃｍ２より多く、またあるいは１３ウェル／ｃｍ２より多く含む。一実施態様では、ウェルは基質内に等間隔に離間している。他の実施態様では、ウェルの一又は複数は円形断面を有する。更に他の実施態様では、ウェルの一又は複数は約０．４ｍｍから約１．２ｍｍ、約０．４ｍｍから約０．７ｍｍ、又は約０．８ｍｍから約１．２ｍｍの範囲の内径を有する。
【０００７】
他の側面では、本発明は、凍結アレイレシピエントブロック内の複数のウェル中に一又は複数の生物学的試料を挿入し、凍結アレイを一又は複数の切片にスライスし、顕微鏡スライドのような平坦な基体表面上に切片を取り付け、プラットフォームから基質材料を除去して細胞マイクロアレイを形成することにより作製された細胞マイクロアレイを含む。一実施態様では、生物学的試料は細胞懸濁液であり、凍結アレイの切片は細胞懸濁液試料の横断切片（又はスポット）を含む。他の実施態様では、マイクロアレイの発明は、生物学的アレイの生物学的試料の横断切片（又はスポット）が平坦な表面上のＯＣＴと生物学的試料横断切片の間の潤滑材料の領域によって囲まれている細胞マイクロアレイを含む。本発明によれば、アレイ又はマイクロアレイのスライスは、５横断切片／ｃｍ２より多く、あるいは７横断切片／ｃｍ２より多く、またあるいは１１横断切片／ｃｍ２より多く、またあるいは１３横断切片／ｃｍ２より多く含む。更なる実施態様では、生物学的アレイのウェルは、この実施態様に係るマイクロアレイがウェルの裏打ちのそのような潤滑材料がない場合よりも清浄な端を有する生物学的試料横断切片を有するように、ウェルの生物学的試料のスライス化を容易にするピンの除去の後に潤滑材料で裏打ちされる。
【０００８】
更に他の側面では、本発明は複数のウェルがそこに配設された基質と、ウェルの幾らかの中に収容される試料と、ウェルの幾らかの中に収容される一又は複数の内部標準調製物を含む生物学的アレイを含む。内部標準調製物は、埋め込み材料と混合されて、生物学的分子のような標準分子を含む。埋め込み材料は、アレイ又はマイクロアレイについてなされる加工及び任意の手順中に内部標準調製物がアレイ中とマイクロアレイ基体上に標準分子を保持するように少なくとも一の物理的又は化学的性質において基質とは異なる。内部標準調製物は、ポジティブ又はネガティブコントロールとして作用し、アレイ又はマイクロアレイ中の生物学的分子を検出し定量するのに役立つことによることを含む、多くの形でアレイ又はマイクロアレイで実施される手順の結果を分析するのに役立つ。
一実施態様では、内部標準調製物は、これら内部標準調製物を含むアレイで実施されるインサイツハイブリダイゼーションの結果を分析するのに役立つ内部標準調製物を形成するために、ＢＳＡを伴うか伴わないでアガロースと混合されて、ポリヌクレオチド、例えばＲＮＡ又はＤＮＡ分子を含む。一実施態様では、ＲＮＡ又はＤＮＡ分子は一本鎖である。他の実施態様では、ポリヌクレオチドは標準物質中におけるポリヌクレオチドの存在を検出するために使用されるプローブにハイブリダイズする。他の実施態様では、生物学的分子は、内部標準調製物を含むアレイで実施される免疫組織化学手順を分析するのに役立つ内部標準調製物を形成するために、ＢＳＡと共に又はＢＳＡなしにアガロースと混合されてポリペプチドを含む。更に他の実施態様では、内部標準調製物は、二又はそれ以上のポリヌクレオチド、二又はそれ以上のポリペプチド、又はその任意の組み合わせを含む、又はそれ以上の生物学的分子を含みうる。
【０００９】
他の実施態様では、標準配向分子、例えばプローブの染料又は非特異的バインダーを、アレイ又はマイクロアレイ中で配向マーカーとして作用するように、埋め込み材料に混合することができる。
他の側面では、本発明は、生物学的アレイをつくるために、凍結していようといまいと、アレイレシピエントブロック内に複数のウェル中に一又は複数の内部標準調製物を挿入し、アレイを一又は複数の切片にスライスし、顕微鏡スライドのような平坦な基体表面に切片を取り付け、アレイが凍結アレイである場合は、表面から基質材料を除いて、細胞マイクロアレイを形成することによって形成されるマイクロアレイを含む。ある実施態様では、生物学的試料は細胞懸濁液であり、アレイの切片は細胞懸濁液試料と内部標準調製物の横断切片（又はスポット）を含む。一実施態様では、生物学的試料は組織試料であり、アレイの切片は組織試料と内部標準調製物の横断切片（又はスポット）を含む。
他の側面では、本発明は、複数のウェルが内部に配設された基質を準備し、内部標準調製物を形成し、基質の複数のウェルの一又は複数中に内部標準調製物を挿入し、基質の複数のウェルの一又は複数中に生物学的試料を挿入して、細胞アレイを形成することによって作製される細胞マイクロアレイを含む。ついで、細胞アレイは一又は複数のアレイスライスにスライスされ、平坦な基体表面上に取り付けられ、基質が基体から除去される。細胞マイクロアレイは、平坦な表面を持つ基体；表面上の一又は複数の細胞生物学的試料；及び表面上の一又は複数の内部標準調製物を含み、内部標準調製物は埋め込み材料に混合された標準分子を含む。他の実施態様では、細胞マイクロアレイは平坦な表面を含む基体と表面上の一又は複数の細胞生物学的試料を含み、マイクロアレイはアレイ基質材料を欠く。
【００１０】
他の側面では、本発明は、次のものを含むアレイ又はマイクロアレイ中の生物学的分子を検出する方法を含む。既知量の生物学的分子が内部標準調製物を提供するように埋め込み材料と混合される。内部標準調製物はアレイレシピエントブロック中の一又は複数のウェル中に挿入される。一又は複数の試料はアレイレシピエントブロックのウェル中に挿入され、よってアレイを形成する。分析的手順がアレイで実施され、内部標準調製物に対する分析手順の結果が試料に対する分析手順の結果と相関付けられ、試料中の生物学的分子の検出が決定される。本発明によれば、検出方法の実施態様は、限定されるものではないが、インサイツハイブリダイゼーション、免疫組織化学、リガンドへのレセプター（又はレセプターのリガンド結合断片、例えばＥＣＤ）の結合が含まれ、かかる結合は、レセプター、リガンド又は第三の分子（例えば抗体）を標識することによって検出され、その第三の分子はレセプター-リガンド複合体に特異的に結合する。本発明の方法によれば、検出は、別法として、検出可能に標識された分子の、対象の生物学的分子との特異的会合（例えば結合又はハイブリダイゼーションによる）を検出することによって達成される。本発明によれば、検出は、例えば限定されるものではないが、ホスフォロイメージャー、蛍光検出装置、写真フィルム、可視光検出器、化学発光検出器、及びＣＣＤカメラのような機器によって実施される。
【００１１】
他の側面では、本発明は、コントロールの非疾患状態に対する患者の生物学的試料中の疾患状態を検出することを含む。本発明の実施態様には、限定されるものではないが、アレイ中の生物学的分子の、本発明のマイクロアレイ及びマイクロアレイ法を使用する検出が含まれ、ここで、試料中の生物学的分子の量は正常試料の量とは異なる。一実施態様では、生物学的分子は、コントロール組織又は細胞に対して、試料アレイ細胞又は組織中で少なくとも１．５倍過剰発現される。一実施態様では、本発明は、Ｈｅｒ２遺伝子の少なくとも２０の隣接ヌクレオチド（又はその相補鎖）を含むポリヌクレオチドを本発明の組織マイクロアレイ又は凍結細胞マイクロアレイ中の試料と接触させ、コントロール試料に対するＨｅｒ２遺伝子の過剰発現を検出することによる、乳房組織試料における癌の検出を含む。他の実施態様では、本発明は、ＨＥＲ２結合剤、例えば抗体又はそのＨＥＲ２結合断片を本発明の組織アレイ又は凍結細胞アレイ中の生物学的試料と接触させ、コントロール試料に対するＨＥＲ２タンパク質の過剰発現を検出することによる、乳房組織試料中の癌の検出を含む。更に他の実施態様では、本発明は癌治療のためにＥｒｂＢアンタゴニストに好ましく応答すると思われる患者を同定することを含み、その方法は、ここで上に開示された本発明の組織マイクロアレイ又は細胞マイクロアレイを使用して遺伝子の増幅又はタンパク質の過剰発現を検出することにより患者からの組織試料中の腫瘍細胞のｅｒｂＢ遺伝子増幅を検出することを含む。ＥｒｂＢアンタゴニストに好ましく応答する患者の素質は、その全体が出典明示によりここに取り込まれる２００１年５月１８日出願の係属出願第０９／８６３１０１号に開示されている。
【００１２】
更に他の実施態様では、本発明は、ＶＥＧＦ遺伝子の少なくとも２０の隣接ヌクレオチド（又はその相補鎖）を含むポリヌクレオチドを本発明の組織マイクロアレイ又は凍結細胞マイクロアレイ中の試料と接触させ、コントロール試料に対するＶＥＧＦ遺伝子の過剰発現を検出することによる、生物学的試料における、癌の検出を含む、ＶＥＧＦの過剰発現の検出を含む。他の実施態様では、本発明は、ＶＥＧＦ結合剤、例えば抗体又はそのＶＥＧＦ結合断片を本発明の組織アレイ又は凍結細胞アレイ中の生物学的試料と接触させ、コントロール試料に対するＶＥＧＦタンパク質の過剰発現を検出することによる、試料中の癌の検出を含む。
これらの特徴及び様々な他の特徴並びに本発明を特徴付ける利点は、実施例と関連図面の参酌を含め、次の詳細な記載を読むと明らかになるであろう。
【００１３】
（実施態様の記載）
定義
ここで使用される場合、「成体生物」という用語は十分な成長及び発達に達した生物を意味する。これに対して、生物に適用される「成体前発達段階」は十分な成長及び発達には未だ到達してない生物を意味する。
ここで使用される場合、「アミノ酸」という用語は、グリシン及びＤ又はＬ光学異性体の双方、及びアミノ酸アナログ及びペプチド模倣体(peptidomimetics)を含む、天然及び／又は非天然又は合成のアミノ酸の何れかを意味する。
ここで使用される場合、「抗体」と「免疫グロブリン」という用語は同じ構造的特徴を有する糖タンパク質を意味する。抗体は特定の抗原に対して結合特異性を示すものであるが、免疫グロブリンは、抗体と抗原特異性を欠く他の抗体様分子の両方を含む。後者の種類のポリペプチドは、例えばリンパ系により低レベルで、骨髄腫により増加したレベルで産生される。
「天然抗体」及び「天然免疫グロブリン」は、通常、２つの同一の軽(Ｌ)鎖及び２つの同一の重(Ｈ)鎖からなる、約１５００００ダルトンのヘテロ四量体糖タンパク質である。各軽鎖は一つの共有ジスルフィド結合により重鎖に結合しており、ジスルフィド結合の数は、異なった免疫グロブリンアイソタイプの重鎖の中で変化する。また各重鎖と軽鎖は、規則的に離間した鎖間ジスルフィド結合を有している。各重鎖は、多くの定常ドメインが続く可変ドメイン(ＶＨ)を一端に有する。各軽鎖は、一端に可変ドメイン(ＶＬ)を、他端に定常ドメインを有し；軽鎖の定常ドメインは重鎖の第一定常ドメインと整列し、軽鎖の可変ドメインは重鎖の可変ドメインと整列している。特定のアミノ酸残基が、軽鎖及び重鎖可変ドメイン間の界面を形成すると考えられている（Clothia等 (1985) J. Mol. Biol. 186, 651-663; Novotny及びHaber (1985) Proc. Natl. Acad. Sci. USA 82:4592-4596）。
【００１４】
任意の脊髄動物種からの抗体（免疫グロブリン）の軽鎖は、それらの定常ドメインのアミノ酸配列に基づいて、カッパ及びラムダ(8)と呼ばれる２つの明確に区別される型に分けることができる。
それらの重鎖の定常ドメインのアミノ酸配列に応じて、免疫グロブリンは異なるクラスに分けられる。免疫グロブリンの５つの大きなクラス：ＩｇＡ、ＩｇＤ、ＩｇＥ、ＩｇＧ及びＩｇＭがあり、そのうちの幾つかは、サブクラス（アイソタイプ）、例えば、ＩｇＧ-１、ＩｇＧ-２、ＩｇＧ-３、及びＩｇＧ-４；ＩｇＡ-１及びＩｇＡ-２に更に分けることができる。免疫グロブリンの異なるクラスに対応する重鎖定常ドメインは、各々、アルファ、デルタ、イプシロン、ガンマ、及びミューと呼ばれる。異なるクラスの免疫グロブリンのサブユニット構造及び３次元立体配置はよく知られている。
「抗体」という用語は最も広義に使用され、単一のモノクローナル抗体（アゴニスト及びアンタゴニスト抗体を含む）、ポリエピトープ特異性を持つ抗体組成物、並びにそれらが所望の生物学的活性を示す限り、抗体断片（例えば、Ｆａｂ、Ｆ(ａｂ')２、及びＦｖ）を特に包含する。
ここで使用される「モノクローナル抗体」という用語は、実質上均一な抗体の集団から得られる抗体を指す、すなわち集団を構成する個々の抗体が、少量で存在しうる自然に生じうる可能な突然変異を除いて同一である。「モノクローナル」という形容詞は、実質上均一な抗体集団から得られたという抗体の性質を示し、抗体を何らかの特定の方法で生産しなければならないことを意味するものではない。例えば、本発明において使用されるモノクローナル抗体は、Kohler及びMilstein, Nature 256：495(1975)によって初めて記載されたハイブリドーマ法によって作製することができ、あるいは組換えＤＮＡ法(例えば、米国特許第４８１６５６７号（Cabilly等）及びMage及びLamoyi (1987) Monoclonal Antibody Production Techniques and Applications, pp.79-97, Marcel Dekker, Inc., New Yorkを参照)によって作製することができる。モノクローナル抗体は、例えばMcCafferty等(1990) Nature 348：552-554に記載された技術を用いてファージ抗体ライブラリから単離することもできる。
【００１５】
非ヒト(例えばマウス)抗体の「ヒト化」型とは、特異的キメラ免疫グロブリン、免疫グロブリン鎖、あるいはそれらの断片(例えばＦｖ、Ｆａｂ、Ｆａｂ'、Ｆ(ａｂ)２あるいは抗体の他の抗原結合サブ配列)であって、非ヒト免疫グロブリンに由来する最小配列を含むものである。大部分において、ヒト化抗体はレシピエントの相補性決定領域(ＣＤＲ)の残基が、マウス、ラット又はウサギのような所望の特異性、親和性及び能力を有する非ヒト(ドナー抗体)のＣＤＲの残基によって置換されたヒト免疫グロブリン(レシピエント抗体)である。ある場合には、ヒト免疫グロブリンのＦｖフレームワーク領域(ＦＲ)残基は、対応する非ヒト残基によって置換されている。更に、ヒト化抗体は、レシピエント抗体にも、移入されたＣＤＲもしくはＦＲ配列にも見出されない残基を含んでいてもよい。これらの修飾は抗体の特性を更に洗練し、最適化するために行われる。一般に、ヒト化抗体は、全てあるいは実質的に全てのＣＤＲ領域が非ヒト免疫グロブリンのものに対応し、全てあるいは実質的に全てのＦＲ領域がヒト免疫グロブリンコンセンサス配列のものである、少なくとも一つ、典型的には二つの可変ドメインの実質的に全てを含む。ヒト化抗体は、最適には免疫グロブリン定常領域(Ｆｃ)の少なくとも一部、典型的にはヒトの免疫グロブリンのものを含む。更なる詳細については、その全体を出典明示によりここに取り込む、Jones等(1986) Nature 321:522-525；Reichmann等(1988) Nature 332:323-329；１９８７年９月３０日発行のＥＰ-Ｂ-２３９４００；Presta(1992) Curr. Op. Struct. Biol. 2: 593-596；及び１９９６年１月２４日発行のＥＰ-Ｂ-４５１２１６を参照のこと。ヒト化抗体には、抗体の抗原結合領域が、対象の抗原でマカクザルを免疫化することにより生産された抗体から由来するプリマタイズ(PRIMATIZEDTM)抗体が含まれる。
【００１６】
ここで使用される場合の「抗原」とは抗体、その断片、又はＴ細胞抗原レセプターが認識し特異的に結合する物質を意味する。抗原には、ペプチド、タンパク質、糖タンパク質、多糖類、脂質、その一部、及びそれらの組み合わせが含まれうる。抗原は天然に見出されうるか、又は合成でありうる。抗原は細胞の表面上に又は細胞の内部に位置して存在しうる。
「アンチセンス」という用語は、核酸の特定の配列配向を指すために使用される。ＤＮＡ配列配向を指すために使用される場合は、「アンチセンス鎖」は、メッセンジャーＲＮＡ（ｍＲＮＡ）の転写の鋳型となるＤＮＡ二本鎖のようなＤＮＡ鎖を意味する。ＤＮＡの「センス鎖」はＤＮＡのアンチセンス鎖に相補的なＤＮＡ鎖を意味し、そのセンス鎖はｍＲＮＡ合成のための鋳型として機能しない。センスＤＮＡ鎖とｍＲＮＡは、鋳型アンチセンスＤＮＡから合成され、ｍＲＮＡのウラシル（Ｕ）がＤＮＡのチミジン（Ｔ）に置換する点を除いて同じヌクレオチド配列を有している。その結果、天然に生じるｍＲＮＡの配列配向は、それが転写されるアンチセンスＤＮＡに相補的であり、その配列がセンスＤＮＡ鎖の配列に類似しているので、センス配向にあると言われる。一般に、アンチセンスＲＮＡは天然には希にしか生じないが、インサイツハイブリダイゼーション法において使用される典型的な試薬である。
【００１７】
「アレイヤー」という用語は、アレイ基質中に一又は複数のウェルを製造し又はつくり出すように設計されたツール、装置又は機器を意味する。組織アレイ及び組織マイクロアレイの調製に有用なアレイヤーの非限定的な例は、アレイヤー装置とその用途に関してその全体が出典明示によりここに取り込まれるLeighton, S.B.の米国特許第６１０３５１８号に記載されている。
ここで使用され、ここで更に記載されるところの「生物学的アレイ」という用語は、典型的には組織、細胞懸濁液、又は細胞ペレットのような２５から１０００以上の個々の生物学的試料を、生物学的試料のコアのパターン（例えばアレイ（列(横列)とカラム(縦列)））として含むパラフィン又は凍結ブロックのような切片化可能なブロックを意味し、各コアは切片化可能なブロック中の特定の格子座標位置に埋め込まれ、各格子座標は、切片化して平坦な基体上に取り付けたときに、各生物学的試料からの材料が分かれ、あらゆる他の生物学的試料の材料から別個に検出可能であるように、あらゆる他の格子座標とは十分に分かれている。本発明によれば、各ウェルの生物学的試料は、ウェルの壁部を形成する他の非基質材料又はチューブによってではなく、ウェルの壁部を形成する固化基質材料によって、ウェル内に収容される。「生物学的アレイ」という用語は、限定するものではないが、ここで定義される「組織アレイ」、「細胞アレイ」、「凍結細胞アレイ」又は「凍結組織アレイ」を含む。
ここで使用されるところの「生物学的分子」という用語は、限定されるものではないが、ポリヌクレオチド、異なった配向（センス又はアンチセンス）又はポリヌクレオチドのスプライシング変異体、ポリペプチド、及び／又はタンパク質の異なったアイソフォーム（完全長又は部分配列）、並びに非ポリマー分子、例えばホルモン、サイトカイン、代謝物、代謝前駆体、研究している生物学的試料を処理するために使用される薬物又は他の薬品、並びにそのような分子の合成形態を含む、生存している生物中に見いだされる分子の本質的に一部又はそれから誘導される任意の有機分子を意味する。
【００１８】
ここで使用されるところの「生物学的試料」又は「細胞性生物学的試料」という用語は、細胞集団からの懸濁液又は細胞ペレット又は細胞可溶化物中の全細胞の集団のような、細胞集団の試料を意味し、更に全及び／又は破壊又は溶解細胞を含む組織試料を意味する。細胞又は組織は、限定するものではないが、細菌、酵母、昆虫、鳥、爬虫類、及びヒトを含む任意の哺乳動物を含む、任意の原核又は真核生物から由来しうる。細胞又は組織が哺乳動物である場合、細胞又は組織は、限定されるものではないが、血液、筋肉、神経、脳、乳房、前立腺、心臓、肺、肝臓、膵臓、脾臓、胸腺、食道、胃、腸、腎臓、精巣、卵巣、子宮、毛包、皮膚、骨、膀胱、及び脊髄を含む、任意の細胞又は組織である。
ここで使用されるところの「細胞ペレット」という用語は、細胞懸濁液を濃縮し、上清を除去し、及び／又は凍結細胞アレイ又はマイクロアレイのような組織試料を調製するために、例えば遠心分離によって、細胞を塊に充填された試料を意味する。
「細胞懸濁液」は細胞が程度の差はあれ液相に均一に分散した試料である。
「コントロール」は比較目的の分析手順において使用される代わりの被検体又は試料である。コントロールは「ポジティブ(陽性)」又は「ネガティブ(陰性)」でありうる。例えば、分析手順の目的が関心のある疾患に罹った細胞又は組織中で差次的に発現された転写物又はポリペプチドを検出することである場合、例えば所望の発現及び／又は所望の発現の臨床症候群特性を示す被検体又は被検体からの試料のようなポジティブコントロール、及び所望の発現及び／又は所望の発現の臨床症候群特性を欠く被検体又は被検体からの試料のようなネガティブコントロールを含めることが一般に有用である。コントロールは試料中の標的分子を検出し、及び／又はその量を定量するためのここに定義したような標準分子を含んでいてもいなくてもよい。
【００１９】
「検出可能に標識された化合物」は、生物学的分子に付着又は結合可能で、生物学的分子について実施される分析手順によって検出され得る標識を有する化合物を意味する。「標識」という用語は、化合物（例えばヌクレオチド、ポリヌクレオチド、ポリペプチド、抗体又はその抗原結合断片、そのレセプター又はリガンド結合断片、レセプターＥＣＤ、抗原、又はレセプターリガンド、ビオチン、アビジン、又はストレプトアビジン）に付着させられた場合、既知の検出手段を使用してそのような化合物を検出することを可能にする部分を意味する。非限定的で例示的な標識には、フルオロフォア、発色団、放射性同位体、スピン標識、酵素標識、化学発光標識、発光標識等々が含まれ、直接検出したり、あるいは標識抗体又はアビジンのような検出可能な抗リガンドに高親和性をもって特異的に結合可能な、抗原又はビオチンのようなリガンド又は適切な検出器によって標識化合物を検出することが可能になる。標識化合物が標識抗体である場合、標識は、「標識」抗体を産生させるように抗体に直接的又は間接的に結合されうる。標識はそれ自体が検出可能であるか（例えば放射性同位元素又は蛍光標識）、あるいは酵素標識の場合には、検出可能である基体化合物又は組成物の化学的改変を触媒しうる。
試料中のヌクレオチド配列又はポリペプチド配列に対して適用される「差次的に発現」とは、コントロール中に検出されるその発現と比較した場合の、配列の過剰発現又は過小発現を意味する。過小発現はまたコントロールと比較した場合、試料中の検出可能な発現がないことによって証明される特定の配列の発現の不存在をも包含する。
「差次的発現」又は「差次的提示」とは遺伝子産物の発現パターン又は量の変更を意味する。「発現パターン」の変更は組織分布の変化、又は本発明のアレイで確認できるハイブリダイゼーションパターンの変化によって示されうる。
【００２０】
「異常細胞」又は「異常組織」という用語は、細胞又は組織において正常細胞又は組織に対して生物学的にネガティブに損なわれている細胞又は組織の状態を意味する。異常状態の例には、限定されるものではないが、癌、炎症、アポトーシス、及び異常遺伝子発現が含まれる。異常細胞又は異常組織は、限定されるものではないが、細菌、酵母、昆虫、鳥、爬虫類及びヒトを含む任意の哺乳動物を含む任意の原核又は真核生物由来のものでありうる。細胞又は組織が哺乳動物である場合、細胞又は組織は、限定されるものではないが、血液、筋肉、神経、脳、乳房、前立腺、心臓、肺、肝臓、膵臓、脾臓、胸腺、食道、胃、腸、腎臓、精巣、卵巣、子宮、毛包、皮膚、骨、膀胱、及び脊髄を含む、任意の細胞又は組織である。
「ドナーブロック」は、例えばここに記載された内部標準調製物のブロック又は凍結組織又はパラフィン包埋組織のブロックを含む、試料がそこからアレイ中に挿入される任意の固体又は半固体物質を意味する。試料又はコアは、限定されるものではないが、Ｂｅｅｃｈｅｒアレイ化機器のような典型的なアレイ化機器を使用することを含む、任意の手段によってドナーブロックから取り出されうる。
ここで使用されるところの「発現」は、ポリヌクレオチドがｍＲＮＡに転写されるプロセス及び／又は転写されたｍＲＮＡ（「転写物」とも呼ばれる）が引き続いてペプチド、ポリペプチド又はタンパク質に翻訳されるプロセスを意味する。
【００２１】
ここで使用されるところの「埋め込み材料」という用語は、ここに定義される標準分子が、生物学的アレイのウェル中に挿入される前又は挿入中に固化すると、調製物中の標準分子の分布が均一である固体内部標準調製物を形成する埋め込み材料の液化形態中に均一に懸濁され得る任意の材料を意味する。本発明の一実施態様では、液化埋め込み材料の固化は冷却によって生じる。本発明の他の実施態様では、埋め込み材料の固化は、ゲル化を生じる酵素反応によって触媒されない。内部標準調製物の固化埋め込み材料はその後アレイ又はアレイスライドについてなされる、アレイ基質を除去するための手順を含む、加工及び分析手順の間にわたってアレイ又はマイクロアレイ中に標準分子を保持する。埋め込み材料は、限定されるものではないが、アガロース（例えば１−４％アガロース）、ウシ血清アルブミン（ＢＳＡ、例えば１−２０％ＢＳＡ）、アガロースとＢＳＡの混合物等々を含みうる。
「流動性」という用語は例えば液体又はソフトゲルのような、自由に流れ又は移動することができる物質の状態を意味するが気体ではない。
ここで使用され、更にここで記載されるところの「凍結細胞アレイ」及び「凍結組織アレイ」という用語は、ウェルが凍結組織又は濃縮細胞懸濁液で満たされ、ウェルがあるパターン、例えば列とカラムの形状に形成されて切片化可能なブロックのアレイを形成する凍結基質材料の切片化可能なブロックを意味する。
「遺伝子」は転写及び翻訳後に特定のタンパク質をコードしうる少なくとも一のオープンリーディングフレームを含むポリヌクレオチドを意味する。
【００２２】
ポリヌクレオチドに適用されるところの「ハイブリダイズ」という用語は、ヌクレオチド残基の塩基間の水素結合によって安定化される複合体を形成するポリヌクレオチドの能力を意味する。水素結合はWatson-Crick塩基対形成、Hoogstein結合によって、又は任意の他の配列特異的な形で生じうる。複合体は二本鎖構造を形成する二本鎖、複数本鎖複合体を形成する３本以上の鎖、単一の自己ハイブリダイズ鎖、又はこれらの任意の組み合わせを含みうる。ハイブリダイゼーション反応は、ＰＣＲ反応の開始、又はリボザイムによるポリヌクレオチドの酵素的切断のような、より広範なプロセス中のある段階を構成しうる。ハイブリダイゼーションが２つの一本鎖ポリヌクレオチド間で逆平行配置で生じる場合、反応は「アニーリング」と呼ばれ、そのポリヌクレオチドは「相補的」であると言われる。二本鎖ポリヌクレオチドは、ハイブリダイゼーションが第１のポリヌクレオチドのストランドの一つと第２のものの間で生じうるならば、他のポリヌクレオチドに対して「相補的」又は「相同的」でありうる。「相補性」又は「相同性」（一つのポリヌクレオチドが他のものと相補的である度合い）は、一般的に受け入れられている塩基対形成則に従って、互いに水素結合を形成すると期待される対向するストランドにおける塩基の割合によって定量化できる。
「インサイツハイブリダイゼーション」という用語は例えば埋め込み材料に導入される組織又は標準材料の薄い切片におけるような、クローン化細菌又は培養真核細胞中における相補的ＤＮＡ又はＲＮＡ配列の存在を検出するためのプローブの使用を意味する。「インサイツハイブリダイゼーション」は、形態学的に保存された染色体、細胞、組織切片、又は全組織断片中の特異的ポリヌクレオチド配列を検出することを可能にする十分に確立された技術である。免疫組織化学法を組み合わせると、インサイツハイブリダイゼーションは顕微鏡でのトポロジー情報をＤＮＡ、ｍＲＮＡ及びタンパク質レベルでの遺伝子活動に関係づけることができる。
【００２３】
「内部標準調製物」という用語は、アレイにおいてアレイの分析を補助するために使用される、ここに定義される埋め込み材料と、ここに定義される標準分子の混合物を意味する。例えば、内部標準調製物は生物学的アレイ中の試料中の生物学的分子、例えば生物学的アレイ中のポジティブ又はネガティブコントロール（ここで定義）を検出するため、又はアレイ中の生物学的又は標的分子の定量のために使用することができる。定量が意図される場合は、内部標準物質は既知量又は検出可能な量で調製物中に存在する。
「インビトロ」研究は生存生物の外部で実施されるものである。「インビボ」研究は生存生物内において実施されるものである。
「リガンド」はレセプターのリガンド結合ドメインが結合し得る分子を意味する。その分子は化学的に合成されるか又は天然に生じうる。
「発光」はその温度の上昇以外の何らかの理由による物質からの光の放出を意味する。一般に、原子又は分子は、「励起状態」から低エネルギー状態（通常、基底状態）まで移動するとき、電磁気エネルギーの光子（例えば、光）を放つ；このプロセスはしばしば「放射減衰」と称される。多くの励起原因が存在する。励起原因が光子である場合、ルミネッセンスプロセスは「光ルミネッセンス」と呼ばれる。励起原因が電子である場合、発光プロセスは「電界発光」と呼ばれる。より詳細には、電界発光は電子-ホール対を形成する電子の直接の注入と除去と、光子を発する電子-ホール対の続く再組み合わせから生じる。化学反応から生じる発光は、通常「化学発光」と呼ばれる。生存生物によって作り出される発光は通常「生物発光」と称される。光ルミネッセンスがスピン許容遷移（例えばシングル一重項遷移、三重項-三重項遷移）の結果である場合、光ルミネッセンスプロセスは通常「蛍光」と呼ばれる。典型的には、そのようなスピン許容遷移を通じて急速に緩和される、短期間で消滅する励起状態の結果、励起源が除かれた後には蛍光発光は持続しない。光ルミネッセンスがスピン禁止遷移（例えば三重項-一重項遷移）の結果である場合、光ルミネッセンスは通常「リン光」と称される。典型的には、そのようなスピン禁止遷移を通じてのみ緩和されうる、長期間続く励起状態の結果、励起源が除かれた後にもリン光発光は持続する。「発光標識」は上述の性質の何れか一つを有しうる。
【００２４】
「基質」という用語は、生物学的アレイに使用されるブロックを形成するために使用される材料を意味する。「基質材料」はそこに配設されるウェルを備えた固体状態を形成可能な任意の材料であり得るが、しかし「基質材料」は少なくとも一の物理的又は化学的性質において（ここに定義された）埋め込み材料とは異なっていなければならない。アレイをスライスし、アレイスライスを平坦な表面、例えばプラットフォーム又はスライド上に配した後、基質材料は除去されてマイクロアレイが形成される。
「マイクロアレイ」、「アレイスライド」、「生物学的マイクロアレイ」及び「細胞マイクロアレイ」という用語は互いに交換可能に使用され、限定されるものではないが、ガラス、プラスチック、金属、シリコンウエハー等々を含むガラス顕微鏡スライド又は他の平坦な剛性表面で、選択されたスクリーニング法と適合性があるもののような、平坦なプラットフォーム又は基部上に取り付けられる生物学的アレイ（ここで定義）の薄い切片を意味する。薄い切片（０．５−３０μｍ、あるいは５−１５μｍ、あるいは６−１２μｍ）は、別個で分離した生物学的試料がプラットフォーム上に分離した試料のパターン（例えば格子又はアレイのような列とカラムのパターン）を形成するように平坦な基部上に取り付けられている。本発明によれば、試料は生物学的アレイのウェル中に細胞又は組織試料を収容するために使用される管又は他の剛性器具又は障壁材料のセクションによって分離されない。マイクロアレイにより、技術者の時間、試薬及び貴重な組織資源の有効利用を最大にしながら多くの標本群の検査が可能になる。マイクロアレイは、潜在的な治療的標的の組織発現パターンの迅速で大規模のスクリーニング及び予後及び治療への応答に関連した分子マーカーの研究に使用することができる。
ここで使用される「天然に生じる」という用語は物に適用され、物を天然に見出すことができることを意味する。例えば、天然の供給源から単離することができ、研究室の研究者によって意図的には修飾されていない（ウイルスを含む）生物中に存在するポリペプチド又はポリヌクレオチド配列は天然に生じるものである。
【００２５】
「正常」試料とはここで定義された異常がない組織又は細胞を意味する。ここで使用される「正常細胞」又は「正常組織」という用語は、悪い生物学的状態を持つ異常細胞と比較した場合に悪い生物学的状態を明らかに持たない細胞又は組織の状態を意味する。正常細胞又は正常組織は、限定されるものではないが、細菌、酵母、昆虫、鳥、爬虫類、及びヒトを含む任意の哺乳動物を含む任意の原核又は真核生物からのものでありうる。細胞又は組織が哺乳動物である場合、細胞又は組織は、限定するものではないが、血液、筋肉、神経、脳、乳房、前立腺、心臓、肺、肝臓、膵臓、脾臓、胸腺、食道、胃、腸、腎臓、精巣、卵巣、子宮、毛包、皮膚、骨、膀胱、及び脊髄を含む任意の細胞又は組織である。
「核酸配列」及び「ポリヌクレオチド」という用語は交換可能に使用される。それらはデオキシリボヌクレオチドであれリボヌクレオチドであれ、任意の長さのヌクレオチドのポリマー形態又はその類似体を意味する。ポリヌクレオチドは任意の三次元構造を持ち得、又は知られていようと未知であろうと任意の機能を生じうる。次のものはポリヌクレオチドの非限定的な例である：遺伝子又は遺伝子断片のコード又は非コード領域、連鎖解析から定まった遺伝子座（遺伝子座群）、エキソン、イントロン、メッセンジャーＲＮＡ（ｍＲＮＡ）、転移ＲＮＡ、リボソームＲＮＡ、リボザイム、ｃＤＮＡ、組換えポリヌクレオチド、分岐ポリヌクレオチド、プラスミド、ベクター、任意の配列の単離ＤＮＡ、任意の配列の単離ＲＮＡ、核酸プローブ、及びプライマー。ポリヌクレオチドは、メチル化ヌクレオチド及びヌクレオチド類似体のような修飾ヌクレオチドを含みうる。存在する場合、ヌクレオチド構造に対する修飾はポリマーの構築の前又は後に付与されうる。ヌクレオチドの配列には非ヌクレオチド成分が介在しうる。ポリヌクレオチドは重合の後に、例えば標識成分との結合のように、更に修飾されうる。
【００２６】
「最適切断温度媒体」、「OCT媒体」及び「OCT」という用語はここでは互いに交換可能に使用され、固体の場合（例えば凍結による）、約６ミクロン又はマイクロメートルから約１２ミクロン又はマイクロメートルの薄い切片に切断され、その状態で扱われうる化学製剤を意味し、その切片は続いて平坦な平面に取り付けられて、凍結組織マイクロアレイ、又はここで開示したような凍結細胞マイクロアレイを産生する。ＯＣＴは一般に樹脂-ポリビニルアルコール、抗真菌剤として作用する塩化ベンザルコニウム及び凍結温度を低下させるポリエチレングリコールを含有する。Lab-Tek Instruments Co., Westmont ILにより製造されたもののようなＯＣＴ媒体は３通りの温度範囲、−１０℃から−２０℃、−２０℃から−３５℃及び−３５℃から−５０℃の３タイプがある。
ここで用いられるところの「オリゴヌクレオチド」という用語は、典型的には合成手段によって調製される、一本鎖ＤＮＡ又はＲＮＡ分子を意味する。本発明において用いられるオリゴヌクレオチドは通常５０から２００ヌクレオチド長、好ましくは８０から１２０ヌクレオチドであるが、任意の長さのオリゴヌクレオチドがある状況下では適切であろう。好適なオリゴヌクレオチドは、Beaucage及びCarruthers, Tet. Lett. 22:1859-1862 (1981)に記載されたホスホラミダイト法、又はMatteucci等, J.Am.Chem.Soc. 103:3185(1981)によるトリエステル法、あるいは市販の自動オリゴヌクレオチド合成機を使用するような他の方法によって調製することができる。
「プラスミド」という用語は、正常な細菌ゲノムとは区別され、非選択的条件下での細胞生存には非必須の自己複製する染色体外環状ＤＮＡ分子を意味する。ある種のプラスミドは宿主ゲノム中に組み込まれ得る。多くの人工的に構築されたプラスミドがクローニングベクターとして使用される。
「複数」という用語は二以上を意味する。
【００２７】
「ポリペプチド」、「ペプチド」及び「タンパク質」という用語は任意の長さのアミノ酸のポリマーを指すために交換可能に使用される。ポリマーは直鎖状又は分岐状であり、修飾されたアミノ酸を含み得、また非アミノ酸が介在しうる。その用語はまた修飾されたアミノ酸ポリマー、例えばジスルフィド結合形成、グリコシル化、脂質付加、アセチル化、リン酸化、あるいは標識成分との結合のような任意の他の操作を包含する。
ここで使用されるところの「プローブ」という用語は、天然に生じるものであれ、合成法によって製造されるものであれ、例えば凍結細胞試料、組織試料又は標準物質に検出される核酸配列の全て又は一部に相同か又は相補的であるオリゴヌクレオチドを意味する。プローブは好ましくは適切な条件下でそれが試料又は標準物質中の核酸配列に特異的にハイブリダイズ可能なように選択される。
「プロモーター」という用語は、それが作用可能に結合された遺伝子又は配列の転写を制御するポリヌクレオチド配列を意味する。プロモーターは、ＲＮＡポリメラーゼ結合部位及び転写開始部位を含む。一般に、遺伝子又は配列の発現が考えられている環境において機能的であることが知られているプロモーターが選択される。例えば、発現環境が細胞、例えば細菌又は哺乳動物細胞である場合、細菌又は哺乳動物プロモーターが通常使用される。あるいは、発現環境がインビトロである場合、プロモーターは選択されたインビトロポリメラーゼ活性に対して機能するものである。
「レシピエントブロック」は、限定するものではないが、細胞懸濁液、細胞ペレット、組織コア、及びここに記載の内部標準調製物を含む、アレイの試料を収容するためのそこに形成されたウェルのアレイを有するか又はそれを有し得る、アレイで使用される固体基質を意味する。
【００２８】
「固体」相又は状態は、液体又は流体と気体と共に、物質の３つの基本的な状態の一つを意味する。これらの３つの状態のうち、固体状態はその形状を変化させる力に抵抗する最も大なる傾向を持っており、よって、その形状と体積は固定され、それが利用できる空間によって影響を受けない。
「ＳＱＨ２Ｏ」という用語はヌクレアーゼを含まない分子生物学グレードの水を意味する。
「標準分子」という用語は、その既知の組成又は濃度が、組織又は凍結細胞マイクロアレイのようなアレイ中の他の生物学的分子の存在、組成、構造及び／又は濃度を分析するのに使用される、ここで定義された任意の生物学的分子及び任意の他の分子を意味する。ここで使用されるところの標準分子は、限定するものではないが、ポリヌクレオチド、ポリペプチド、非ポリペプチドホルモン、サイトカイン、代謝物、代謝前駆体、薬物、並びにプローブの非特異的バインダー、例えば外科用染料、ベントナイト、及びセルロースを含む。標準分子がＨＥＲ２コードポリヌクレオチドである場合、そのポリヌクレオチドはＨｅｒ２遺伝子の少なくとも２０、５０、１００、又は２００あるいは更に多くの隣接ヌクレオチド又はその相補配列を含む。標準分子がＶＥＧＦコードポリヌクレオチドである場合、そのポリヌクレオチドはＶＥＧＦ遺伝子の少なくとも２０、５０、１００、又は２００あるいは更に多くの隣接ヌクレオチド又はその相補配列を含む。標準分子がＨＥＲ２ポリペプチドである場合、そのポリペプチドはＨＥＲ２ポリペプチドの少なくとも１０、２０、５０、又は１００あるいは更に多くの隣接アミノ酸を含む。標準分子がＶＥＧＦポリペプチドである場合、そのポリペプチドはＶＥＧＦポリペプチドの少なくとも１０、２０、５０、又は１００あるいは更に多くの隣接アミノ酸を含む。
【００２９】
「温度感受性基質」はその温度が凍結温度より低くなると流体又は液体状態から固体状態に変化する材料を意味する。凍結温度は変わり得、各特定の温度感受性基質材料の成分に依存する。凍結細胞又は組織アレイに使用される温度感受性基質の凍結温度は、アレイに含まれる細胞及び／又は組織の凍結温度より、例えば３℃、５℃、１０℃低く、又は細胞又は組織の凍結温度より更に低い。更に、温度感受性基質材料はその凍結状態での切断を容易にする。
ここで用いられ、更にここで記載される「組織アレイ」という用語は、生物学的組織のコアのアレイとして百から千を越える個々の組織試料を典型的には含み、各コアが個々のドナー組織試料から穿孔され、切片化可能なブロック中の特定の格子座標位置に埋め込まれている、パラフィンブロック又は凍結アレイブロックのような、切片化可能なブロックを意味する。
「組織マイクロアレイ」及び「ＴＭＡ」という用語はここでは互換可能に使用され、組織又は細胞の列とカラムがプラットフォーム上に試料の格子（アレイ）を形成するように、平坦なプラットフォーム又は基体上に取り付けられた組織アレイ又は凍結組織アレイの薄い切片を意味する。組織マイクロアレイは、技術者の時間、試薬及び貴重な組織資源の効率的な利用を最大化しながら多くの標本列の検査を可能にする。組織アレイは、潜在的な治療標的の組織発現パターンの迅速で大きなスケールのスクリーニング及び予後と治療への応答に関連する分子マーカーの研究に使用することができる。 
「転写」という用語はＤＮＡ鋳型を用いてＲＮＡポリメラーゼによってＲＮＡを合成することを意味する。      
「翻訳」という用語はｍＲＮＡが有する遺伝暗号をアミノ酸からのタンパク質の合成に向ける方法を意味する。
試料に関する「処置された」という用語は、動物、組織、及び／又は細胞に治療物、例えば製薬薬物又は薬剤、あるいはアレイのための生物学的試料を調製するために使用される細胞又は組織内での標準又は生物学的分子の発現に影響を及ぼしうる興味のある他の任意の試薬を投与することによって、試料を調製するために続いて使用される（例えば動物、動物の組織、細胞株、又は細胞懸濁液中の）細胞の処置を意味する。
【００３０】
凍結アレイを作製するための方法と装置
図１−４に示すように、本発明の一実施態様に係るアレイ化装置は温度感受性基質１６０を含むモールド１４０にウェルのアレイを生成するために使用されるアレイヤー１００を含む。図１に最もよく示されているように、アレイヤー１００は、プレキシグラス、プラスチック、セラミック、ガラス、金属又は木材のような剛性材料製の基部１０２と基部１０２から突出する複数のピン１２０を具備する。ピン１２０の各々は基部１０２に固定された又はその内部の第一端１２２と第二自由端１２４を有する。ピン１２０は例えばヒートシール等のシールが施され、基部１０２に又は基部１０２中にエポキシでの接着等のように固定されているガラス又は金属（鈍角(ブラント)ガラス）製の一又は複数の鈍角端部を持つ中空のチューブを含む、任意のタイプの材料製でありうる。ピン１２０の各々の自由端１２４はシーラー、例えば金属、プラスチック、糊剤、接着剤、エポキシ又は他の等価なポリマーで塞がれている。ピン１２０は金属、セラミック、及びプラスティックなど、０℃より低い温度にも耐えることができる任意の強固な材料製でありうる。更に、ピン１２０は中空又は中実の管体とできる。ピン１２０は円形断面形状、又は限定するものではないが矩形、楕円等々を含む生物学的試料を保持するためのウェルをつくり出すのに適した任意の断面形状を持ちうる。
【００３１】
モールド１４０は、正方形、長方形、楕円形等々を含む任意の形状及びサイズであり得、顕微鏡スライド又はトレイのような適切な分析具に適合するようなスライスを提供するようなサイズ及び形状でありうる。一実施態様では、モールド１４０は矩形形状であり、図２に示すように４の側面１４２と底部１４４を有している。
基質１６０は基質材料の凍結温度より温度が低くなると流体又は液体状態から固体状態に変化する温度感受性材料を含んでなる。更に、温度感受性基質材料はその凍結又は固体状態において切断を容易にする。一つの有用な温度感受性基質材料は樹脂-ポリビニルアルコール及びポリエチレングリコールを含む。他の有用な温度感受性基質は最適切断温度媒質（「ＯＣＴ媒質」）であり、樹脂-ポリビニルアルコール、抗真菌剤、例えば塩化ベンザルコニウム、及び凍結温度を低下させるためのポリエチレングリコールを含有する。ＯＣＴ媒質は市販されており、例えばLab-Tek Instruments Co., Westmont ILが−１０℃から−２０℃、−２０℃から−３５℃、及び−３５℃から−５０℃の３通りの凍結温度範囲のＯＣＴを製造している。
【００３２】
凍結アレイを作製するには、アレイヤー１００のピン１２０を、先ず、例えばグリセロール、油、脂肪酸、グリース、ゲル、脂肪、石鹸等々のような潤滑材料に浸漬し、ついでその流動性状態の温度感受性基質１６０中に部分的に浸漬し、ピン１２０の自由端１２４がモールド１４０の底部１４４に接触しないようにモールド１４０に配設されうる。アレイヤーピン１２０は温度感受性基質１６０とモールド１４０に係合させられる一方、基質１６０はその温度を温度感受性基質の凍結温度より低く、例えば少なくとも３℃、５℃、１０℃又はそれ以上低下させることによって凍結される。モールド１４０は、例えばイソペンタンの極低温浴中にモールド１４０を沈めることにより、瞬時に凍結されうる。別法としては、モールド１４０はフリーザーに配して、液体窒素で凍結させ、又はドライアイス上に配してもよい。この方法を使用すると、温度感受性基質１６０はモールド１４０中のピン１２０の周りで固化する。温度感受性基質１６０が凍結した後、モールド１４０からアレイヤーピン１２０を除去して、図３に示すようなアレイレシピエントブロック１８０中に形成されたウェル１７０のアレイを生じる。凍結レシピエントブロック１８０中のウェル１７０はピン１２０の数と形状に対応しており、図２に示されるように基質を部分的にだけ通って延びる。このようにして製造されると、凍結アレイレシピエントブロック１８０は試料を保持するためのガラス又はプラスチック管のような障壁材料を必要としない。代わりに、凍結レシピエントブロック１８０に形成されたウェル１７０中に試料を直接充填することができ、よってアレイを製造しスライスすることが容易になる。アレイレシピエントブロック１８０はスライス化の前にモールド１４０から除去される。モールド１４０の除去後、ウェル１７０の各々はピン１２０の一つが通過し基質１６０を抜き出た第一の開口端１７２と基質１６０内の第二の閉止端１７４を有している。レシピエントブロック１８０は、一又は複数の試料がウェル１７０中に充填されるまで凍結固体状態に温度感受性基質１６０を維持するのに十分な温度に保存される。別の実施態様では、凍結レシピエントブロックは、温度感受性基質の凍結温度より少なくとも３Ｃ低い、あるいは少なくとも５Ｃ低い、あるいは温度感受性基質の凍結温度より少なくとも１０Ｃ低い温度に保存される。
【００３３】
細胞懸濁液、細胞ペレット、組織コアのような一又は複数の試料は試料の凍結アレイを形成するために、凍結レシピエントブロック１８０のウェル１７０中に直接挿入される。細胞懸濁液のような生物学的試料を凍結レシピエントブロック１８０のウェル１７０中に直接挿入すると、細胞はウェル１８０内で瞬時に凍結する。このようにして、細胞は固定液、保存料又は他のタイプの化学処理を必要とすることなく保存される。組織試料に関して、ビーチャー・インストルメントのようなアレイ化機器を用いて組織試料、例えば液体窒素を使用して瞬間凍結された組織からコアを穿設する。別法として、組織コアはドナーブロックから手作業で穿設することができる。これらの凍結組織は同様なアレイ化機器を使用してウェル１７０中に挿入される。凍結レシピエントブロック１８０は同様にして組織コアの凍結温度を維持し、それによって、固定液又は他のタイプの化学処理なしにアレイレシピエントブロック１８０中に組織を挿入することができるようになる。
【００３４】
試料を含むレシピエントブロック１８０は、ウェル１７０の長軸に直交して水平にスライスして一又は複数の凍結アレイスライス１８２を形成することができ、これがついで図４に示されるように顕微鏡スライド１８４又は他の分析台に適用され、凍結細胞又は組織マイクロアレイが形成される。各アレイスライスはスライスがなされる前にアレイのウェル１７０の各々内に収容されていた試料に対応する試料のスポット（又は横断切片）１９０を有している。一又は複数のアレイスライス１８２はスライド１８４の各々の上に配されうる。スライド１８４は同様に使用されるまで凍結温度で保存されうる。分析のためには、スライドを処理して基質材料を除去し、顕微鏡スライド上にスポットのマイクロアレイを形成することができる。基質は、例えば水性バッファー、キシレン、アセトンなどの様々な種類の薬品を使用して除去することができる。スライド１８４を単に室温に放置することによって、温度感受性基質、例えばＯＣＴを溶融させて、スライド１８４からそれを簡単に除去することができる。限定するものではないが、インサイツハイブリダイゼーション、免疫化学法、ＰＣＲ、及びリガンド／レセプター結合手順を含む、顕微鏡スライドで実施することができる実質的に任意の種類の分析手順又は分子分析法を凍結アレイから作製されたマイクロアレイで実施することができる。
【００３５】
図５に示されるように、本発明の他の実施態様は基部１０２に固定されて又は基部１０２内に複数のピン２２０を有するアレイヤー２００を含む。ピン２２０はそれぞれ基部１０２に又はその内部に第一端２２２を、また第二の自由端２２４を有する。ピン１２０と同様に、図１に示されるように、ピン２２０はヒートシールが施され、基部１０２にエポキシで接着された鈍角(ブラント)ガラス製でありうる。ピン２２０の各々の自由端２２４はシーラー、例えば金属片及びエポキシで塞がれている。ピン１２０とは異なり、ピン２２０は、シーラー内に沈み自由端２２４を越えて延びる針体２２６のような小さい長い付属器を有している。上述したように、ピン２２０を用いて、アレイレシピエントブロック２８０中に複数のウェル２７０をつくり出す。しかしここでは、ピン２２０は、ピン２２０の自由端２２４がモールド１４０の底部１４４に接触するようにモールド１４０にその流動性状態で温度感受性基質１６０中に完全に挿入される。この手順を用いて、ピン２２０は、アレイレシピエントブロック２８０がモールド１４０から除去されると、レシピエントブロック２８０全体にわたって延び、二つの開口端２７２及び２７４を有するウェル２７０のアレイをつくり出す。このようにして、組織コアのような固形飼料をウェル２７０の開口端２７２を通して挿入することができ、反対の開口端２７４が例えばウェル内の空気を逃がし、それによって圧力を幾らか軽減し、固形試料をウェル２７０中に挿入するのを容易にする経路を提供する。更に、ウェル２７０は、それぞれがピン２２０と針体２２６の直径にそれぞれ対応する直径を有する二つの部分２７６及び２７８を有している。第二部分２７８の小さなサイズは固形コアがウェル２７０内に挿入される場合、固形コアに対して停止機構を提供する。
【００３６】
図６は本発明の更なる実施態様を示している。アレイヤー３００は基部１０２に固定され又はその内部にある複数のピン３２０を有している。ピン３２０はそれぞれ基部１０２に又はその内部に第一端３２２と第二の自由端３２４を有している。ピン３２０は任意の固体材料、例えば金属又はガラス製でありうる。ピン３２０の各々の自由端３２４は先細になって尖端部３２６を形成している。上述のように、ピン３２０はアレイレシピエントブロック３８０中に複数のウェル３７０をつくり出している。ピン３２０は、ピン３２０の自由端３２４がモールド１４０の底部１４４に接触するようにモールド１４０のその流動性状態で温度感受性基質１６０中に十分に挿入される。この手順を使用して、レシピエントブロック３８０がモールド１４０から除去されると、レシピエントブロック３８０全体を延び二つの開口端３７２及び３７４を有するウェル３７０のアレイをつくり出す。ウェル３７０の開口端３７４は蔭３２０の点状部３２６のサイズに対応する小開口部３７６を有している。開口部３７６は凍結組織コアのような固形試料がウェル３７０中に挿入された場合にウェル３７０内の空気を逃がすための経路を提供する。
【００３７】
アレイの内部標準
本発明の一実施態様では、一又は複数の内部標準調製物は、ここで検討されるような、アレイ、例えば組織マイクロアレイ、細胞アレイ、又は凍結組織又は細胞アレイにおいて、細胞又は組織中のような生物学的分子、例えば核酸、ポリペプチド、タンパク質、及び抗体又は他の分子を含む、選択された分子を検出又は定量するために使用することができる。内部標準調製物はアレイのウェル中に挿入することができる内部標準調製物を形成するために、埋め込み材料中に導入された既知量の生物学的分子のような標準分子を含む。内部標準調製物はインビトロ翻訳タンパク質、インビトロ転写ＲＮＡ、プラスミド又はＰＣＲ増幅ＤＮＡ、細胞ホモジネートを、担体タンパク質、例えばウシ血清アルブミン（ＢＳＡ）、ポリカチオン、例えばプロタミン、スペルミン又はスペルミジン、あるいはアレイ中の生物学的又は標準分子を定量するのに役立つ任意の他の物質と共に含みうる。
内部標準調製物を利用するアレイ及びマイクロアレイは次のようにして作製される。一又は複数の内部標準調製物を、アレイレシピエントブロック内に配設された複数のウェルの一又は複数中に挿入される。組織、細胞懸濁液、又は細胞ペレットのような試料をアレイレシピエントブロックの他のウェル中に挿入してアレイを形成する。そのアレイをスライスし、一又は複数のアレイスライスを、例えば分析用の顕微鏡スライド上に配する。水性バッファー、キシレン、シトルリン、アルコール又は他の有機溶媒、液体ＣＯ２（臨界点乾燥）又は蒸発を含む、様々な技術及び／又は化学薬品を使用してマイクロアレイ又はアレイから基質材料を取り除くことができる。内部標準調製物は、加工、例えば基質材料の除去、及びアレイスライドで実施される分析手順を通してアレイスライド上に標準分子を保持することを可能にする。基質材料はアレイスライドの加工の全体を通じて除去されるので、埋め込み材料は、例えば、溶解度、温度感受性（例えば凍結温度、融解温度等）、ｐＨ、又はマイクロアレイを調製するために使用される平坦な基体に対する親和性を含む、少なくとも一の物理的又は化学的性質が基質材料と異なっていなければならない。
【００３８】
図７は内部標準調製物を使用するマイクロアレイ５００を示す。マイクロアレイ５００は顕微鏡スライド５０２に取り付けられ、１−５と標示される５つの列と、Ａ−Ｆと標示される５つのカラムに組織化された内部標準調製物又は試料のスポット（又は横断切片）のアレイを有している。内部標準調製物５０４の５つのスポットはマイクロアレイ５００の位置Ａ１−Ａ５を占める。組織試料５０６の２０のスポットは残りの位置を占める。
例えば、インサイツハイブリダイゼーション、免疫組織化学法等々を含む、様々な分析手順 又は分子分析法を、例えば標準分子の存在を検出又は検査するために、アレイスライドについて実施することができる。これらの分析手順に関連して、検出可能に標識された化合物、例えば発光標識、蛍光標識、放射標識等々のような検出可能なシグナル又は標識を有するプローブ又はポリペプチドが使用される。検出可能に標識された化合物の例には、標識プローブ、標識ポリペプチド、例えばモノクローナル抗体、抗体結合断片、レセプター、レセプターＥＣＤ、又はレセプターのリガンド結合断片、及び結合タンパク質、例えば抗体抗原、レセプターリガンド、ビオチン、又はストレプトアビジンが含まれる。ついで、様々な装置と方法を用いて標識を検出することができ、例えばホスフォイメージャー又はＣＣＤカメラ又は他の画像処理装置を使用して全アレイスライドの上の標識を記録することができる。内部標準調製物中の標準分子の量は既知であるので、内部標準調製物の分析で得られた定量的シグナル又は結果を、試料の分析で得られたシグナル又は結果と相関させ、試料中に存在する標準分子の量を決定することができる。
【００３９】
また、内部標準調製物はポジティブコントロールとして作用しうる。例えば、試料がポジティブな結果を示さなかった場合には、分析手順の完全性を、内部標準調製物に対して得られたポジティブな結果に対して分析することができる。ネガティブコントロール、例えば、標準分子を含まない内部標準物質又はネガティブな結果を示すことが予想等される分子を含む内部標準物質をアレイレシピエントブロックの他のウェル中に導入することもできる。
一実施態様では、合成ＲＮＡのような生物学的分子が内部標準調製物に使用されうる。クローン化ＤＮＡ配列を、合成ＲＮＡ内部標準調製物を産生するために使用することができる。例えば、ヒトＶＥＧＦ(Leung, D.W.等 Science 246, 1306-1309 (1989))、Ｈｅｒ２／ＥｒｂＢ２(Coussens, L.等 Science 230, 1132-1139 (1985))、細胞質アクチン、及びイセルアルデヒドデヒドロゲナーゼ等々を含む、例えば３００００を越えるヒト遺伝子があると考えられる。これらの遺伝子のＲＮＡ転写物又はその断片、並びに将来記載されるその他のものを合成し、埋め込み部材に導入し、これら遺伝子の一又は複数の発現を分析するために設計されたアレイ中で内部標準調製物として使用され得る。
ここに記載されたアレイ及び内部標準調製物は、細胞生体分子の分析のための既知の方法及び手順において、例えば新規ｃＤＮＡ配列によって表される遺伝子の組織特異的発現を特徴付ける（つまり組織ｍＲＮＡ量を測定する）ために使用することができる。標準的技術を用いて、合成センス配向ＲＮＡ鎖を産生するためにｃＤＮＡを使用することができる。このＲＮＡ鎖は固体埋め込み材料、例えばアガロース、ポリアクリルアミド、ゼラチン、又はＢＳＡのような凝集（変性）タンパク質に導入することができ、アレイにおいて、様々な対象組織のような、試料とパラレルに「標的」又は内部標準物質として使用することができる。つまり、アレイは少なくとも一つのウェルにＲＮＡ内部標準調製物を含み、一又は複数の試料がアレイの他のウェルを占める。アレイ全体がスライスされ、スライスは例えば顕微鏡スライド上に配され、ＲＮＡ標準物質と均一であり後での検出が可能になるように標識されているアンチセンスＲＮＡ又はＤＮＡのような、分子プローブを用いて好適なハイブリダイゼーション条件下で探索される。例えば、ＲＮＡ又はＤＮＡプローブはフィルム又はホスフォイメージャーにより検出することを可能にする発光標識又は放射性同位体を含むかもしれない。あるいは、ＲＮＡ又はＤＮＡプローブは、標準的な技術を用いてプローブの位置を明らかにしうる酵素又は他のマーカーに結合させられた適切な抗体又はタンパク質（例えばストレプトアビジン）を用いて間接的に検出されうるジゴキシゲニン、ビオチン、又はＦＩＴＣ（フルオレセインイソチオシアネート）のような抗原を含むかもしれない。あるいは、ＲＮＡ又はＤＮＡプローブは標識プローブに続いてハイブリダイズする配列を含む。
【００４０】
組織の試料への適切なプローブの結合は、組織中に存在するセンスｍＲＮＡの量に比例している。アンチセンスプローブはまた内部標準調製物に含まれるセンスＲＮＡに結合する。内部標準調製物中のＲＮＡの量が既知であるので、使用中のｍＲＮＡの量は、内部標準調製物のシグナル強度を試料のシグナル強度に相関させることによって決定することができる。発現の数値（検出可能な標識の量）は、発光標識、例えば化学発光、蛍光又は放射性シグナルを堅守するための、例えばホスフォイメージャー、ＣＣＤカメラ、又は他の電子的画像システムを含む、多くの方法で得ることができる。典型的には、これらのシステムは、例えばAdobe Photoshop、Scion IMAGE、NIH IMAGE、及びPhoretix Array2を含む様々なソフトウェアツールを使用して分析し定量することができる電子イメージファイルをつくり出す。確かに、この方法を使用すると、試料中のｍＲＮＡの特定の数値量、例えば組織試料中のｍＲＮＡの単位体積当りの分子を決定することが可能になる。
良好に制御された手順では、組織に結合したプローブの量はその組織中の対応する遺伝子の発現レベルの一つの目安である。しかし、組織へのプローブ結合が検出可能ではない分析方法は適切なポジティブコントロール試料なしには解釈が難しい。しかし、上述の内部標準調製物を試料組織と平行して分析し、アンチセンスＲＮＡプローブに適切に結合すれば、分析手順の技術的完全性が確認できる。換言すれば、組織試料中のネガティブな結果は、コントロール内部標準調製物がポジティブな結果を示している場合は、技術的な手順の失敗というよりも、真のネガティブであると解釈することができる。もちろん、この解釈は、組織試料が良好に保存され、ＲＮＡプローブへハイブリダイズ可能なｍＲＮＡを含んでいることをまた知っている研究者に依存する。試料の完全性は、同じアレイからのスライスを含む２組のスライドで平行の分析手順を実施し、細胞質β-アクチン及びグリセルアルデヒドデヒドロゲナーゼ等々のような、よく知られた豊富で広く発現される遺伝子に相同なプローブを使用することによって決定することができる。よく知られたアンチセンスプローブが組織試料に結合し、対応するセンスプローブが結合しない場合、組織試料の完全性が確認できる。
【００４１】
アレイに使用される内部標準物質はＲＮＡ又は他のポリヌクレオチドに限定されず、限定されるものではないがＤＮＡ及びポリペプチド又はタンパク質を含む任意の生物学的又は標準分子を用いて調製することができる。例えば、研究者は、コントロールとしてインビトロ合成タンパク質試料又は天然タンパク質試料を、アガロースのような埋め込み材料に導入して、タンパク質内部標準調製物をつくることによって、組織試料中の特定のタンパク質の発現を評価することができる。標準タンパク質は、検出可能に標識されたモノクローナル又はポリクローナル抗体、レセプター又はレセプターリガンドのような特定の試薬を用いて検出できる。タンパク質内部標準調製物は、抗体が反応させられる標的として様々な組織試料と並列に使用することができる。つまり、アレイ内に配設された複数のウェルの一又は複数はタンパク質内部標準調製物を含み、アレイ内に配設された複数のウェルの一又は複数は組織試料を含む。このようにして、内部標準調製物は試料中のタンパク質の発現の定量化を可能にし、また手順の完全性に対するポジティブコントロールとして作用する。組織試料中のタンパク質の発現は、内部標準調製物中の抗体反応の結果を、試料中の抗体反応の結果と相関させることによって定量することができる。更に、抗体がタンパク質内部標準調製物の標準タンパク質と反応する場合、何れの組織試料も抗体と反応しなくとも、抗体染色反応の手順完全性が確認される。
上述の内部標準調製物は任意の試料中の任意の選択分子の量を決定するために用いることができる。アレイに使用される試料は、例えば正常組織、異常組織、炎症組織、腫瘍、様々な発達段階の組織を含む、任意の対象試料からなり得、ここで細胞は選択分子、細胞懸濁液及び細胞ペレットの発現に影響を及ぼしうる様々な試薬で処理されている。標準分子には、限定されるものではないが、ポリヌクレオチドの異なった配向（センス又はアンチセンス）又はスプライシング変異体、例えばＲＮＡ又はＤＮＡ、及び／又はタンパク質の異なったアイソフォーム（完全長又は部分配列）が含まれうる。内部標準調製物は、限定されるものではないが、複数種のポリヌクレオチド及び／又は複数種のポリペプチドを含む、一を越える標準分子を含み得る。
【００４２】
内部標準物質の生物学的又は標準分子は、（１）アレイのウェル中に標準分子を挿入することを可能にし；（２）アレイ又はアレイスライドについて実施される加工及び分析手順の全体にわたってアレイ又はアレイスライド中に標準分子を保持する、任意の埋め込み材料に埋め込むことができる。埋め込み材料は、例えばアガロースを、単独に、又はＢＳＥと組み合わせて、及び／又は内部標準調製物から標準分子が拡散して逃げるのを防止する担体タンパク質を含み得る。また、標準分子に対するエンベロープを提供する材料が、標準分子のアレイ基質中への核酸を防止するために内部標準調製物中に含められうる。例えば、赤血球ゴースト又はリポソームは、ＲＮＡ分子がアレイ基質中に拡散するのを防止するためのＲＮＡのエンベロープとして作用しうる。適切な固定液の選択は調製中の標準試料からのＲＮＡの核酸を最小にする。埋め込み材料の濃度と材料は、内部標準調製物が固体又はゲル状状態を形成することを可能にするように選択されなければならない。しかしながら、注意をして材料と濃度を選択しなければならず、例えば、内部標準調製物が剛性になりすぎるのを防止し、ドナーブロックから内部標準調製物を除去し、アレイのウェル中に内部標準調製物を挿入する能力を阻害しうるアガロースを選ばなければならない。また、剛性すぎる内部標準調製物はアレイをスライスするのを困難にする。固体又はゲル様状態を形成する埋め込み材料の例には、例えば、約１−３％のアガロースと約１−２０％の範囲のＢＳＡが含まれる。別法として、埋め込み材料は約２％アガロースと約１−５％ＢＳＡを含み得る。ＢＳＡを伴わない約２％のアガロースの濃度は良好に作動し、過度に剛性にならないで固体又はゲル様状態を形成する。
【００４３】
一実施態様では、内部標準調製物は一般に一又は複数の生物学的分子を単離し、その生物学的分子を埋め込み材料と混合し、その混合物をアレイ中に挿入するように準備することによって作製される。内部標準調製物は多くの方法でアレイ中に挿入することができる。例えば、内部標準調製物はモールド中に注ぎ込み、ゲルドナーブロックに固化させ又はこれを形成することができる。内部標準ドナーブロックはモールドから除去され、内部標準ドナーブロックからコアが、Beecher機器又はパンチのような、典型的なアレイ化機器を用いて取り出される。内部標準調製物ドナーブロックのコアはついで標準的なアレイ化機器を使用して任意のアレイレシピエントブロックのウェル中に挿入されうる。別法として、内部標準調製物は、例えばゲルになる前に、任意のタイプの針、シリンジ又は漏斗を用いて、流動状態のアレイレシピエントブロックのウェル中に挿入することができる。この場合、内部標準調製物はレシピエントアレイブロックのウェルに固体又はゲルを形成する。凍結アレイの場合では、流動性内部標準調製物は凍結アレイレシピエントブロックのウェル中に直接挿入され、ウェル内で凍結する。
本発明の他の実施態様では、複数の異なる内部標準調製物がアレイに収容されうる。例えば、複数の異なる内部標準調製物のそれぞれは濃度の標準曲線をつくり出すために異なった濃度の同じ生物学的分子を含みうる。すなわち、アレイは、組織又は細胞株の試料のアレイ中の生物学的分子の検出のレベルを定性的又は定量的に評価するために生物学的分子の濃度範囲の標準曲線範囲を有する内部標準調製の複数のコアを含みうる。この実施態様では、内部標準物質は、それぞれが異なった濃度の生物学的分子を有する複数の混合物及び／又はドナーブロックが作製される場合を除き、上述のように調製される。
【００４４】
本発明の他の実施態様では、限定するものではないが、複数タイプのポリヌクレオチドと複数タイプのポリペプチドを含む、同じ内部標準調製物中に複数の異なった生物学的分子を使用して、汎用性のある内部標準調製物が作製される。この汎用性のある内部標準調製物はアレイ中の複数のタイプの生物学的分子を検出し、及び／又は定量することを探求する多くのタイプの分析手順で使用することができる。
他の実施態様では、内部標準調製物はアレイ中に配向マーカーとして使用することができる。光学顕微鏡を用いた配向では、有色の外科用染料が埋め込み材料に混合され、上述のようにアレイ中に挿入される。ホスフォイメージャーでの配向に対しては、例えば生物学的分子の非特異的バインダーのような標準分子が埋め込み材料と混合され、上述のようにアレイ中に挿入される。非特異的バインダーにはベントナイト及びセルロースが含まれる。非特異的バインダーはアレイ上で実施される分析手順において使用されるあらゆるプローブに結合し、よって配向マーカーを含むスポットに対してポジティブな結果を生じる。内部標準調製物配向マーカーは、アレイの一側の非対称パターンにおけるように、アレイ全体の戦略的位置に位置する一又は複数のウェルに配することができ、アレイスライド上で実施される分析手順の結果を調べるときにアレイの配向を示す案内又はマップを提供する。
【実施例】
【００４５】
次の実施例は本発明を例証するためのもので限定するためのものではない。これらは典型的に使用されうるものであるが、他の手順も当業者には知られており、また使用することができる。
【００４６】
実施例１
ＲＮＡ／アガロース内部標準調製物
本実施例は、アレイの作製に使用される基質材料とは異なる固形埋め込み材料中に既知量の生物学的分子を有する内部標準調製物を使用して細胞又は組織中のＲＮＡのような生物学的分子を分析するための本発明の有用性を証明する。特に、本実施例は、アレイについて実施される加工及び分析手法の間にわたってＲＮＡ分子が保持されるようにアレイで使用する内部標準調製物を形成するためにアガロース及びＢＳＡ中に特異的ＲＮＡ分子を埋め込むためのアプローチ法を証明する。埋め込まれたＲＮＡは単に手順の成功のための陽性コントロールとして、手順の方法を改良する基本的アッセイの成分として、又は結局は組織又は細胞中の遺伝子発現の比較レベルを評価するための定量的標準として使用することができる。
【００４７】
生物学的分子の調製
ＲＮＡ、例えばヒトＨｅｒ２／ｃ−ＥｒｂＢ２を次の手順を使用してインビトロで転写させた。その手順はLu LH, Gillett NA. Cell Vision 1:169-176(1994)に記載されており、ＰＣＲ産生３３Ｐ標識プローブを使用したインサイツハイブリダイゼーションの最適化プロトコールである。別法としては、Ambion Maxiscript又はAmbion Megascriptキットを使用してこの手順を実施することができる（Ambion, Austin, Texas）。先ず、次のものをシリコーン処理した１．５ｍｌのマイクロチューブ（Eppendorf）に添加した：ＲＮＡポリメラーゼプロモーター配列（例えばバクテリオファージＴ３又はＴ７プロモーター）が隣接したＰＣＲ増幅ｃＤＮＡ断片を有するヒトＨｅｒ２／ｃ−ＥｒｂＢ２遺伝子をコードする１μｇの線形二本鎖ＤＮＡ鋳型（Coussens, L.等, Science 230: 1132-1139 (1985)）(Genentech, South San Francisco, CA)；２μｌの１０Ｘ反応バッファー；８μｌの高濃度ｒＮＴＰｓ；どのプロモーターを使用したかに依存した２μｌのＴ３又はＴ７ポリメラーゼ酵素混合物；及び２０μｌの最終容積までのヌクレアーゼ非含有水。混合物を合成ＲＮＡを合成するために３７℃で４時間インキュベートした。別法として、ＤＮＡ鋳型はＲＮＡポリメラーゼ（例えばバクテリオファージＴ３及び／又はＴ７）プロモーターが隣接した所望の配列をコードする線形化プラスミドＤＮＡを含みうる。ついで、１μｌのＤＮアーゼ（Ambion）を、合成したRNAを含むエッペンドルフ管に添加し、混合物を３７℃で１５分インキュベートした。この工程は反応中のＤＮＡ鋳型を変性させ、その後これは除去される。変性反応を停止させるために、８０μｌのＴＥをエッペンドルフ管に添加した。ＲＮｅａｓｙミニキット（Qiagen, Germantown, MD）を用いてＲＮＡ溶液中のＲＮＡ転写物を精製した。分光光度計を用いてＲＮＡ溶液中のＲＮＡ転写物の濃度を定量した。次に、このＲＮＡ溶液を１μｇ、６％ポリアクリルアミドＴＢＥ／尿素ゲル（Invitrogen, Carlsbad, CA）で分析して、転写物が適切な強度のものであることを確認した。Ｈｅｒ２／ＥｒｂＢ２ＲＮＡ溶液を使用準備ができるまで、−２０℃で保存した。
【００４８】
内部標準物質の調製
上述のようにして調製されたＨｅｒ２／ＥｒｂＢ２ＲＮＡ溶液を使用して次の方法に従って、内部標準調製物を調製した。１００ｎｇ／μｌの作動濃度のＲＮＡ溶液を作製した。新しいエッペンドルフ管中の２００μｌのＴＥに５０μｌアリコートのＲＮＡ溶液（５μｇ）を加えた。エッペンドルフ管を９５℃のヒートブロックで３分間加熱してＲＮＡ転写物を変性させ、ついで氷で即座に冷却した。５０℃のヒートブロックで温めた５００μｌのＳＱＨ２Ｏと２５０μｌの８％ＮｕＳｉｅｖｅ３：１（９９℃で溶融した高ゲル強度のアガロース）（FMC Bioproducts, Rockland, ME）をＲＮＡ溶液に添加した。得られたＲＮＡ／アガロース混合物を簡単にボルテックスした後、１５ｍｍＸ１５ｍｍのＤｉｓＰＯベースモールド（Baxter Scientific, McGaw Park, IL）中に注いだ。ＲＮＡの最終濃度は５μｇ／ｍｌであった。ついで、そのＲＮＡ／アガロース内部標準調製物を少なくとも１時間４℃でゲル化させた。ＲＮＡ又はアガロースの濃度を変化させるために、何れかの体積を、ＳＱＨ２Ｏの量を相反させて低減することによって増加させることができる。
望むのであれば、ウシ血清アルブミン（ＢＳＡ）などのキャリアタンパク質、又はプロタミン、ポリイノシン、スペルミジン、又はインビトロトランスレートされたタンパク質などの他の構成要素は、例えば、１ｍｌの最終体積を得るためにＳＱＨ２Ｏの所望の量を添加し体積を調整することによって、アガロースブロック中に取り込ませることができる。例えば、ＢＳＡ（Roche, Indeanapolis, IN）は、水で１０％のストック溶液とし、ＲＮＡ／アガロースと混ぜて所望の濃度にする前に、溶解させるために５０℃で熱した。５％ＢＳＡを含む内部標準ブロックを調製するために、前にも言及したように５００μｌのＳＱＨ２Ｏは、２％アガロースと５％ＢＳＡを含む内部標準調製物を作製するために、１０％のＢＳＡ５００μｌで置換される。
ゲルの形成後、ＲＮＡ／アガロースブロックを清浄な剃刀の刃を使用してプラスチックモールドから除去し、無傷のブロックを１０％の中性緩衝ホルマリン（Richard Allen Scientific, Kalamazoo, MI）に固定した。中性緩衝ホルマリンに固定されたＲＮＡの幾らかは固定段階において標準基質から拡散して放出される。この拡散を防止するためには、別の固定化法を使用することができる。例えば、ＲＮＡ／アガロースの無傷のブロックを、０．５Ｍの酢酸ナトリウム、ｐＨ５、７０％のエタノール及び２０％（ｖ／ｖ）の原液３７％ホルムアルデヒド（ホルムアルデヒドの最終濃度は７．４％）を含む沈殿固定液で室温にて一晩固定した。ついで、アガロースブロックを７０％エタノール（水中）に移し、パラフィン包埋のために（標準的方法に従って）加工した。試料を７０％ＦＬＥＸアルコール（Richard Allen Scientific, Kalamazoo, MI）中で３０分間インキュベートした後、９５％ＦＬＥＸアルコール（Richard Allen Scientific, Kalamazoo, MI）中でそれぞれ１時間で２回、ついで１００％ＦＬＥＸアルコール（Richard Allen Scientific, Kalamazoo, MI）中でそれぞれ３０分間で３回、ついでClearing Agent（Richard Allen Scientific, Kalamazoo, MI）で４５分を３回インキュベートし、最後に６０℃３０分間、１００％の溶融パラフィン中でそれぞれ３０分インキュベートした。ついで試料をライカヒストエンベッダー（histoembedder）（Leica, Deerfield, IL）を使用してパラフィン中に包埋した。
これらの方法は、例えば前述の固定工程を省くことによって、ここに記載した凍結アレイの実施例を用いて、凍結アレイレシピエントブロックに使用されるＲＮＡ内部標準調製物の凍結試料をつくり出すこともできる。
【００４９】
実施例２
タンパク質／アガロース内部標準調製物
本実施例はアレイを作製するために使用される基質材料とは異なる固体埋め込み材料中に既知量の生物学的分子を有する内部標準調製物を使用して細胞又は組織アレイ中のタンパク質のような生物学的分子を分析するための本発明の有用性を証明する。特に、本実施例は、アレイで実施される加工及び分析手順を通じてタンパク質が保持されるようにアレイで使用される内部標準調製物を形成するためにアガロース中に特定のタンパク質分子を埋め込むためのアプローチ法を証明する。埋め込まれたタンパク質は、単に手順の成功のポジティブコントロールとして、手順方法を改善するための基礎的アッセイにおける成分として、又は最終的に組織又は細胞中のタンパク質の発現の比較レベルを評価するための定性的標準として、使用することができる。
Ｈｅｒ２／ＥｒｂＢ２ＥＣＤタンパク質（Molecular Oncology, Genentech, South San Francisco, CA）の０．４５ｍｇ／ｍＬの最終濃度は、エッペンドルフ管に５００μｌの１．０９ｍｇ／ｍＬの合成Ｈｅｒ２／ＥｒｂＢ２細胞外ドメインタンパク質と２５０μｌのＳＱＨ２Ｏを添加することによって得た。タンパク質／水混合物を簡単にボルテックスした。ついで、およそ６０℃まで簡単に冷却した２５０μｌの８％ＮｕＳｉｅｖｅ３：１（９９℃で溶融した高ゲル強度のアガロース）をタンパク質／水混合物に添加した後、簡単にボルテックスした。タンパク質かアガロースの何れかの濃度を変えるために、ＳＱＨ２Ｏの量を相反させて低減することで何れかの体積を増加させることができる。所望される場合は、担体タンパク質、例えばＢＳＡ又は他の成分、例えば天然に生じるかもしくは合成のペプチド配列又は天然に生じるかインビトロ翻訳されたタンパク質を、所望量の担体タンパク質を加え、ＳＱＨ２Ｏの体積を調して、例えば１ｍｌの最終容積を得ることによって、アガロースブロック中に導入することができる。
ついで、タンパク質／アガロース内部標準調製物を１５ｍｍｘ１５ｍｍのＤｉｓＰＯベースモールド（Baxter Scientific）中に注ぎ、少なくとも１時間４℃でゲル化させた。そのタンパク質／アガロースブロックを清浄な剃刀の刃を使用してプラスチックモールドから除去した後、無傷のブロックを室温で一晩１０％の中性緩衝ホルマリンに固定した。ついで固定されたタンパク質／アガロースブロックを水中７０％のエタノールに移し、実施例１に記載されたようにしてアレイ中にパラフィン包埋するための標準的方法に従って加工した。
この方法は固定段階を省くことによって凍結内部標準調製物を調製するのに使用されるタンパク質の凍結試料をつくり出すためにここに記載された凍結アレイ系において使用することもできる。
【００５０】
実施例３
組織マイクロアレイ中の内部標準調製物に対するインサイツハイブリダイゼーション
本実施例は、インサイツハイブリダイゼーション法のための組織マイクロアレイ（ＴＭＡ）組織学的セクションにおいて内部標準物質及びコントロールとなる本発明の有用性を証明する。特に、本実施例は、インサイツハイブリダイゼーション法で大腸腫瘍中のＶＥＧＦ Ａ ｍＲＮＡの発現を定量するための本発明の有用性を証明する。更に、本実施例は発現シグナルの標準曲線を設定するために、異なった量の生物学的分子をそれぞれが有する複数の異なった内部標準物質を使用して、アレイ中のＲＮＡのような生物学的に有用な分子を定量する本発明の有用性を証明している。
２０カラム１５列に配列した２８２のコアを含む大腸腫瘍組織マイクロアレイを次のようにして構築した。直径０．６ｍｍの寸法の１７７の試料コアが、４４標本の大腸腺癌（National Cancer Institute Cooperative Human Tissue Network(CHTN), Western Division, Vanderbilt University Medical Center, Nashville, TN;http://www-chtn.ims.nci.nih.gov/）、腫瘍（ＣＨＴＮ）に隣接する６標本の正常大腸、肝臓に転移性の大腸腺癌の６標本（ＣＨＴＮ（１事例）；University of Glasgow(１例)、Glasgow, Scotland;University of Michigan(４例); Ann Arbor, MI）、及び６例の良性大腸腺(ＣＨＴＮ)（通常二通り又は三通り）を含む様々なドナーパラフィンブロックから得られた。ついで、試料コアを、例えばここに記載するＢｅｅｃｈｅｒ組織アレイ化機器（Beecher Instruments, Silver Spring, MD）を使用して、レシピエントパラフィンブロック中に埋め込んだ。
【００５１】
内部標準物質の１２のコアは、直径が０．６ｍｍの寸法であり、上の実施例１に記載されたようにして調製された、３通りの異なった濃度のＲＮＡ／アガロース内部標準調製物を含む６つのドナーブロックから得た。ＲＮＡ／アガロース標準物質の半分は０．５、１．０及び５．０μｇ／ｍｌ（全て二通り）でヒトＶＥＧＦ Ａ（Leung, D.W.等, Science 246: 1306-1309 (1989)）のアンチセンスＲＮＡを含み、その標準物質の半分は０．５、１．０及び５．０μｇ／ｍｌ（全て二通り）でヒトＶＥＧＦ ＡのセンスＲＮＡを含んでいた。ＲＮＡｓは以下に記載されるＰＣＲ増幅配列からインビトロ転写によって合成した。内部標準調製物コアは、上述の試料コアと同じようにしてパラフィンレシピエントブロック中に埋め込んだ。
２つの異なったヒト異種移植腫瘍細胞株（ＡＴＣＣカタログ番号ＣＣＬ-２２２）及びＨＣＴ１１６（ＡＴＣＣカタログ番号ＣＣＬ-２４７）からの直径０．６ｍｍの寸法の４つのコアを、同様の方法を使用してレシピエントパラフィンブロック中に埋め込んだ。切片の評価中の配向に有用である、実施例１５に記載されたようにして調製された、８％のＮｕＳｉｅｖｅ３：１アガロース及び５０％の青、黄色又は黒の外科マーカー染料（Triangle Biomedical S, Durham, NC）の直径０．６ｍｍの寸法の１１のコアをレシピエントパラフィンブロック中に埋め込んだ。
【００５２】
コアの全てを３７℃のオーブンでブロックを一晩インキュベートすることにより、アレイレシピエントブロックアレイ中でアニールした。パラフィンアレイを２又はそれ以上の３−５μｍ厚の組織学的ＴＭＡ切片にスライスした。各ＴＭＡ切片はレシピエントパラフィンブロック中のコアのアレイに対応するスポットのアレイを有している。ついで、各ＴＭＡを４２℃の水浴に移した後、ガラススライド上に個々に収集し、十分に乾燥させた。
インサイツハイブリダイゼーション分析を大腸腫瘍ＴＭＡスライドの幾つかについて実施した。ＴＭＡスライドは次の方法を使用してヒトＶＥＧＦ Ａセンス及びアンチセンスＲＮＡプローブにハイブリダイズさせた。センス及びアンチセンスプローブを転写するために使用したＰＣＲ増幅ＤＮＡ鋳型の配列は次のものであった：
GGGCCTCCGAAACCATGAACTTTCTGCTGTCTTGGGTGCATTGGAGCCTCGCCTTGCTGCTCTACCTCCACCATGCCAAGTGGTCCCAGGCTGCACCCATGGCAGAAGGAGGAGGGCAGAATCATCACGAAGTGGTGAAGTTCATGGATGTCTATCAGCGCAGCTACTGCCATCCAATCGAGACCCTGGTGGACATCTTCCAGGAGTACCCTGATGAGATCGAGTACATCTTCAAGCCATCCTGTGTGCCCCTGATGCGATGCGGGGGCTGCTGCAATGACGAAGGCCTGGAGTGTGTGCCCACTGAGGAGTCCAACATCACCATGCAGATTATGCGGATCAAACCTCACCAAGGCCAGCACATAGGAGAGATGAGCTTCCTACAGCACAACAAATGTGAATGCAGACCAAAGAAAGATAGAGCAAGACAAGAAAATCCCTGTGGGCCTTGCTCAGAGCGGAGAAAGCATTTGTTTGTACAAGATCCGCAGACGTGTAAATGTTCCTGCAAAAACACAGACTCGCGTTGCAAGGCGAGGCAGCTTGAGTTAAACGAACGTACTTGCAGATGTGACAAGCCGAGGCGGTGAGCCGGGCAGGAGGA [配列番号：１]
【００５３】
ＴＭＡスライドを３７℃で一晩、ついで６５℃で３０分オーブンでベークして組織をガラスに付着させた。切片を、それぞれキシレン（Richard Allen, Kalamazoo, MI）中で５分間３回インキュベートし、ついで段階的にエタノール列から蒸留水まで通して再水和させることにより、ライカオートステイナーＸＬ（Leica, Deerfield, IL）で脱パラフィン処理を行った。ついで、スライドを各５分間で２回２ＸＳＳＣ（０．３ＭのＮａＣｌ、０．０３０Ｍのクエン酸ナトリウム、ｐＨ７．０）で洗浄した。スライドを、３７℃で１５分間、１０ｍＭ Ｔｒｉｓ ｐＨ８．０／０．５Ｍ ＮａＣｌ溶液中、２０μｇ／ｍＬのプロテイナーゼＫ（Roche Diagnostics, Indianapolis, IN）で処理し、０．５ＸのＳＳＣ（０．０７５ＭのＮａＣｌ、０．００７Ｍのクエン酸ナトリウム、ｐＨ７．０）で１０分洗浄した。そのスライドをエタノール勾配（７０％−９５％−１００％）で脱水し、空気乾燥させた。そのスライドを１００μｌのハイブリダイゼーションバッファー（５０％ホルムアミド、１０％デキストラン硫酸、及び２ＸのＳＳＣ）で覆い、４２℃で１−４時間プレハイブリダイズした。２Ｘ１０６ｃｐｍの濃度の上述した[３３Ｐ]標識一本鎖ＶＥＧＦ Ａ ＲＮＡプローブ（アンチセンス配向）を、１ｍｇ／ｍｌのｔＲＮＡを含む１００μｌのハイブリダイゼーションバッファーに溶解させ、スライドの一つの上のプレハイブリダイゼーションバッファーに添加し、よく混合し、カバーガラスで覆い、密封された加湿容器中で５５℃で一晩ハイブリダイズさせた。
上記のハイブリダイゼーション手順は、上述の同じＰＣＲ増幅鋳型から、しかしセンス配向に転写された[３３Ｐ]標識一本鎖ＶＥＧＦ Ａ ＲＮＡプローブを用いて、ＴＭＡの他のスライドについて実施した。
【００５４】
ハイブリダイゼーション後、室温で１ｍＭのＥＤＴＡを含む２ＸのＳＳＣ中で１０分間、２回洗浄し、ついで１０ｍＭのＴｒｉｓ、ｐＨ８、０．５ＭのＮａＣｌ中２０μｇ／ｍＬのＲＮアーゼＡ中で３７℃にて３０分間、インキュベートした。そのスライドを室温で１ｍＭのＥＤＴＡを含む２ＸのＳＳＣ中で１０分間、洗浄した後、５５℃で１ｍＭのＥＤＴＡを含む０．１ＸのＳＳＣ中でそれぞれ３０分間、４回洗浄し、その後、室温で１０分間、０．５ＸのＳＳＣ中で洗浄した。スライドを、０．３Ｍの酢酸アンモニウムを含む５０％、７０％、及び９０％エタノールでそれぞれ２分間脱水し、空気乾燥させた。
ハイブリダイゼーションの結果を見るために、スライドをストレージリン光体スクリーン（コダック）に１８時間暴露し、ついでリン光体スクリーンをＴｙｐｈｏｏｎ８６００可変モードイメージャー（Molecular Dynamics, Sunnyvale, CA）を用いてスキャンした。画像はPhoretix Array2(Nonlinear USA Inc, Durham, NC)ソフトウェアを用いて定量し、データはマイクロソフトのエクセルを使用して解析した。
内部標準調製物及び試料中に存在するＶＥＧＦ Ａ ＲＮＡの量を次のようにして計算した。先ず、ＲＮＡ／アガロース標準物質中のＶＥＧＦ Ａ ＲＮＡの量を計算した。ＲＮＡ／アガロース標準物質中のＶＥＧＦ Ａ ＲＮＡの量は約６０４塩基長であった。各塩基は３４０ダルトンの重さであると仮定され、よってＶＥＧＦ Ａ ＲＮＡの各分子は約６０４ｘ３４０ダルトン又は約２．０５ｘ１０５ダルトンの重さであった。ＲＮＡ／アガロース標準物質は０．５μｇ／ｍｌのＶＥＧＦ Ａ ＲＮＡを含んでおり、よって約２．４３ｘ１０-１２モル／ｍｌ、又は約１．５ｘ１０１２分子／ｍｌ、又は約１．５分子／μｍ３のＶＥＧＦ Ａ ＲＮＡを含んでいた。従って、ＲＮＡ／アガロース標準物質の５μｍ厚の組織切片は平方ミクロン当り約７．５分子のＶＥＧＦ Ａ ＲＮＡを含んでいた。
試料中のＶＥＧＦ Ａ ＲＮＡの量を決定するために、試料のオートラジオグラフィーフィルム又はホスフォイメージャー分析からのシグナルの強度を、ＲＮＡ／アガロース標準物質からのシグナルの強度と相関づけ、組織の単位体積当たりの分子中に発現される試料中のＶＥＧＦ Ａ ＲＮＡの量が得られた。表１はアンチセンスプローブを使用する上述のインサイツハイブリダイゼーションから得たデータとまとめたものである。
【００５５】
【表１】
2005509870.tif 000002
表１のデータは、ＶＥＧＦセンスＲＮＡ標準物質は、アンチセンスＲＮＡプローブとハイブリダイズした場合、センスＲＮＡの量が増加するに従って増加するホスフォイメージャーシグナルを生じることを示している。予想されるように、ＶＥＧＦアンチセンスＲＮＡ標準物質は、アンチセンスＲＮＡプローブとハイブリダイズした場合、バックグラウンドに近いホスフォイメージャーシグナルを生じる。
【００５６】
実施例４
組織マイクロアレイ中の内部標準調製物を使用する定量免疫蛍光検出
本実施例は免疫蛍光（ＩＦ）法のための組織マイクロアレイ（ＴＭＡ）組織切片において内部標準物質及びコントロールを提供する本発明の有用性を証明する。この実施例では、本発明のアレイを使用して、乳房腫瘍中のＨｅｒ２／ＥｒｂＢ２の発現を、ＩＨＣにより評価した。更に、本実施例は、それぞれが発現シグナルの標準曲線を作製するための異なった量の生物学的分子を有している複数の異なった内部標準物質を使用するアレイ中の、タンパク質のような生物学的に有用な分子を定量するための本発明の有用性を実証する。
次のようにして、２４カラムと１５列の配列の３６０コアを含む臨床乳ガン試料よ内部標準調製物を含む典型的な組織アレイを構築した。直径０．６ｍｍの寸法の３２６の試料組織コアを様々なドナーパラフィンブロックから得た。ドナーブロックは、通常は２組又は３組が採取される９９標本の乳管腺癌組織と、２標本の正常な乳房組織 （Leeds General Infirmary, Yorkshire, England）を含んでいた。試料コアは、例えば実施例３に記載のように、組織アレイ化機器を使用して、レシピエントパラフィンブロック中に埋め込んだ。
直径０．６ｍｍの寸法の内部標準調製物の８のコアを、それぞれ上の実施例２に記載されたようにして調製されたタンパク質／アガロースを含むドナーブロックから得た。タンパク質／アガロース内部標準調製物は、０．００４６、０．０４６、０．４６及び０．９３ｍｇ／ｍｌの濃度でＨｅｒ２／ＥｒｂＢ２細胞外ドメイン(ECD)タンパク質を含み、それぞれ２組が配列されて、それぞれ１％ＢＳＡを含んでいた。内部標準調製物は試料組織コアと同じようにしてパラフィンレシピエントブロック中に埋め込まれた。
【００５７】
直径０．６ｍｍの寸法の１６コアの細胞ペレットコントロール（Ａ６７３（ＡＴＣＣカタログ番号ＣＲＬ-１５９８）；Ｃａｌｕ-６（ＡＴＣＣカタログ番号ＨＴＢ-５６）；ＮＣＩ-Ｈ４６０（ＡＴＣＣカタログ番号ＨＴＢ-１７７）；ＭＤＡ-ＭＢ-４５３（ＡＴＣＣカタログ番号ＨＴＢ-１３１）；ＭＣＦ７（ＡＴＣＣカタログ番号ＨＴＢ-２２）；ＭＤＡ-ＭＢ-１７５ＶＩＩ（ＡＴＣＣカタログ番号ＨＴＢ-２５）；ＭＤＡ-ＭＢ-２３１（ＡＴＣＣカタログ番号ＨＴＢ-２６）；ＮＣＩ-Ｈ３２２（ＡＴＣＣカタログ番号ＣＲＬ-５８０６）；ＳＫ-ＢＲ-３（ＡＴＣＣカタログ番号ＨＴＢ-３０）；Ａ５４９（ＡＴＣＣカタログ番号ＣＣＬ-１８５）；及びＳＫ-ＭＥＳ-１（ＡＴＣＣカタログ番号ＨＴＢ-５８）で、これら細胞株は様々なレベルのＨｅｒ２／ＥｒｂＢ２を発現する）を、上述の一般的方法を使用してレシピエントパラフィンブロック中に埋め込んだ。細胞ペレットのための細胞は標準的な組織培養条件で培養し、６０−８０％のコンフルエンシーまで成長させた。約１０７から１０８の細胞を、ＰＢＳ(リン酸緩衝生理食塩水)中７ｍＭのＥＤＴＡを使用して組織培養皿から集め、細胞が離脱するまで３７℃でインキュベートした。ついで、細胞を１０％ＮＢＦでの一晩の固定の前に５０ｍｌの円錐ポリプロピレン遠心管中に４℃で５分間、約３００ｇでペレット化した。固定の後、固定液を７０％エタノールで置き換え、試料を実施例３に記載のようにパラフィン包埋のために直ぐに加工した。直径０．６ｍｍの寸法の２５％の青、黄、又は黒の外科用マーカー染料（切片の評価中の配向に有用）を含む８％Ｎｕｓｉｅｖｅ３：１アガロースの４コアをレシピエントパラフィンブロック中に埋め込んだ。
コアの全てを３７℃で一晩ブロックをインキュベートすることによりレシピエントパラフィンブロックアレイ中でアニールした。分析のために、パラフィンアレイを、一又は複数の３−５μｍ厚の組織ＴＭＡ切片にスライスした。ついで、各ＴＭＡ切片を４２℃の水浴に移し、個々に集めてＳｕｐｅｒｆｒｏｓｔガラススライド上に置き、十分に乾燥させた。
【００５８】
免疫蛍光法（ＩＦ）を次の２つの抗体を使用して乳癌アレイからのＴＭＡスライドの幾つかで実施した：１）天然に生じるＨｅｒ２／ＥｒｂＢ２レセプター及び合成ＥＣＤ配列のＨｅｒ２／ＥｒｂＢ２細胞外ドメイン（ＥＣＤ）に特異的なヤギポリクローナル抗体；及び２）タンパク質の天然に生じる形態で存在するが合成ＥＣＤ配列には存在していないタンパク質の細胞内ドメインを認識するＤＡＫＯウサギポリクローナル抗体。ＴＭＡスライドをキシレン(Richard Allen Scientific, Kalamazoo, MI) 中でそれぞれ５分で３回洗浄することによって脱パラフィン化し、段階的にエタノールから蒸留水で水和させた後、それぞれ５分蒸留水で２回すすいだ。ＴＭＡスライドを、電子レンジで９９℃で２０分間、蒸留水で、１０ｘ原液から１：１０希釈された、予め加熱したBiogenex Citra液(Biogenex, San Ramon, CA) に配した後、室温で２０分冷却し、ついで、それぞれ５分で２回蒸留水ですすいだ。内在性組織ビオチンを、製造者の推奨に従ってアビジン-ビオチンブロック試薬キット(カタログ番号SP-2001) (Vector Laboratories, Burlingame, CA)を用いてブロックした。簡単に述べると、スライドを、アビジン試薬で１０分間、ビオチン試薬で１０分間、ついで、ＰＢＳで５分間、すすいだ。そのＴＭＡスライドを３％ＢＳＡ／ＰＢＳ中１０％の正常なウシ血清を用いて３０分ブロックし；ブロック血清をスライドから除去した。ついで、ＴＭＡスライドを、５μｇ／ｍｌのポリクローナルヤギ抗体（ヒトＨｅｒ２／ＥｒｂＢ２ ＥＣＤ）室温で６０分間インキュベートした。パラレルなスライドには、５μｇ／ｍｌのヤギアイソタイプコントロール抗体 (Neomarkers, Freemont, CA)をネガティブコントロールとして用いた。インキュベーション後、ＴＭＡスライドを、それぞれ５分で２回、ＰＢＳですすいだ。ついで、ＴＭＡスライドを、ＰＢＳ中１％ＢＳＡと、１０％の正常なウサギ血清で１：２００に希釈したビオチン化ウサギ抗ヤギ抗体(最終濃度は７．５μｇ／ｍｌ)と共に室温で３０分インキュベートした。インキュベーション後、ＴＭＡスライドを、それぞれ５分で２回、ＰＢＳですすいだ。ついで、ＴＭＡスライドを、AlexaFluor 633に結合した５μｇ／ｍｌのストレプトアビジン (Molecular Probes, Eugene, OR)と共に 室温で３０分間、インキュベートした。インキュベーション後、ＴＭＡスライドを、それぞれ５分で２回、ＰＢＳですすいだ。
【００５９】
ＤＡＫＯウサギ抗(ヒトＨｅｒ２／ＥｒｂＢ２)抗体を検出するために、一次抗体をＰＢＳ中１％ＢＳＡ、１０％ウサギ血清中に希釈したビオチン化ヤギ抗ウサギ二次抗体で検出したことを除いて、同じ手順を用いた。
ＩＨＣ手順の結果を見るために、ＴＭＡスライドを、ＰＢＳに漬けた０．４５マイクロメートルの孔径のニトロセルロースフィルター紙で覆い、Ｔｙｐｈｏｏｎ８６００可変モードイメージャー（Molecular Dynamics）を用いてスキャンした。Alexa６３３蛍光染料を、６３３ｎｍレーザーを使用して励起し、６７０バンドパスの３０エミッションフィルターを用いて５０μｍの解像度で検出した。画像はPhoretix Array2ソフトウェア(Nonlinear USA Inc, Durham, NC)を用いて定量し、データはマイクロソフトのエクセルを使用して解析した。
内部標準調製物及び試料中のＨｅｒ２／ＥｒｂＢ２ ＥＣＤタンパク質の量を計算した。タンパク質／アガロース内部標準調製物中のＨｅｒ２／ＥｒｂＢ２ ＥＣＤタンパク質はタンパク質のＮ末端から約６５０のアミノ酸を含んでいた。このＥＣＤ断片は約７１４００ダルトンの重さであった。タンパク質／アガロース内部標準調製物は０．４６ｍｇ／ｍｌのＨｅｒ２／ＥｒｂＢ２ ＥＣＤを含んでおり、よって約６．４４ｘ１０-９モル／ｍｌ、又は約３．８８ｘ１０１５分子／ｍｌ、又は約３．８８Ｘ１０３分子／μｍ３のＨｅｒ２／ＥｒｂＢ２ ＥＣＤを含んでいた。５μｍ厚の組織切片では、この標準物質は約１．９４Ｘ１０４分子のＨｅｒ２／ＥｒｂＢ２ ＥＣＤを平方ミクロン当りに含んでいた。
ついで、Ｈｅｒ２／ＥｒｂＢ２ ＥＣＤ内部標準調製物及び組織試料から生じる免疫蛍光シグナルの強度を、試料中のＨｅｒ２／ＥｒｂＢ２タンパク質の量が組織の単位体積当たりのタンパク質分子で決定できるように、相関させた。次表に上述の免疫蛍光法から得られたデータをまとめる。
【００６０】
【表２】
2005509870.tif 000003
【００６１】
上に示されたように、試料内に含まれていたＨＥＲ２／ＥｒｂＢ２レセプタータンパク質の量を、内部標準調製物中のレセプタータンパク質の既知量に基づいて定量した。上の表２のデータは、適切な免疫蛍光染色後に、合成ＨＥＲ２／ＥｒｂＢ２ ＥＣＤ標準物質を使用して、ホスフォイメージャーシグナル強度に単位体積当りのＨＥＲ２／ＥｒｂＢ２タンパク質分子数を相関付ける標準曲線を作成できることを示している。データは更に、標準曲線を用いて、臨床組織試料の測定ホスフォイメージャーシグナル強度を組織の単位体積当りのＨＥＲ２分子と相関させることができることを示している。
【００６２】
細胞又は組織中におけるＨＥＲ２発現又はＨＥＲ２産生を測定する他の方法との定量免疫蛍光法の比較：  ＨＥＲ２／ｎｅｕ（ｃ-ｅｒｂ-Ｂ２）癌遺伝子は増幅され、ＨＥＲ２レセプタータンパク質は乳癌の２０−３０％で過剰発現される。ＨＥＲ２レセプターが陽性の転移性乳癌の女性はより攻撃的な疾患で、再発の可能性が高く、予後も乏しく、ＨＥＲ２陰性乳癌の女性のおよそ半分の平均余命である。現在の常套的な臨床実務では、ＨＥＲ２陽性腫瘍は、二つの手段：ＨＥＲ２遺伝子増幅を定量する蛍光インサイツハイブリダイゼーション（ＦＩＳＨ）又は免疫ペルオキシダーゼ検出法がＨＥＲ２レセプタータンパク質過剰発現に対する腫瘍の半定量的診断スコア付けを可能にする免疫組織化学法を含むHercepTestTMの一つによって同定される。簡単に述べると、スコア付けは、病理学者が、ある基準の大まかな推定値に基づいて免疫組織化学的に染色されたスライドに整数のスコアをあてがう方法である。３＋＝細胞の＞１０％で強い強度の完全な膜染色。２＋＝細胞の ＞１０％で弱ないし中程度の強度の完全な膜染色。１＋＝細胞の＞１０％で不完全な膜染色。０＝細胞の＜１０％で染色又は膜染色の欠如。
本発明の定量免疫蛍光法は、一般的に使用されている方法と比較して、高スループットの迅速な定量検出、特異性、及び改善された擬陽性及び擬陰性の検出速度の利点を有している。これらの利点は、パラフィン埋め込み組織マイクロアレイの細胞中での細胞ＨＥＲ２発現が、本発明の定量免疫蛍光及び定量免疫組織化学法を使用して決定された次の実験によって例証されている。結果はインサイツハイブリダイゼーション（ＦＩＳＨ）、Taqman(登録商標)ＲＴ-ＰＣＲ、HercepTestTM免疫組織化学、ＥＬＩＳＡ分析法と比較される。
【００６３】
細胞株：ＨＥＲ２発現は、９つの新鮮に調製された細胞株において、ＲＴ-ＰＣＲ（リアルタイムポリメラーゼ連鎖反応法）、ウェスタンブロット法、ＦＡＣＳ（蛍光標示式細胞分取法）、及びＥＬＩＳＡ（酵素結合免疫吸着検定法）によって測定された。細胞株には、ＳＫ-ＢＲ-３、ＭＤＡ-ＭＢ０４５３、ＮＣＩ-Ｈ３２２、ＭＤＡ-ＭＢ-１７５、ＭＣＦ７、Ａ６７３、Ａ５４９、ＭＤＡ-ＭＢ-２３１、ＳＫ-ＭＥＳ-１（上述したもの）が含まれる。各細胞株をＨＥＲ２発現のレベルに従ってランク付けた。各細胞株からの細胞ペレットを室温で一晩１０％中性緩衝ホルマリン(Richard Allen Scientific, Kalamazoo, MI) で固定した。ついで、細胞ペレットを７０％エタノール（水中）に移し、パラフィン包埋のために加工した（標準的技術による）。
【００６４】
アガロースＨＥＲ２ ＥＣＤ標準物質：組換えＨＥＲ２レセプター細胞外ドメイン（ＥＣＤ）タンパク質を、０．４６ｍｇ／ｍｌ、０．０９３ｍｇ／ｍｌ、０．０４６ｍｇ／ｍｌ及び０．００４６ｍｇ／ｍｌの希釈度で２％溶融アガロースに加えた。各アガロースブロックを固化させた後、１０％中性緩衝ホルマリン（ＮＢＦ）に固定し、パラフィン包埋のために加工し、上述のようにしてパラフィンブロック中にアレイ化した。
【００６５】
組織マイクロアレイ：  ９９のパラフィン包埋した段階３の乳管癌からの３組の代表的組織コアを、例えばKonenen等、Nature Medicine 4(7):767-768 (1998)により記載されているようにして、組織アレイヤー.(Beecher Instruments, Silver Springs, MD)を使用して、単一の組織マイクロアレイにアレイ化した。各組織マイクロアレイにアレイ化したのは３組のコアのＨＥＲ２ ＥＣＤアガロース標準物質及び９つのＨＥＲＳ発現細胞株であった。便宜上、細胞株とアガロース標準物質を、標準物質中のＨＥＲ２レセプターＥＣＤタンパク質の既知量と細胞株中で発現されたＨＥＲ２レセプターの予想量に従ってアレイ中に収容した。
【００６６】
ＨＥＲ２ＥＣＤ標準物質を使用する定量免疫蛍光法：  アガロースに埋め込んだＨＥＲ２ ＥＣＤ標準物質を次のようにして調製した。溶融アガロースを２％の最終濃度まで添加し、溶液を１５ｍｍＸ１５ｍｍのdiSPo(登録商標)組織学埋め込みモールド(Baxter Healthcare Corporation, McGaw Park, IL)中に注いだ。組換えＨＥＲ２レセプター細胞外ドメイン（ＨＥＲ２ ＥＣＤ）をアガロースに加えて固化させた。ＨＥＲ２ ＥＣＤを０．４６、０．０４６、及び０．００４６ｍｇ／ｍｌの濃度まで希釈した。ついで、アガロースブロックを１０％中性緩衝ホルマリン（ＮＢＦ）に固定し、パラフィン包埋のために加工し、パラフィンブロック中にアレイ化した。
４つの抗体を用いて、この実施例４に記載された手順によって調製された組織マイクロアレイの組織、細胞及び標準物質中のＨＥＲ２タンパク質レベルのレベルを検出した。標的特異的抗体を含む任意の標準的な免疫染色法を使用することができる。この実施例の目的のために、ＨＥＲ２レセプタータンパク質に対して産生した４つの異なった抗体を使用して免疫染色を実施した。二つのものは細胞質内ドメインを認識する；（１）ウサギ抗ヒトｃ-ｅｒｂＢ２（ＨＥＲ２／ｎｅｕ）ポリクローナル抗体（HercepTestTM, キット, DAKO, Carpinteria, CA)；（２）ＣＢ１１（マウス抗ヒトＨＥＲ２ ＩＣＤモノクローナル抗体(NeoMarkers, Fremont, CA)。２つのものはＨＥＲ２細胞外ドメインに対して産生し：（３）４Ｄ５マウス抗ヒトＨＥＲ２ ＥＣＤモノクローナル抗体(Genentech, Inc. South San Francisco, CA;１９９０年５月２４日寄託のATCC CRL 10463；ここでｒｈｕＭＡｂ ４Ｄ５はHerceptin(登録商標))；（４）ヤギ抗ヒトＨＥＲ２ ＥＣＤポリクローナル抗体(Genentech, Inc. South San Francisco, CA)。ウサギ抗ヒトｃ-ｅｒｂＢ２（ＨＥＲ２／ｎｅｕ）ポリクローナル抗体(上掲のHercepTestTM, DAKO)及びＣＢ１１抗体(上掲のNeoMarkers)を使用する免疫染色をそれぞれの製造者の指示書に従って実施した。４Ｄ５抗体と共にインキュベートした組織を３７℃で５分間、０．１ＮのＨＣｌ中０．４％ペプシンで処理した後、４℃で４Ｄ５と共に一晩インキュベートした。ヤギ抗ＨＥＲ２ ＥＣＤ抗体と共にインキュベートした組織を、９９℃で２０’間 DAKO標的回収液(DAKO, Carpinteria, CA)で前処理した後、室温で１時間抗体をインキュベーションした。全組織を７．５ｕｇ／ｍｌの種特異的ビオチン化二次抗体(Vector Laboratories, Inc. Burlingame, CA)で処理した。ビオチン二次抗体の結合に続いて、組織を室温で３０分間、５ｕｇ／ｍｌのストレプトアビジンAlexaFluor６３３(Molecular Probes, Eugene, OR) と共にインキュベートした。
マイクロアレイ上の標準物質と試料によって発せられる蛍光を検出するには、任意の標準的な蛍光検出法を使用することができる。この実施例の目的のために組織試料を、ＤＡＰＩ(４'-６-ジアミジノ-２-フェニルインドール)を含むVectashield取り付け媒質(Vector Laboratories, Inc, Burlingame, CA)を使用して取り付けた。定量免疫蛍光検出は、Typhoon８６００ホスフォイメージャー(Amersham Pharmacia Biotech, Piscataway, NJ)を使用して実施した。試料を、３５０ボルトの６３３ｎｍレーザーを使用して励起し、６７０バンドパスの３０エミッションフィルターを用いて５０μｍの解像度で検出した。データはPhoretixソフトウェア(Nonlinear USA Inc, Durham, NC)を用いて解析した。
【００６７】
蛍光インサイツハイブリダイゼーション（ＦＩＳＨ）：  ＦＩＳＨは標準的な方法によって実施することができる。これらの実験の目的のために、Vysis PathVysion ＨＥＲ２ ＤＮＡプローブキット(Vysis, Downers Grove, IL)を用いてアレイ組織又は細胞株中のＨＥＲ２遺伝子増幅のレベルを検出した。ＨＥＲ２過剰発現の決定（スコア付け）とアッセイは製造者の指示書(上掲のVysis)に従って実施した。しかしながら、組織マイクロアレイ上の組織コア切片（スポット又はエレメント）の小さいサイズのため、組織エレメント当り１０の核だけについて、遺伝子座に対応する各蛍光ドットの数を調べた。Vysisプロトコールを使用して、染色体１７のコピー数に対する、染色体１７のセントロメア(17p11.1-q11.1)に位置するアルファ付随体ＤＮＡに存在する遺伝子ＣＥＰ１７の検出により、ＨＥＲ-２遺伝子のコピー数を決定することができた。区別されるＨＥＲ２及びＣＥＰ１７シグナルの数は、それぞれDAPI/9-オレンジ及びDAPI/グリーン(ニコン)デュアルバンドパスフィルターを使用して独立に決定した。落射照明はオリンパスAH2-RFL-T水銀ランプによって与えられ、シグナルは１００ｘ油浸レンズで数え上げた。エレメント当り１０の調べた核のそれぞれに対して、ＨＥＲ２及びＣＥＰ１７シグナルをカウントし、増幅のレベルをＨＥＲ２：ＣＥＰ１７シグナルの比として表した。
【００６８】
遺伝子発現のTaqmana ＲＴ-ＰＣＲ分析：  ＨＥＲ２を発現する９つの細胞株からのＤＮＡをQiagen RNeasy midi キット(Qiagen, Inc., Valencia, CA)を用いて単離した。各試料を５０ｐｇから０．０５ｐｇの全ＲＮＡの範囲で１１ポイントの標準曲線で希釈した。正方向5'-TGGTCTTTGGGATCCTCATCA-3'(配列番号：２)及び逆方向5'-AGCAGTCTCCGCATCGTGTA-3'(配列番号：３)配列に相当するＨＥＲ２特異的プライマーが産生された。蛍光発生プローブ配列は5'-FAM-TCCGGATCTGCTGCCGTC-TAMRA-3'(配列番号：４)であった。5-FAMTMは６-カルボキシフルオレセインを意味し、TAMRATMは６-カルボキシテトラメチルローダミンを意味する。リアルタイムポリメラーゼ連鎖反応(Taqman(登録商標)RT-PCR(Applied Biosystems, Foster City, CA)分析を製造者の指示書に従って実施した。遺伝子発現の定量はSYBER(登録商標)グリーン RT-PCR試薬キット(上掲のApplied Biosystems)を使用して行った。
【００６９】
HercepTestTM：  HercepTestTM免疫組織化学法を製造者のガイドライン(DAKO, Carpinteria, CA)に従って実施した。
ヤギ抗ＨＥＲ２ ＥＣＤ免疫組織化学法：  HercepTest ＩＨＣに対する可能な代替法として、ヤギ抗ＨＥＲ２ ＥＣＤ抗体を検出に用いたＩＨＣ法を評価した。ヤギ抗ＨＥＲ２ ＥＣＤ抗体の検出は、VectastainエリートABC-HRPキット(Vector Laboratories, Burlingame, CA)を用い、ついで製造者の指示書(ImmunoPure(登録商標)DAB、製品番号34001, Pierce Chemical Company, Rockford, IL)に従って１０−１５分間、金属増強ＤＡＢ(３,３'ジアミノベンジジン(ＤＡＢ) での処理を行って実施した。ＩＨＣに対する蛍光画像法を、例えば、ＤＡＰＩ及びローダミンフィルターセット(Chroma, Brattleboro, VT)を備えたニコンMicrophot - FXスコープ(ニコン,Tokyo, Japan)を使用して実施した。画像をＲＴスライダーＳＰＯＴカメラ(Diagnostic instruments, Inc., Sterling Heights, Michigan)を使用して取得した。ＨＥＲ２過剰発現に対して陽性又は陰性かの乳癌試料のスコア付けを、DAKO HercepTestTM キット(上掲のDAKO)によって確立されたガイドラインによって行った。
【００７０】
ＥＬＩＳＡ分析法：  ヤギ抗ＨＥＲ２ ＥＣＤアフィニティ精製抗体をコーティングバッファー（０．０５Ｍ炭酸塩／炭酸水素塩、ｐＨ９．６）で１：２０００に希釈した。抗体溶液の１００μｌのアリコートを９６ウェルのプレートに添加し、４℃で一晩インキュベートした。抗体溶液を捨てて、１５０ｕｌのブロックバッファー（ＰＢＳ＋０．５％ＢＳＡ＋１０ｐｐｍのProclin）を室温で１時間穏やかに攪拌しながら添加し、ＰＢＳ＋０．０５％トゥイーン(Tween)２０で３回洗浄した。中間物をマジックバッファー（ＰＢＳ＋０．５％ＢＳＡ１０ｐｐｍProclin＋０．０５％トゥイーン２０）＋０．２％ＢｇＧ＋０．２５％ＣＨＡＰＳ＋０．３５ＭのＮａＣｌ、ｐＨ７．４）で２倍に希釈し、４から０．０６ｎｇ／ｍｌの範囲の７ポイントの標準曲線を作成した。標準物質、試料及びコントロールの１００μｌのアリコートを、３組、プレートに添加し、穏やかに攪拌しながら室温で２時間インキュベートし、３Ｘ洗浄した。ストレプトアビジン-ＨＲＰ(Amersham Pharmacia Biotech)をマジックバッファーで１：１００００に希釈し、穏やかに攪拌しながら室温で３０分間インキュベートし、３Ｘ洗浄した。ＴＭＢペルオキシダーゼ基質（TMB Peroxidase Substrate）をペルオキシダーゼ溶液Ｂ（Ｈ２Ｏ２）と混合し、１００ｕｌを各ウェルに添加し、１０−１５分の間、発色させた。反応を１００μｌの１Ｍリン酸を用いて停止させ、吸光度を４５０−６３０ｎｍで読みとった、
マイクロアレイ上のＨＥＲ２-発現細胞におけるＨＥＲ２遺伝子の増幅とタンパク質の発現の相対量を図８Ａ−８Ｆの棒グラフによって示す。その棒グラフは、マイクロアレイ上の細胞株中のＨＥＲ２の検出がTaqman(図８Ａ)、ＥＬＩＳＡ(図８Ｂ)及び本発明の方法を使用する定量免疫蛍光法(図８Ｃ−８Ｄ)と同様であることを示している。これは更にＩＦとＥＬＩＳＡの間の高相関係数（Ｒ２）によって実証された。定量免疫蛍光法は定量免疫組織化学法に対して、平均して、改善された検出範囲の強いシグナルを与えた。また、抗細胞内ドメイン（抗ＩＣＤ）抗体の特異性は、図９Ｂにおいて、ＨＥＲ２細胞外ドメイン（ＥＣＤ）タンパク質標準物質に対する検出シグナルがないことによって証明されている。
【００７１】
統計的分析：  この分析の目的は、９８の臨床乳房組織試料に適用された、アガロースに埋め込まれ上述の４つの抗体（ウサギ抗ヒトｃ-ｅｒｂＢ２（ＨＥＲ２／ｎｅｕ）ポリクローナル抗体；ＣＢ１１（マウス抗ヒトＨＥＲ２ ＥＣＤモノクローナル抗体）；４Ｄ５マウス抗ヒトＨＥＲ２ ＥＣＤモノクローナル抗体；及びヤギ抗ヒトＨＥＲ２ ＥＣＤポリクローナル抗体））で検出されるＨＥＲ２ ＥＣＤタンパク質を含むマイクロアレイでの、ＦＩＳＨ法と６種の別のアッセイ：HecepTestTMＩＨＣ、ヤギ抗ＨＥＲ２ ＥＣＤ ＩＨＣ、及び定量免疫蛍光のそれぞれの結果の間の診断の一致性を比較することである。 HecepTestTMはハーセプチン(登録商標)抗ＨＥＲ２抗体での治療の適格性を決定する（２＋又は３＋のスコアが適格性を示している）現在承認されている方法であるが、多くの臨床医が、ＦＩＳＨ分析法の方がＨＥＲ２発現状態を決定するためにHecepTestTMよりもより信頼性があると考えている。また、ＩＨＣ法は臨床医による蛍光画像の可視化を必要とし、よって、誤診の可能性、低処理量、高コストを持ち込む。従って、ＦＩＳＨ法の診断能力に勝るとも劣らないが、より高処理量で低コストの他の検査法を見出すことが有用である。
ＦＩＳＨ分析結果は標準として使用し、ここで２．０以上のＦＩＳＨスコアは陽性のＨＥＲ２過剰発現スコアであると定義される。９８名の患者からの９８の乳癌試料のうち、マイクロアレイ上のエレメント（スポット）の喪失のために１０の組織試料に対しては最大のＦＩＳＨスコアは得られなかった。８８の残りの試料のうち、３８を陽性又はＨＥＲ２過剰発現に分類し、５０を陰性に分類した。ついで、標準としてこれらのＦＩＳＨ結果を使用して、他の方法のそれぞれの成績を、他の方法に対して選択されたスコア閾値に対する診断スコアの一致性を調べることによって特徴付けた。各方法に対して、感度（その選択された閾スコア値において与えられた方法により陽性と正しく同定されたＦＩＳＨスコア陽性試料の割合）及び特異性（その選択された閾スコア値において与えられた方法により陰性と正しく同定されたＦＩＳＨスコア陰性試料の割合）を決定した。定量免疫蛍光値は各組織マイクロアレイ上に存在するコントロールＭＢ-ＭＤＡ-４５３細胞株の結果に対して正規化させた。≧１の全ての正規化蛍光値をＨＥＲ２過剰発現に対して陽性と考え、３＋スコアに等しいとした。正規化免疫蛍光結果を、臨床的に関連するＨＥＲ２過剰発現に対して試料を正しくスコア付けする各方法の相対能力を評価するためにHercepTestTMＩＨＣアッセイのものと比較した。
【００７２】
現在、HercepTestTMによる陽性のＨＥＲ２過剰発現に対するスコア付けの基準は２＋の閾値であり、これは、それぞれ７６．３％及び９２％の感度及び特異性推定値のデータを生じる。他のアッセイの結果を調べて、HercepTestTMの基準によって与えられる同様の感度及び特異性レベルをつくり出すスコア閾値を決定した。例えば、少なくとも７６．３％の感度を生じる最も高い４Ｄ５ ＥＣＤ閾値は４ＩＦであり、これは正確には７６．３％の感度であるがわずか８６％の特異性に相当し、HercepTestTMアッセイのものより低い。少なくとも９２％の特異性を生じる最も低い４Ｄ５ ＥＣＤ閾値は５ＩＦであり、これは９４％の特異性と７３．７％の感度を生じた。４Ｄ５ ＥＣＤアッセイの如何なる単一の閾値も感度と特異性の双方の等価物又はよりよい推定値を与えない。他の３つのアッセイ（ヤギＩＨＣ、ウサギ抗ＨＥＲ２ ＩＣＤ免疫蛍光、及び４Ｄ５ ＥＣＤ免疫蛍光）の何れかを用いると、感度か特異性の何れかの減少を生じた。他方、表３に挙げられているように、ヤギ抗ヒトＨＥＲ２ ＥＣＤ免疫蛍光法（６１−８５ＩＦ）及びＣＢ１１抗ヒトＨＥＲ２ ＩＣＤ免疫蛍光アッセイ（５６−５９ＩＦ）には有用な閾選択値は存在していない。よって、これらの試験の何れから見ても、常套的に使用されているHercepTestTM アッセイよりもＦＩＳＨアッセイの結果は勝るとも劣らない。
【表３】
2005509870.tif 000004
アガロースに埋め込んだ標的タンパク質標準物質を使用する組織マイクロアレイの免疫蛍光分析は高スループットの組織分析及び診断に有用な迅速な定量法である。定量免疫蛍光法の結果は、標的遺伝子の増幅又は標的タンパク質の発現に対して常套的に使用される他の方法に勝るとも劣らず、定量免疫蛍光法をそれだけで有用なものにし又は既存の方法に付加されるものになる。
【００７３】
ｐ５３、Ｋｉ６７、ＣＤ３１、ｈＭＬＨ１及びｈＭＳＨ２を測定する他の方法との本発明の定量免疫蛍光法の比較  結腸直腸組織中での発現
定量免疫蛍光法の比較性を次の実験によって更に証明した。
インサイツ実験の精確さと信頼性は定性的解釈によって譲歩される。定量化はより大なる客観性と再現性を課す。これらの実験は内部標準物質を有する組織マイクロアレイを調製することの有用性を証明する。レーザーイメージャーシステムを、組織マイクロアレイ中での遺伝子発現のインサイツ定量分析に使用した。免疫蛍光法を用いて、結腸直腸組織のアレイ列（ｎ＝１１０）中でのｐ５３、Ｋｉ６７、ＣＤ３１、ｈＭＬＨ１及びｈＭＳＨ２の発現を定量した。このパネルの抗原に対する定量データを、免疫組織化学色素原付着の定性的スコア付けと客観的に比較した。また、血管内皮成長因子(ＶＥＧＦ)-Ａ、胎盤成長因子、肝細胞成長因子及びｃ-Ｍｅｔ ｍＲＮＡの発現を、インサイツハイブリダイゼーションのリン画像解析によって定量した。ｐ５３、Ｋｉ６７及びＣＤ３１の発現に対する定量データは免疫組織化学スコアと有意に関連していた（ｐ≦０．００１）。
マイクロアレイ技術は、全ての標本が同一条件下で加工され、分析前及び分析標準化が最適化されるという事実から有利である。アガロースが合成ブロック中に既知量のｍＲＮＡ及びタンパク質を導入する媒体として用いられ、それが、組織検査され、内部コントロールとして組織マイクロアレイ中に組み込まれうる。よって、研究の目的は免疫標識とＩＳＨの特異性と感度をコントロールする際のアガロース基質の有用性を決定することにある。
【００７４】
ヒト組織の選択
ＦＦＰＥ結腸直腸組織カセットと対応するヘマトキシリン及びエオシン（Ｈ＆Ｅ）染色切片を、マイクロアレイの構築のための非腫瘍性、良性及び悪性上皮細胞を含むブロックについて調べた。
合成標準ブロックの調製
β-アクチン、ＨＧＦ、Ｐ１ＧＦ、ｃ-Ｍｅｔ及びＶＥＧＦ-Ａの断片を増幅するためにＰＣＲプライマーを設計した。センス及びアンチセンスＨＧＦ、Ｐ１ＧＦ、ｃ-Ｍｅｔ及びＶＥＧＦ-Ａ ＲＮＡ断片を、製造者のプロトコールに従って、適切なMegascriptキット(Ambion, Austin, TX)を用いて転写した。製造者の指示書に従って、RNeasyミニキット(Qiagen Inc., Valencia, CA)を使用してＲＮＡを精製した。２６０及び２８０ｎｍでの吸光を分光光度法によって測定して、ＲＮＡ収量及び濃度を決定した。
NuSieve３：１アガロース(FMC Bioproducts, Rockland, ME)を、８％の水溶液の２５０μｌのアリコートに構成し、９５℃の水浴でインキュベートした。ｍＲＮＡの段階希釈物を調製し、ピペット採取によってアガロースと混合し、１ｍｌ（２％アガロース）の全容積中、５μｇ／ｍｌ、１μｇ／ｍｌ及び０．５μｇ／ｍｌの最終濃度にした。ついで、混合物を９５℃で更に１０分間インキュベートしｍＲＮＡを変性させた。ボルテックスによって十分に混合した後、各コントロールをピペットによって１５ｘ１５ｍｍのdiSPOベースモールド(Baxter, Deersfield, IL)に入れ、４℃で１−２時間放置した。固化したブロックをモールドから取り除き、パラフィン包埋前に４％ホルマリンで一晩固定した。また、ＨＥＲ２タンパク質細胞外ドメイン（ＥＣＤ）に対応するペプチドを使用して同様の方法で標準物質を構築した。タンパク質の段階希釈物を調製し、２％アガロース１ｍｌ中、０．４６ｍｇ／ｍｌ、０．０９３ｍｇ／ｍｌ及び０．０４６ｍｇ／ｍｌの最終濃度にした。タンパク質の変性を防止するために、混合及びモールド中へのピペットによる注入の前にアガロースを冷却させた。ブランクのＦＦＰＥ２％アガロースコントロールをまたアレイ中に導入した。
【００７５】
組織マイクロアレイの構築
Beecher Instrumentsマイクロアレイヤー(Silver Spring, MD)を使用して事例群を代表する２つのＴＭＡｓを構築した。全体で、８３の原発性結腸直腸腺癌 (CRCs)、１２の転移(CRMs; ９の肝臓、２のリンパ節、１の小腸漿膜)、１５の腺腫(CRAs)及び９の隣接する正常な粘膜組織を採取した。標準物質を各マイクロアレイ中に導入して次のように本発明に係る内部標準物質とした。円筒状コア（直径６００μｍ）をドナーブロックの代表的領域から穿孔採取し、レシピエントパラフィンブロック（３５ｘ３５ｍｍ）中に入れた。組織採取は３組実施して、親ブロックに代表的データを提供し、合成標準物質を３組採取してレシピエントブロックに挿入した。３μｍの厚みの切片をレシピエントブロックから切り出しガラススライドに取り付けた。
【００７６】
免疫組織化学法
ＣＤ３１、Ｋｉ６７、ヒトＭｕｔ Ｌホモログ１（ｈＭＬＨ１）、ヒトＭｕｔ Ｓホモログ２（ｈＭＳＨ２）及びｐ５３の免疫局在化を免疫組織化学法（ＩＨＣ）によって評価した。マイクロアレイ切片を脱パラフィン化し、熱媒介抗原回復を、表１に引用された条件下でスライドをマイクロウェーブ処理することにより実施した。内在性ペルオキシダーゼを、脱イオン水で１：１０に希釈したKirkegaard及びPerry Laboratoriesブロック液(Gaithersburg, MD)を用いて、室温で４分にわたって急冷した。リン酸緩衝生理食塩水（ｐＨ７．２）を全体にわたって洗浄液として使用した。続いて、スライドを加湿チャンバー中に平らにして配し、内在性ビオチンを、製造者の指示書に従って、アビジン-ビオチンブロックキット(Vector Labs., Burlingame, CA)を用いてブロックした。非特異的免疫グロブリン結合を、室温で３０分間、１０％の正常ウマ血清（ＮＨＳ）(Gibco, Rockville, MD) を用いてブロックした。ついで、表１において引用した条件下で、ＮＨＳに希釈した適切な一次抗体と共にＴＭＡ切片をインキュベートした。一晩のインキュベーション（ＣＤ３１）を４℃にてShandon Sequenza ユニット(Runcorn, UK)で実施した。その後、スライドを、ＮＨＳに１：２００で希釈した適切なビオチン化二次抗体(Vector Labs.)と共にインキュベートした。ビオチン化抗体からのシグナルを増幅し、ストレプトアビジン-ビオチン複合体(ABC) (Vectastain Elite; Vector Labs.)を用い、提供されたプロトコールに従って西洋わさびペルオキシダーゼ（ＨＲＰ）で標識した。ＣＤ３１免疫染色に対しては、ＨＲＰ複合体のチラミドシグナル増幅を、製造者のプロトコールに従っての、ビオチン化チラミド(NEN TSAキット, Perkin Elmer, Boston, MA)と、続く第二のＡＢＣ層とのインキュベーションによって実施した。免疫複合体を、室温で５分間の金属増強３,３'-ジアミノベンジジン(Pierce Technology, New York, NY) とのインキュベーションによって可視化した。組織をMayerのヘマトキシリンで対比染色し、ブルーイング液で発色させ、脱水し、合成培地に取り付けた。
【００７７】
【表４】
2005509870.tif 000005
３μｍ厚のＦＦＰＥヒト胎児ブロックの切片を実験のコントロールとした。陰性のコントロールスライドは、一次抗体の代わりに同じ種、アイソタイプ及び濃度の免疫グロブリン培養上清(DAKO Corp., Carpinteria, CA)とインキュベートした。
全てのＩＨＣを一人の組織病理学者がスコア付けした。コアは、陽性の染色核が上皮細胞集団の２５％より多く占める場合にｐ５３を過剰発現しているとした。ｈＭＬＨ１及びｈＭＳＨ２の発現の喪失に対する閾値はコアの上皮細胞集団中の核染色の完全な欠如として定義した。Ｋｉ６７の核発現を証明する上皮細胞の割合を使用して、１−３のスコアの増殖指数とした（各コア中、それぞれ＜１０％、１０−５０％及び＞５０％の陽性染色腸細胞に相当)。ＣＤ３１に対して産生されたＩＨＣを用いて、０−３のスコアの相対コア血管増生を決定した。各コアに対する最終スコアはそれぞれの３つのコアからの最大値を取った。免疫蛍光データの統計的比較を補助するために、Ｋｉ６７及びＣＤ３１ ＩＨＣスコアを、低(スコア１)又は高(２又は３のスコア)増殖指数及び低(０又は１のスコア)又は高(２又は３のスコア)血管密度に再分類した。
【００７８】
免疫蛍光
ＩＨＣによって評価された抗原に加えて、上皮関連抗原（ＥＲＡ）及びＨＥＲ２の発現もまたＩＦによって評価された。一次及び二次抗体（ＣＤ３１に対するビオチン化チラミドまで）を用いての所望の抗原の免疫標識をＩＨＣのように実施した。ついで、ビオチン化タグを、室温にて３０分かけてストレプトアビジン、ALexa Fluor６３３コンジュゲート（正常血清で１：２００に希釈；Molecular Probes, Eugene, OR）で標識した。組織を取り付け、ＤＡＰＩ（４',６ジアミジノ-２-フェニルインドール）（Vector Labs.）を用いたVectashield媒体で対比染色した。脱色とシグナルの消失を防止するために、全ての蛍光スライド及び試薬は、使用しないときはアルミフォイルでラッピングし、４℃で保存した。
蛍光標識したスライドを、励起のために６３５ｎｍレーザーを用いるＦＬＡ-８０００イメージャー（Fujifilm Medical Systems USA Inc., Stamford, CT）を使用して先ず評価した。９００Ｖの電位差を蛍光発光の検出と定量のために光電子増倍管に印加した。スキャニングを最大感度で実施し、５μｍの画像分解能を達成した。続いて、免疫染色の検定のために蛍光顕微鏡（ＡＭＪ）によってマイクロアレイを検査した。
バックグラウンド除去、スキャンイメージのグリッド化と解析をPhoretix Arrayソフトウェア（バージョン２; Nonlinear Dynamics, Newcastle upon Tyne, UK）を用いて行った。各例に対する定量シグナルをバックグラウンドを越える最大コア面積（ＣＤ３１、ＥＲＡ）又は体積（他の全ての定量抗原）として取った。ついで、定量ＩＦシグナル（ＣＤ３１、ｈＭＬＨ１、Ｋｉ６７及びｐ５３）を、それぞれのバイナリーＩＨＣスコア及び比較した四分位範囲（ＩＱＲｓ）によって分類した。定量ＩＦの評価のための閾値を、最低のメジアン面積／体積を持つグループの第三の四分位数と最高のメジアン面積／体積を持つグループの第一の四分位数の間に設定した。ついで、各事例に選択された閾値に対してバイナリースコアをあてがった。
【００７９】
インサイツハイブリダイゼーション
［３３Ｐ］ＵＴＰ標識（Amersham Pharmacia Biotech, Piscataway, NJ）アンチセンスリボプローブを、増幅β-アクチン、ＶＥＧＦ-Ａ、ＨＧＦ、ｃ-Ｍｅｔ及びＰ１ＧＦ ｃＤＮＡ鋳型からインビトロにて転写した。ＴＭＡ切片を脱パラフィン化し、４μｇ/ｍｌのプロテイナーゼＫで３７℃で３０分間、除タンパクし、更に標準的な方法を使用してＩＳＨのために加工した（例えばLu L.H.及びGillett N.A., Cell Vision 1:169-176 (1994)；及びWeisinger G等, Biochim Biophys Acta 1446:225-232 (1999)を参照）。アンチセンスリボプローブを５５℃で一晩ハイブリダイズさせた後、０．１ｘＳＳＣ中で５５℃にて２時間、高ストリンジェント条件の洗浄を行った。定量分析のために、乾燥させ同位体的にハイブリダイズさせたスライドを、室温で１８時間、リン光イメージングプレート(ＩＰ) (露出カセットを備えた８５ｘ１２７ｍｍ, 富士フイルム)に並べた。インキュベーション直後に、励起のための５３２ｎｍレーザーと写真刺激発光を検出するためのＢ３９０フィルターを使用して、ホスフォイメージャー(FLA-8000)を用いて１０μｍの解像度でＩＰをスキャンした。バックグラウンド除去、ＩＰのグリッド化と解析をPhoretix Arrayソフトウェアを用いて行った。各例に対する定量シグナルをバックグラウンドを越える最大コア体積として取った。コアのｍＲＮＡ量の変動を制御するために、ＶＥＧＦ-Ａ、ｃ-Ｍｅｔ、ＨＧＦ及びＰ１ＧＦにハイブリダイズさせたプローブからのシグナルを、β-アクチンにハイブリダイズさせたプローブからのシグナルに対して正規化させた(Frantz G.D. 等, J Pathol 195:87-96 (2001)を参照）。
ＩＰ露出後に、スライドをＮＢＴ２核トラックエマルジョン(Eastman Kodak, Rochester, NY)に浸け、乾燥剤を含む密封プラスチックスライドボックス中で４℃にて２−４週間露出させ、現像し、Ｈ＆Ｅで対比染色した。続いて、ハイブリダイゼーションの証明のために明視野／暗視野顕微鏡によってマイクロアレイを調べた。
【００８０】
統計的解析
統計的解析を、ウィンドウズ用ＳＰＳＳ(バージョン10.1; Chicago, IL)を使用して実施した。イェーツ補正ピアソンのχ2検定を用いてカテゴリーデータ間の関係の優位性を評価した；ここで、期待カウントは５未満であり、フィシャーの正確な検定を用いた。連続データの平均及びメジアン値を、ステューデントｔ検定とマン・ホイットニーＵ検定によってそれぞれ比較した。両側性ｐ値が＜０．０５の場合に統計的に有意であるとされる。
【００８１】
結果
免疫組織化学
採取した１１９の例のうち８５から１０３（７１−８６％）が抗原の発現の解釈に十分であった（表５）。エレメントは、それが不十分な上皮細胞、組織壊死又は出血を含んでいる場合は不十分であると見なした。全ての陰性コントロール切片は色素原付着の欠如を証明した。抗ｐ５３免疫グロブリンクローンＤＯ-７はｐ５３タンパク質の野生型及び変異体型の両方に感受性である。色素原付着は上皮細胞集団の核のみに観察された。ｐ５３の発現は、隣接した正常な粘膜の０／９（ｐ＝０．００１）及び１／１２のみのＣＲＡｓ（ｐ＝０．００５）と比較して４０／７０のＣＲＣｓにおいて明らかであった。これに対して、Ｋｉ６７、ｈＭＬＨ１及びｈＭＳＨ２の発現は上皮細胞と介在する間質の双方の核において観察された。正常な腸細胞では、３種全ての抗原の発現の徐々の喪失が、腺窩を通じての細胞の進行と共に観察された。一つのミスマッチ修復タンパク質の喪失（ｈＭＬＨ１）が７／７３の腫瘍（９．６％）で検出される一方、ｈＭＳＨ２はスコア付けされた全ての腫瘍によって発現された（ｎ＝７６）。全ての隣接する非腫瘍粘膜コアはｈＭＬＨ１及びｈＭＳＨ２を発現した。Ｋｉ６７の増殖指数は、隣接する正常な粘膜（０／９が２−３のスコア；ｐ＝０．００１）とＣＲＡｓ（６／１５が２−３のスコア；ｐ＜０．００１）と比較して原発性ＣＲＣｓにおいて有意に高かった（６０／６７が２−３のスコア）。ＣＤ３１の発現は内皮細胞の細胞質膜及び血小板において有意に観察された。周囲の組織中への血小板の全血管外遊走が信頼性のあるスコアを不可能にするため、出血を示すコア（ｎ＝９）を除外した。採取したＣＲＡｓは隣接した正常粘膜(６／９が２−３のスコア；ｐ＝０．０１２)又はＣＲＣｓ(３９／６８が２−３のスコア；ｐ＝０．０３２)の何れかよりも血管が有意に少なかった(２／１２が２−３のスコア)。ＣＲＭｓの発現特性はＣＲＣｓのものとは有意には異なっていなかった（表５にまとめ）。
【００８２】
【表５】
2005509870.tif 000006
ｐ５３の発現は、ｈＭＬＨ１を保持していた腫瘍の５３％と比較してｈＭＬＨ１を喪失した腫瘍では観察されなかった（０／７対３９／７４；ｐ＝０．０１２）。他の抗原は統計的に有意な結合を示さなかった（データは示さず）。
【００８３】
定量的免疫蛍光法
採取した１１９事例のうちの８１から１００（６８−８４％）が各切片の分析に十分であった（表６）。不十分な上皮細胞量のコアの排除は蛍光顕微鏡のスライドのレビューとＥＲＡ ＩＦの双方によって導かれた。これは評価に対して有効であったＩＨＣ染色例の数と有意には異なっていなかった。蛍光顕微鏡と定量的イメージングによって見られる蛍光シグナルの免疫局在化は各々それぞれの抗体に対する色素原付着のパターンと同一であった。
ＥＲＡの発現が正常な腸細胞と腫瘍腸細胞の双方の膜に観察された。しかし、蛍光強度は上皮細胞集団にわたって一様ではなかった。ｈＭＬＨ１を例外として、ＩＨＣ分類ＩＱＲｓが別個のオーバーラップしていないグループを形成した。ｐ５３、Ｋｉ６７及びＣＤ３１の発現の定量的ＩＦスコアはＩＨＣにより評価された定量スコアと有意に関連していた（表６；ｐ≦０．００１）。
【表６】
2005509870.tif 000007
【００８４】
しかしながら、定量ＩＦの分布は、より高い定量ＩＨＣスコア（１．６から８．１倍大きい範囲）の場合に広いＩＱＲｓを実証した。ＩＨＣと定量ＩＦスコア間の絶対的一致性はｐ５３に対しては１に近い(κ=0.88)が、Ｋｉ６７(κ=0.34)及びＣＤ３１(κ=0.54)に対しては比較的低い(表７)。同様に、定量アッセイの予想値は特定の細胞集団(ｐ５３、ＣＤ３１)中で発現された抗原に対して最も大きく、よって隣接する細胞型からの交絡シグナルを被らなかった（表７）。これに対して、Ｋｉ６７は、間質及び上皮細胞集団の何れか又は双方において発現され得、比較的低い陰性の予想値を示した（表７）。
【表７】
2005509870.tif 000008
合成内部標準物質コアはＨＥＲ２ ＥＣＤの濃度に応じて勾配のある陽性シグナルを示した。ＨＥＲ２コントロールコアのシグナルは全ての他のＩＨＣ、ＩＦ及びＩＳＨ実験のバックグラウンドレベルを超えておらず、ブランクのアガロースコントロールコアは陰性であった。ＨＥＲ２は検査した結腸直腸上皮組織の大部分で低レベルで発現された。しかしながら、ＨＥＲ２の半発現は正常な隣接粘膜と比較して腫瘍集団において１．８から２．９倍に増加した（ｐ≦０．００８）。しかし、高レベルの発現は単一の漿膜転移に観察され、これはアレイの他の悪性腫瘍の平均シグナルより４．９倍大きいシグナル体積を示した（７０５３６対１４４０８相対ユニット；ｐ＜０．００１）。
【００８５】
定量ＩＳＨ
合成センスｍＲＮＡ内部標準物質は適切なアンチセンスリボプローブと特異的にハイブリダイズし、ｍＲＮＡ濃度の増加に伴ってリン発光のポジティブな勾配を示した。これに対して、アンチセンス及びブランクアガロースコントロールからのシグナルはバックグラウンド発光を越えなかった。明視野／暗視野顕微鏡は全ての結腸直腸細胞集団中でのβ-アクチンの発現を実証した。第一の四分位数以下のβ-アクチンシグナル体積を示す例は分析には不十分なｍＲＮＡを含むものであると思われ、解釈から除外した。β-アクチンは採取された１１９の例の内８８において（７４％）十分に高いレベルで発現された。
スキャン画像、定量データ及び明視野／暗視野顕微鏡を調べたところ、結腸直腸組織はＨＧＦ及びＰ１ＧＦ ｍＲＮＡに対して産生された放射標識リボプローブのハイブリダイゼーションを示さなかった。これに対して、ｃ-Ｍｅｔ及びＶＥＧＦ-ＡはＣＲＡｓ、ＣＲＣｓ及びＣＲＭｓの下位群においてアップレギュレートされた。ある割合のＣＲＡｓ及びＣＲＣｓは、それぞれ正常粘膜での発現の１．９及び２．７倍までのｃ-Ｍｅｔ ｍＲＮＡの発現のアップレギュレーションが示された。有意なＶＥＧＦ-Ａの発現が明視野／暗視野顕微鏡によって観察された。ＶＥＧＦ-Ａ ｍＲＮＡの半レベルが隣接の正常な粘膜と比較してＣＲＣｓにおいて４倍増加した(０．２０対０．０５；ｐ＝０．００３)が、ＶＥＧＦ-Ａの発現は、ＣＲＡｓとＣＲＣｓの間(メジアン、０．１４対０．２０；ｐ＝０．３８７)又はＣＲＣｓとＣＲＭｓの間(メジアン、０．２０対０．２９；ｐ＝０．７１８)において有意に異なっていなかった。
全体で、結腸直腸腫瘍の７４／８８（８４％）がＶＥＧＦ-Ａの増加した発現を示した。ＶＥＧＦ-Ａの発現は、ｐ５３の発現の場合に免疫組織化学検出の閾値より２．７倍であり(メジアン、０．２２５対０．０８４；ｐ＝０．０２５) 、２又は３のスコアの増殖指数の場合に２．２倍（メジアン、０．１６９対０．０７７；ｐ＝０．０１４)であった。
【００８６】
この実験は、ＩＦ及びＩＳＨの迅速な定量のための新規な高解像度のレーザー画像処理システムの有用性を示した。また、データは、癌進行及び腫瘍関連血管新生の原因をなしていると信じられる分子変化に関する重要な情報を生じた。
組織マイクロアレイ中に内部標準物質を使用し、ｐ５３及びＣＤ３１に対する定量ＩＦはＩＨＣスコアと高レベルの一致を見た（上掲の表７）。定量データは、高ＩＨＣスコアを示したオブザーバー定義カテゴリー内に広い範囲にわたって分布していた。これは、免疫標識が密である場合、ＩＨＣ観察者が色素原分布及び／又は強度の差を精確に識別できず、よって臨床病理学的に重要なデータを見逃すかも知れないことを示している。同様に、観察者は発現の僅かな際を精確には区別することができない。例えば、定量画像処理は、蛍光顕微鏡によっては明らかではなかった、ＨＥＲ２発現の全体的増加を腫瘍化と識別することができた。この研究はまた結腸直腸腫瘍形成において遅いｐ５３の発現を示し、それがｈＭＬＨ１の喪失と逆に関連していることを見出した。
ＩＨＣ、ＩＳＨ及びＲＴ-ＰＣＲの定性的評価は、連続変数である、ＶＥＧＦの発現を十分には評価しない。これに対して、ここに記載された組織マイクロアレイに対して内部標準物質を使用する定量アプローチ法は遺伝子発現のより精確な手段を提供する。精確な定量に加えて、ＦＦＰＥの優れた形態学により、標識抗原及びｍＲＮＡ転写物の明解な局在化が可能になった。
【００８７】
コントロールに対する腎細胞癌でのＶＥＧＦの発現の増加はＨＩＦ-１αの核の発現の増加に相関する。
酸素利用性が、低酸素条件下でのホメオスタシスの維持に必要な、エリスロポイエチン、一酸化窒素合成酵素（ＮＯＳ）、ヘモオキシゲナーゼ１（ＨＯ-１）、グルコース輸送体及び血管成長因子（例えばＶＥＧＦ）を含む多くの異なった遺伝子の発現の調節において重要な役割を担っている。低酸素誘導因子１アルファ(ＨＩＦ-１α)はこれらの遺伝子の酸素依存性調節に役立つｂＨＬＨ-ＰＡＳファミリーメンバーとして同定された。ＨＩＦ-１αは低酸素状態において核に急速に蓄積し、ＨＩＦ-１ベータとも称されるアリール炭化水素核レセプターＡＲＮＴとヘテロ二量体化する。様々な癌におけるＶＥＧＦ及びＨＩＦ-１αの相対発現を、ここに記載した方法に従う定量インサイツハイブリダイゼーションにより評価した。
標準物質はここに記載したようにして調製した。ＶＥＧＦ及びＨＩＦ-１αをコードするｍＲＮＡを転写し、ここに記載されたようにしてＢＳＡを含むアガロース中に埋め込んだ。正常なコントロール組織並びに乳房、肺、大腸、卵巣、甲状腺、腎臓、及び肉腫を含む様々な組織からの試料を含む組織マイクロアレイを、ＶＥＧＦ及びＨＩＦ-１αの相対的定量発現について調べた。
【００８８】
ＶＥＧＦ及び／又はＨＩＦ-１αの発現を複数の腫瘍型において検出した。ＶＥＧＦの発現は腎細胞癌において最も高かったが、肺、卵巣及び甲状腺癌においても正常なコントロールを越えて発現された。ＶＨＬ遺伝子に変異を有する腎細胞癌では、ＶＥＧＦの発現はＨＩＦ-１αの発現と相関していた。ＶＥＧＦ ｍＲＮＡのレベルと検査した他の腫瘍型におけるＨＩＦ-１α ｍＲＮＡの存在との間に殆ど相関はなかった。よって、 定量インサイツハイブリダイゼーションにより、正常コントロール組織を越えるＶＥＧＦ及びＨＩＦ-１αの発現の増加を検出することは、患者の腎細胞癌を検出する有用な方法である。
これらを併せると、ここで提示された結果は、内部標準物質を含む組織マイクロアレイのレーザー画像化がアレイ化腫瘍集団のインサイツでの検査のための有用な方法であることを実証している。このアプローチは、ＦＦＰＥ組織に適用でき、広いダイナミックレンジにわたる定量データを提供する高処理で再現性がある標準化方法に対する要求に合致している。ＩＦ標識及びリン光画像プレートは長期保存には受け入れられないが、デジタル画像処理により、バーチャルアーカイブに高解像度の電子データを保存することが可能になる。これは、実験データの遡及的分析を容易にし、構造化されたＴＭＡデータベースの一体部分を形成しうる。
【００８９】
実施例５
複数ＲＮＡ分子／アガロース内部標準調製物
本発明は、アガロースのような固体埋め込み材料中に入れた、異なったタイプのＲＮＡのような、既知量の異なった生物学的分子を有する内部標準調製物を使用するための本発明の有用性を証明する。特に、本実施例は、アレイで実施される加工及び分析手順を通じてＲＮＡｓが保持されるようにアレイで使用される内部標準調製物を形成するためにアガロースとＢＳＡ中に複数の異なったＲＮＡ分子を埋め込むためのアプローチ法を証明する。埋め込まれたＲＮＡｓは、特に二つの異なったＲＮＡ分子が異なった標識を使用して検出されるかも知れない手順に対して、単に手順の成功のポジティブコントロールとして、例えば二本鎖インサイツハイブリダイゼーションに対する手順方法を改善するための基礎的アッセイにおける成分として、又は最終的に組織又は細胞中の遺伝子発現の比較レベルを評価するための定性的標準として、使用することができる。
ｌｉｖ-１ＲＮＡのセンス転写物を、次の配列（センス配向）を持つＰＣＲ増幅ＤＮＡ鋳型を使用してインビトロで転写させた：
TGCCATTCACATTTCCACGATACACTCGGCCAGTCAGACGATCTCATTCACCACCATCATGACTACCATCATATTCTCCATCATCACCACCACCAAAACCACCATCCTCACAGTCACAGCCAGCGCTACTCTCGGGAGGAGCTGAAAGATGCCGGCGTCGCCACTTTGGCCTGGATGGTGATAATGGGTGATGGCCTGCACAATTTCAGCGATGGCCTAGCAATTGGTGCTGCTTTTACTGAAGGCTTATCAAGTGGTTTAAGTACTTCTGTTGCTGTGTTCTGTCATGAGTTGCCTCATGAATTAGGTGACTTTGCTGTTCTACTAAAGGCTGACATGACCGTTAAGCAGGCTGTCCTTTATAATGCATTGTCAGCCATGCTGGCGTATCTTGGAATGGCAACAGGAATTTTCATTGGTCATTATGCTGAAAATGTTTCTATGTGGATATTTGCACTTACTGCTGGCTTATTCATGTATGTTGCTCTGGTTGATATGGTACCTGAAATGCTGCACAATGATGCTAGTGACCATGGATGTAGCCGCTGGGG [配列番号：５]
ＤｒＣ３ ＲＮＡのセンス転写物を、次の配列（センス配向）を持つＰＣＲ増幅ＤＮＡ鋳型を使用してインビトロで転写させた：
CAGCCAGAACACGCAGTGCCAGCCGTGCCCCCCAGGCACCTTCTCAGCCAGCAGCTCCAGCTCAGAGCAGTGCCAGCCCCACCGCAACTGCACGGCCCTGGGCCTGGCCCTCAATGTGCCAGGCTCTTCCTCCCATGACACCCTGTGCACCAGCTGCACTGGCTTCCCCCTCAGCACCAGGGTACCAGGAGCTGAGGAGTGTGAGCGTGCCGTCATCGACTTTGTGGCTTTCCAGGACATCTCCATCAAGAGGCTGCAGCGGCTGCTGCAGGCCCTCGAGGCCCCGGAGGGCTGGGGTCCGACACCAAGGGCGGGCCGCGCGGCCTTGCAGCTGAAGCTGCGTCGGCGGCTCACGGAGCTCCTGGGGGCGCAGGACGGGGCGCTGCTGGTGCGGCTGCTGCAGGCGCTGCGCGTGGCCAGGATGCCCGGGCTGGAGCGGAGCGTCCGTGAGCGCTTCCTCCCTGTGCACTGATCCTGGCCCCCTCTTATTTATTCTACATCCTTGGCACCCC 
[配列番号：６]
ＶＥＧＦ Ａ転写物は実施例１に記載されたようにして転写された。
【００９０】
実施例１に記載された方法を使用して３つの異なった内部標準調製物をつくった：一つはＶＥＧＦ ＡセンスＲＮＡのみを含むもの；第二はｌｉｖ-１センスＲＮＡ及びＤｃＲ３センスＲＮＡを含むもの；第三はｌｉｖ-１センスＲＮＡ、ＤｃＲ３センスＲＮＡ及びＶＥＧＦ ＡセンスＲＮＡを含むものである。ＶＥＧＦ ＡセンスＲＮＡを含む第一内部標準調製物は実施例１に記載された手順に正確に従って作製した。第二の内部標準調製物は、各ＲＮＡの最終濃度が１００ｎｇ／ｍＬになるようにｌｉｖ-１及びＤｃＲ３ＲＮＡを添加することによって作製した。（例えば、１μｌの１００ｎｇ／μｌ ｌｉｖ-１ ＲＮＡ＋１μｌの１００ｎｇ／μｌのＤｃＲ３ ＲＮＡ＋２５０μｌの８％アガロース＋７４８μｌのＳＱＨ２Ｏ）。第三の内部標準調製物は、各ＲＮＡの最終濃度が１００ｎｇ／ｍＬになるようにＶＥＧＦ Ａ、ｌｉｖ-１及びＤｃＲ３ＲＮＡを添加することによって作製した。（例えば、１μｌの１００ｎｇ／μｌ ｌｉｖ-１ ＲＮＡ＋１μｌの１００ｎｇ／μｌのＤｃＲ３ ＲＮＡ＋１-μｌの１００ｎｇ／μｌのＶＥＧＦ Ａ ＲＮＡ＋２５０μｌの８％アガロース＋７４７μｌのＳＱＨ２Ｏ）。
別個のエッペンドルフ管に収容した３つの内部標準調製物の各々を、９５℃のヒートブロックで３分間加熱した後、氷で直ぐに冷却してＲＮＡ転写物を変性させた。ＲＮＡ溶液のそれぞれに、２５０μｌの８％ＮｕＳｉｅｖｅ３：１（高ゲル強度のアガロース）及び５０℃のヒートブロックで温めた５００ｍｌのＳＱＨ２Ｏを、実施例１に記載されているようにして添加した。ＲＮＡ／アガロース内部標準調製物の各々を簡単にボルテックスした後、１５ｍｍＸ１５ｍｍのＤｉｓＰＯベースモールド（Baxter Scientific）中に注いだ。そのＲＮＡ／アガロース内部標準調製物を少なくとも１時間４℃でゲル化させてドナーブロックを形成した。ＲＮＡ／アガロースドナーブロックの各々を実施例１に記載されたようにして固定した。
３通りのコアが３つの内部標準調製物（ＶＥＧＦ Ａ転写物単独、ＤｃＲ３及びｌｉｖ-１転写物、及びＤｃＲ３、ｌｉｖ-１及びＶＥＧＦ Ａ転写物）を持つＴＭＡを実施例３に記載のようにしてつくった。ＴＭＡを実施例３において使用された同じＶＥＧＦ Ａアンチセンスプローブを用いてハイブリダイズした。ＶＥＧＦ Ａセンス転写物を含む内部標準調製物コアだけが、単独で又は組み合わせで、ポジティブなシグナルを生じた。
【表８】
2005509870.tif 000009
上の表８に示したように、複数の異なった種類のＲＮＡ分子を含む内部標準調製物は、ここでＶＥＧＦ Ａに対して例証されたように、ＲＮＡ分子の混合物中において個々のＲＮＡのプローブと共にハイブリダイズした場合にポジティブな結果を付与する。
【００９１】
実施例６
ＲＮＡ／タンパク質／アガロース内部標準調製物
本発明は、アガロースのような固体埋め込み材料中に入れた、既知量の異なった生物学的分子、例えばＲＮＡ分子及びタンパク質を有する内部標準調製物を使用するための本発明の有用性を証明する。特に、タンパク質とＲＮＡ分子の両方を含む実施例１及び２に記載されたようにして調製された内部標準調製物は、ＲＮＡ及びタンパク質の発現が免疫組織化学及びインサイツハイブリダイゼーション法によって同じ切片において評価される方法に対して特に成功裡の手順のポジティブコントロールとして、例えばＲＮＡ及びタンパク質を同じ切片において検出するための、基礎的アッセイにおいて手順方法を改善する成分として、又は最終的に組織又は細胞中のＲＮＡ及びタンパク質の発現の比較レベルを評価するための定性的標準として、使用することができる。
Ｈｅｒ２／ＥｒｂＢ２センスＲＮＡ転写物を、実施例１に詳細に記載したようなＲＮＡ溶液を作製するためにインビトロで転写する。１００ｎｇ／μｌの作動濃度のＨｅｒ２／ＥｒｂＢ２ ＲＮＡ溶液を実施例１に記載されているようにして作製する。新しいエッペンドルフ管中の２００μｌのＳＱＨ２Ｏに５０μｌアリコートのＲＮＡ溶液（５μｇ）を加える。ＲＮＡ溶液を含むエッペンドルフ管を９５℃のヒートブロックで３分間加熱してＲＮＡ転写物を変性させ、ついで氷で即座に冷却する。ＲＮＡ溶液とは別個に、最終濃度０．４５ｍｇ／ｍＬのＨｅｒ２／ＥｒｂＢ２タンパク質を、実施例２に記載されたような０．９３ｍｇ／ｍＬの合成Ｈｅｒ２／ＥｒｂＢ２ ＥＣＤタンパク質５００μｌを添加することによって作製する。タンパク質／水混合物を簡単にボルテックスした後、２５０μｌのＲＮＡ溶液に添加する。ついで、約６０℃まで簡単に冷却した、２５０μｌの８％ＮｕＳｉｅｖｅ３：１（９９℃で溶融した高ゲル強度のアガロース）をＲＮＡ／タンパク質混合物に添加する。ＲＮＡ／タンパク質／アガロース混合物を簡単にボルテックスした後、１５ｍｍＸ１５ｍｍのＤｉｓＰＯベースモールド（Baxter Scientific）中に注ぐ。そのＲＮＡ／タンパク質／アガロース混合物を少なくとも１時間４℃でゲル化させた。ＲＮＡ、タンパク質、又はアガロースの濃度を変化させるために、その成分の体積を、ＳＱＨ２Ｏの量を相反させて低減することによって増加させることができる。ゲル形成後、ＲＮＡ／タンパク質／アガロースブロックを実施例１−４に記載のようにしてプロセッシングすることができる。
【００９２】
実施例７
凍結細胞アレイの構築
本実施例は凍結細胞アレイを構築するための本発明の有用性を証明する。
４０ｍｍ長ｘ１．２ｍｍ外径の寸法の中空ガラスピン、つまりガラス平滑端を含んでなる、２５本のピンを有するアレイヤーを作製し、ヒートシールし、１２ｍｍｘ１２ｍｍ（１４４ｍｍ２）の寸法のプレキシグラス製の基部にエポキシで接着した。各ピンは１．４ｍｍの等間隔に離間し、金属小片とエポキシを含むシーラーで塞がれている。流動性ＯＣＴ媒体を、２２ｍｍｘ３０ｍｍｘ２０ｍｍ（深）の寸法の使い捨て埋め込みモールド（VWR, San Francisco, CA）中に注いだ。アレイヤーピンを先ずグリセロールに浸漬した後、埋め込みモールド内に含まれる流動性ＯＣＴ媒体中に部分的に浸漬した。流動性ＯＣＴを、−１６０℃イソペンタンの極低温中に３から５分間、流動性ＯＣＴ、モールド及び係合ピンを沈めることによって凍結させた。ついで、ピンをＯＣＴモールドから取り出し、アレイレシピエントブロック中に少なくとも２０ｍｍ深さの２５ウェルのアレイを残した。アレイレシピエントブロックを、ウェルに様々な細胞株懸濁液を充填するまで−７０℃で保存した。
次のチャートに列挙した付着及び懸濁細胞の双方を用いて、凍結アレイに添加した。付着細胞は室温で１５−２０分間０．５ｍＭのＥＤＴＡの存在下で組織培養フラスコから取り外した後、１０００ｒｐｍで５分間遠心分離し、４℃にてＰＢＳで洗浄した。懸濁細胞（ＣＯＬＯ２０５、ジャーカット、及びＢｊａｂ）はＰＢＳで４℃にて直接洗浄した。細胞数を、粒子計数アナライザー（Coulter Z2, Beckman Coulter）を用いて決定し、細胞を、高度に濃縮した細胞懸濁液を得るために７０から１５０μｌの冷ＰＢＳ中に再懸濁させた。細胞懸濁液を充填まで４℃に維持した。アレイ中に充填した細胞懸濁液の最終密度を表９に示す。
【００９３】
【表９】
2005509870.tif 000010
【００９４】
細胞を充填するために、ＯＣＴアレイを冷保存所から取り出し、室温でドライアイスを満たしたボックス上に配する。アレイ位置には、全体で２５の位置に対して、段にＡ−Ｅを、列に１−５の番号を付した。アレイの位置Ａ１にトリパンブルー染色０．４％（BivcoBRL）を配向マーカーとして充填した。１００μｌ未満の上述の２４の再冒険濁液をそれぞれ、２２ゲージの１．５インチ長（０．７ｍｍＸ４０ｍｍ）針を備えた１ｍｌシリンジ（Becton Dickinson & Co., Bedford, MA）を用いてアレイの残りのウェル中に充填した。アレイはアレイスライドのためにスライスされるまで−７０℃で保存される。
６μｍから１２μｍの厚みの一又は複数の切片を−２０℃のクリオスタット上で上記のアレイから切り取り、予め洗浄した顕微鏡スライド（７５ｍｍＸ２５ｍｍ、０．９６から１．０９ｍｍ厚）（Baxter Diagnostic Inc.）上に配した。各スライドは細胞アレイの２つの切片（１．４４ｃｍ２）を含み、各スポットはおよそ１．１ｍｍの直径であった。細胞アレイスライドは分析に使用するまで−７０℃で保存した。
【００９５】
実施例８
凍結細胞アレイでの免疫組織化学
本実施例は凍結細胞アレイの切片に対して免疫化学的手法を実施するための本発明の有用性を証明する。
複数の細胞試料を含む実施例７の凍結細胞アレイスライドを、少なくとも３時間室温で空気乾燥させた後、アセトン中に５分間固定し、一晩空気乾燥させた。内在性免疫グロブリン結合部位をＰＢＳ１％ＢＳＡで３０分ブロックした後、その上に、０．５μｇ／ｍｌのマウス抗ヒトＥｐ-ＣＡＭ蛍光結合モノクローナル抗体（Biomedia Corp., Foster City, CA）を含むＰＢＳ１％ＢＳＡを室温で１時間覆った。ＰＢＳで数回すすいだ後、切片を２分間、核対比染色（１００μｇ／ｍｌ）（Hoechst 33342, Molecular Probes, Eugene, OR）処理し、再びすすいだ後、Ｖｅｃｔａｓｈｉｅｌｄ取り付け媒体（Vecta Laboratories, Burlingham, CA）と観察のためのカバーガラス（２２ｍｍ２、Ｎ°１, Corning）と共に取り付けた。免疫組織化学検査を実施するまで、スライドを光と塵から保護して保存した。
アレイスポットの組織化学的染色は、アレイを横断してスポットからスポットに至る不均一なシグナルを生じた。アレイ上に存在する異なった細胞型が同じ細胞密度で充填されなかった場合、ヘキストシグナル強度は各スポットで異なって見えた。例えば、最も高い密度（６１４．４ｘ１０６細胞／ｍｌ）で充填されたジャーカット細胞に対応するスポットは最も明るく見え、５０ｘ１０６細胞／ｍｌより低い密度でＮＨＤＦ、ＣＡＳＭＣ、ＮＨＥＫ及びＭＣＦ７の細胞懸濁液を充填したスポットは最も薄く見えた。
【００９６】
スライドの幾つかについて、マウス抗ヒトＥｐ-ＣＡＭ蛍光結合モノクローナル抗体（上掲のBiomedia Corp.）を用いて細胞表面Ｅｐ-ＣＡＭの有無を分析した。蛍光シグナルは蛍光顕微鏡とＴｙｐｈｏｏｎ８６００スキャナーを用いて捕捉した。最も強い蛍光シグナル（Ｅｐ-ＣＡＭ）は細胞株ＣＯＬＯ２０５、ＨＣＴ１１６、ＳＷ６２０、ＨｅｐＧ３及びＳｋＢｒ３に対して観察された。検出可能な蛍光シグナルがまた細胞株ＤＵ１４５、ＮＲＰ１５４、ＭＣＦ７、ＢＴ４７４及びＨｅｐＧ２に対して観察された。非常に弱いシグナルが細胞株ＣＡＳＭＣ、ＨＵＶＥＣ及びＵ８７ＭＧに対して見られた。ＢＫＧＥ、ＰＣ３、ＨＩＡＥＣ、ＨＭＶＥＣ、ＮＨＤＦ、ＮＨＥＫ、Ａ３７５、Ａ６７３、ジャーカット細胞、Ｂｊａｂ及びＳＫＭＥＳ１を含む細胞アレイの他の細胞株ではシグナルは観察されなかった。
このデータは、ここに記載した凍結細胞アレイが広範なタンパク質発現スクリーニングの信頼できるタンパク質発現データを提供することを例証している。
【００９７】
実施例９
凍結細胞アレイでのインサイツハイブリダイゼーション
本実施例は凍結細胞アレイの切片でインサイツハイブリダイゼーションを実施するための本発明の有用性を証明する。
凍結細胞アレイ中の凍結試料のＲＮＡの保存の完全性を、次のプロトコールに従って細胞質アクチンに対するＲＮＡプローブを用いたハイブリダイゼーションによって評価した。以下で使用したヒトＢ-アクチンＲＮＡプローブを転写するために使用したＰＣＲ増幅ＤＮＡ鋳型の配列（センス配向）は次のものである：
GCTGCCTGACGGCCAGGTCATCACCATTGGCAATGAGCGGTTCCGCTGCCCTGAGGCACTCTTCCAGCCTTCCTTCCTGGGCATGGAGTCCTGTGGCATCCACGAAACTACCTTCAACTCCATCATGAAGTGTGACTGTGACATCCGCAAAGACCTGTACGCCAACACAGTGCTGTCTGGCGGCACCACCATGTACCCTGGCATTGCCGACAGGATGCAGAAGGAGATCACTGCCCTGGCACCCAGCACAATGAAGATCAAGATCATTGCTCCTCTGAGCGCAAGTACTC [配列番号：７]
凍結スライドを室温で解凍した後、そのスライドボックスに入れたままで４２℃で５分間温めた。ついで、スライドをそのボックスから取り出し、４２℃で更に１０分ベークした。スライドを氷上４％パラホルムアルデヒド／１％グルタルアルデヒド中に１５分、後固定した後、０．５ＸのＳＳＣで５分すすいだ。切片を、３７℃で３０分間、４μｇ／ｍＬのプロテイナーゼＫ中で除タンパクした後、０．５ＸのＳＳＣで１０分洗浄した。そのスライドをエタノール勾配（７０％−９５％−１００％）で脱水し、空気乾燥させた。そのスライドを１００μｌのハイブリダイゼーションバッファー（５０％ホルムアミド、１０％デキストラン硫酸、及び２ＸのＳＳＣ）で覆い、４２℃で１−４時間プレハイブリダイズした。
【００９８】
２Ｘ１０６ｃｐｍの濃度で、１ｍｇ／ｍｌのｔＲＮＡを含む１００μｌのハイブリダイゼーションバッファーに溶解させた上述した[３３Ｐ]標識一本鎖アクチンＲＮＡプローブを、スライド上のプレハイブリダイゼーションバッファーに添加し、よく混合し、カバーガラスで覆い、密封された加湿容器中で５５℃で一晩ハイブリダイズさせた。
ハイブリダイゼーション後、室温で１ｍＭのＥＤＴＡを含む２ＸのＳＳＣ中で１０分間、２回洗浄し、ついで１０ｍＭのＴｒｉｓ、ｐＨ８、０．５ＭのＮａＣｌ中２０μｇ／ｍＬのＲＮアーゼＡ中で３７℃にて３０分間、インキュベートした。そのスライドを室温で１ｍＭのＥＤＴＡを含む２ＸのＳＳＣ中で１０分間、４回洗浄した後、５５℃で１ｍＭのＥＤＴＡを含む０．１ＸのＳＳＣ中でそれぞれ３０分間、４回洗浄し、その後、室温で１０分間、０．５ＸのＳＳＣ中で洗浄した。スライドを、０．３Ｍの酢酸アンモニウムを含む５０％、７０％、及び９０％エタノールでそれぞれ２分間脱水し、空気乾燥した。
ハイブリダイゼーションの結果を見るために、スライドをストレージリン光体スクリーン（コダック）に１８時間暴露した。リン光体スクリーンをＴｙｐｈｏｏｎ８６００バリアブルモードイメージャー（Molecular Dynamics）を用いてスキャンした。アクチンハイブリダイゼーションシグナルは実施例８に記載された凍結細胞アレイ上の全ての異なるスポットで検出された。観察されたシグナルの強度はアレイ上に充填した細胞数に相関していた。ＳＫＢｒ３乳癌細胞に対応するスポットのみ、おそらくは凍結細胞アレイスライドのエレメントの喪失のために、シグナルを欠いていた。これらの結果は、本発明の凍結細胞アレイが良好なｍＲＮＡ保存性をもたらし、同時に多くの異なった細胞株に対して信頼性のあるインサイツハイブリダイゼーション法を実施するのに十分であることを例証している。
【００９９】
実施例１０
凍結細胞アレイ上のリガンド／レセプター結合
本実施例は凍結細胞アレイの切片上でリガンド／レセプター結合実験を実施するための本発明の有用性を証明する。
実施例８の凍結細胞アレイからのマイクロアレイスライドを、DesnoyerL.等, The journal of Histochemistry and Cytochemistry, Vol. 48, pp1-9によって記載されている方法に従ってＩＧＦ-１レセプターを発現する細胞を同定するために使用した。特に、１０μｍ厚の一又は複数の凍結細胞アレイ切片を、３０秒の間室温に置いたSuperfrost Plus Gold顕微鏡スライド（Ery Scientific, Portsmouth, NH）に適用し、ついで最小３日間−２０℃で保存した後、−７０℃の温度での保存に移した。リガンド／レセプター結合手順の日に、凍結細胞アレイスライドを室温に戻した後直ぐに、３ｍＭのＣａＣｌ２、３ｍＭのＭｇＳＯ４、５ｍＭのＫＣｌ及び１ＭのＮａＣｌを含む３５ｍＭの酢酸（ｐＨ３．５）中で４分インキュベートした。ついで、スライドを、３２ｍＭのスクロースを含むＨＢＳ-Ｃ（２５ｍＭのＨｅｐｅｓ、ｐＨ７．２、１５０ｍＭのＮａＣｌ、３ｍＭのＣａＣｌ２、３ｍＭのＭｇＳＯ４、５ｍＭのＫＣｌ、完全プロテアーゼインヒビターカクテル）で洗浄し、非特異的結合部位を３％ＢＳＡ及び３２ｍＭスクロースを含むＨＢＳ-Ｃで２０分間、ブロックした。アビジンとビオチンの結合部位を、Ｖｅｃｔｏｒ（Burlingame, CA）のアビジン／ビオチンブロックキットを使用してブロックした。内在性ヒスチジンリッチ部位を、１ｍＭのＮｉＣｌ中で１０分間スライドをインキュベートすることによってブロックした。
【０１００】
凍結細胞アレイスライドを、３％ＢＳＡを含むＨＢＳ-Ｃバッファー中で５ｎＭのＨｉｓタグＩＧＦ-１の存在又は非存在下で１時間インキュベートした後、１％ＢＳＡを含む冷ＨＢＳ-Ｃバッファーでそれぞれ１分間の３回洗浄した。そのスライドを４％ホルムアルデヒドを含むＰＢＳ中で１０分間固定させ、１％ＢＳＡを含むＨＢＳ-Ｃで洗浄した。内在性抗体結合部位を、ＨＢＳ-Ｃ中１．５％の清浄なウマ血清で２０分間ブロックした。ついで、スライドを、ＨＢＳ-Ｃ／３％ＢＳＡ中で１時間１ｍｇ／ｍｌの抗Ｈ６抗体（Roche Molecular Biochemicals, Indianapolis, IN）と共にインキュベートした。ついで、スライドをＨＢＳ-Ｃ／１％ＢＳＡで洗浄し、３％ＢＳＡを含むＨＢＳ-Ｃで１／２００に希釈したビオチン化ウマ抗マウスＩｇＧ（Vector, Burlingame, CA）と共に３０分間インキュベートした。スライドを４分間３回洗浄し、１０分間ＰＢＳ／４％ホルムアルデヒドで固定した。そのスライドをＨＢＳ-Ｃ／１％ＢＳＡで洗浄し、西洋わさびペルオキシダーゼに結合したストレプトアビジンと共にインキュベートした。スライドを、ＨＢＳ-Ｃ／１％ＢＳＡで１分間３回洗浄し、ＮＥＮ希釈バッファー（NEN Life Science Products, Boston, MA）中ビオチン結合チラミド（ＴＳＡ）と共に１０分間インキュベートした。別法として、スライドはＴＳＡ-Ａｌｅｘａ４８８（Molecular Probes, Eugene, OR）と共に１０分間インキュベートすることができる。反応はＴＢＳ／０．１％ＢＳＡ４分３回洗浄することによって停止させた。ビオチン結合ＴＳＡと共に前にインキュベートしたスライドを、ＴＢＳ／０．１％ＢＳＡ中ストレプトアビジン結合ＦＩＴＣと共に３０分インキュベートした。
【０１０１】
最後に、凍結細胞アレイスライドをＴＢＳ／０．０５Ｔｗｅｅｎ-２０中にそれぞれ１分間で３回洗浄し、Ｖｅｃｔａｓｈｉｅｌｄ取り付け媒体（Vector, Burlingame, CA）を用いて取り付けた後、蛍光顕微鏡を使用して分析した。蛍光シグナルは、ビオチン結合チラミド／ストレプトアビジン結合ＦＩＴＣ又はＴＳＡ-Ａｌｅｘａ４８８シグナル系の何れかを使用してＩＧＦ-１の存在又は非存在下でアレイスライド中のＨＭＶＥＣ（ヒト微小血管内皮細胞）及びＨＵＶＥＣ（ヒト臍帯静脈内皮細胞）細胞試料に対して検出された。ビオチン結合チラミド／ストレプトアビジン結合ＦＩＴＣ又はＴＳＡ-Ａｌｅｘａ４８８シグナル系の例えばＨＭＶＥＣ及びＨＵＶＥＣ細胞のような、幾つかの細胞型の凍結細胞ＩＧＦ-１の結合がアレイ中で検出されが、ＩＧＦ-１を欠くコントロール細胞では観察されなかった。
このデータは、ここに記載した凍結細胞アレイにより、同時に多くの異なった細胞株に対してのリガンド／レセプター結合手順に適合する細胞表面の天然タンパク質の良好な保存が達成できることを例証している。
【０１０２】
実施例１１
凍結組織アレイの構築
本実施例は凍結組織アレイを構築するための本発明の有用性を証明する。
２５本の４０ｍｍｘ１．２ｍｍピンを有するアレイヤーを実施例７に記載のようにして構築する。ＯＣＴアレイレシピエントブロックを実施例７に記載のようにして構築する。試料組織を液体窒素でフラッシュ凍結し、−７０℃で保存する。組織試料のタイプは変わり得、ヒト、マウス又は他の供給源の正常又は異常組織が含まれる。ＯＣＴアレイレシピエントブロックを冷保存所から取り出し、室温でドライアイスを満たしたボックス上に配する。アレイ位置には、全体で２５の位置に対して、段にＡ−Ｅを、列に１−５の番号を付した。アレイの位置Ａ１にトリパンブルー染色０．４％（BivcoBRL）を配向マーカーとして充填した。アレイの位置Ａ１にトリパンブルー染色０．４％（BivcoBRL）を配向マーカーとして充填した。手作業で、あるいは別法として、直径１ｍｍの特注サイズのパンチを備えたＢｅｅｃｈｅｒ Ｉｎｓｔｒｕｍｅｎｔのような組織アレイヤーを使用して、凍結組織の選択した領域から凍結した組織試料を取り出した。組織コアの外径は、組織コアがＯＣＴウェル中にしっかりと嵌まるようにＯＣＴアレイレシピエントブロックのウェルの直径と同じ寸法でなければならない。別法として、組織コアを、ＯＣＴ中に挿入する前に、適切な溶媒のような接着媒体、例えばエタノール、エタノールで希釈したＯＣＴ、プロピレングリコールで希釈したＯＣＴ、又はプロピレングリコール中に沈め（接着媒体がＯＣＴより約５−１０℃低い凍結温度を有するように）、アレイへの凍結組織コアの接着を促進させることができる。しかし、接着媒体は凍結組織の解凍を生じる温度を越えてはならない。
６μｍから１２μｍの厚みの一又は複数の切片をクリオスタット上で凍結アレイから切り取り、予め洗浄した顕微鏡スライド（７５ｍｍＸ２５ｍｍ、０．９６から１．０９ｍｍ厚）（Baxter Diagnostic Inc.）上に配する。各スライドは凍結アレイの２つの切片（１２ｍｍ２）を含み、各スポットはおよそ１ｍｍの直径である。凍結組織アレイスライドは分析に使用するまで−７０℃で保存した。
【０１０３】
実施例１２
凍結組織アレイのＲＮＡ／アガロース内部標準調製物
本実施例は、アガロースのような固体埋め込み材料中の既知量の生物学的分子を有する内部標準調製物を使用して、凍結組織アレイ中のＲＮＡのような生物学的に有用な分子を定量するための本発明の有用性を証明する。
凍結ＯＣＴアレイレシピエントブロックは実施例７に記載された方法を使用して作製される；該凍結レシピエントブロックは充填されるまで−７０℃に保存する。Ｈｅｒ２／ＥｒｂＢ２ ＲＮＡを実施例１に記載した方法を使用してインビトロにて転写させる。
１００ｎｇ／μｌの作動濃度のＨｅｒ２／ＥｒｂＢ２ ＲＮＡ溶液を、新しいエッペンドルフ管に５０μｌのＲＮＡ溶液と２００μｌのＴＥを加えることによって作製する。エッペンドルフ管を９５℃のヒートブロックで３分間加熱してＲＮＡ転写物を変性させ、ついで氷で即座に冷却する。ＲＮＡ溶液に、２５０μｌの８％ＮｕＳｉｅｖｅ３：１（９９℃で溶融した高ゲル強度のアガロース）と５０℃のヒートブロックで温めた５００μｌのＳＱＨ２Ｏを添加した。ＲＮＡ／アガロース混合物を簡単にボルテックスした後、１５ｍｍＸ１５ｍｍのＤｉｓＰＯベースモールド（Baxter Scientific）中に注いだ。内部標準調製物中のＲＮＡの最終濃度は５μｇ／ｍｌである。ついで、そのＲＮＡ／アガロース混合物を少なくとも１時間４℃でゲル化させた。ゲルの形成後、ＲＮＡ／アガロースブロックを清浄な剃刀の刃を使用してプラスチックモールドから除去した。パンチ又は組織アレイヤーのようなアレイ化機器を用いて、ここに記載されたようにしてＲＮＡ／アガロースブロックからコアを取り出した。また同様のアレイ化機器を用いて、実施例１１に記載されているようなアレイの他のウェル中に組織試験試料のコアを挿入することもできる。別法として、ＲＮＡ／アガロース混合物は、それがＯＣＴアレイレシピエントブロック中にゲルを形成する前にピペットで取り出しうる。コアはまた固化冷却されたＲＮＡ／アガロースブロックから作製することもできる。内部標準調製物を有するアレイレシピエントブロックは試料の充填まで−７０℃で保存される。
【０１０４】
実施例１３
凍結細胞アレイのタンパク質／アガロース内部標準調製物
本実施例は、アガロースのような固体埋め込み材料中の既知量の生物学的分子を有する内部標準調製物を使用して、凍結細胞アレイ中のタンパク質のような生物学的に有用な分子を定量するための本発明の有用性を証明する。
凍結ＯＣＴアレイレシピエントブロックは実施例７に記載された方法を使用して作製される；該凍結レシピエントブロックは充填されるまで−７０℃に保存する。Ｈｅｒ２／ＥｒｂＢ２タンパク質／アガロース内部標準調製物を、タンパク質とアガロースを混合した後、混合物を部分的に冷却して、注ぐのには十分に温かいが凍結ＯＣＴを溶融させない程度には冷えているようにする点を除いて、実施例２に記載した方法を使用して作製する。
ＯＣＴアレイレシピエントブロックを冷保存所から取り出し、室温でドライアイスを満たしたボックス上に配する。細胞を充填するために、ＯＣＴアレイを冷保存所から取り出し、室温でドライアイスを満たしたボックス上に配する。アレイ位置には、全体で２５の位置に対して、段にＡ−Ｅを、列に１−５の番号を付した。アレイの位置Ａ１にトリパンブルー染色０．４％（BivcoBRL）を配向マーカーとして充填した。ＯＣＴアレイレシピエントブロックの段Ａの一又は複数のウェルに、２２Ｇ１．５インチ長（０．７ｍｍＸ４０ｍｍ）針の１ｍｌシリンジ（Becton Dickinson & Co.）を用いてタンパク質／アガロース内部標準調製物を充填する。ＯＣＴアレイの他のウェルには、実施例７に記載したような細胞懸濁液を充填する。凍結アレイは切片化まで−７０℃で保存される。
別法として、タンパク質／アガロース混合物をついで少なくとも１時間４℃でゲル化させる。ゲル形成後、タンパク質／アガロースブロックを清浄な剃刀の刃を用いてプラスチックモールドから除去する。パンチ又は組織アレイヤーのようなアレイ化機器を用いてタンパク質／アガロースブロックからコアを抽出する。同様のアレイ化機器を用いてアレイの他のウェル中に組織試験試料のコアを挿入することもできる。  
【０１０５】
実施例１４
セルロース／アガロース内部標準調製物配向マーカー
本実施例は、アガロースのような埋め込み材料中に、アレイ中のセルロースのような放射性及び／又は蛍光プローブの非特異的バインダーからなる配向マーカーを収容するための本発明に有用性を証明する。特に、ホスフォイメージャーイメージで見た場合、同位体的に標識されたハイブリダイゼーションプローブの非特異的バインダーによりアレイ中での他のシグナルの明瞭な配向が可能になる。第一の内部標準調製物はここに記載した標準分子の非特異的バインダーとして微粒状セルロースを使用して作製した。約２０重量／体積％のセルロースを含む非特異的バインダーを合成するために、約１ｇの微粒状セルロース（Sigma Chem. Co. カタログ番号C-6413）を３ｍｌのＨ２Ｏに添加し、混合して懸濁液を生成した。セルロース懸濁液の７５０μｌアリコートを２５０μｌの８％ＮｕＳｉｅｖｅ３：１アガロース（９９℃で溶融した高ゲル強度のアガロース）に添加し、ボルテックスし、１５ｍｍＸ１５ｍｍのＤｉｓＰＯベースモールド（Baxter Scientific）中に注いだ。第一の内部標準調製物を少なくとも１時間４℃でゲル化させた。配向マーカーを含む図１０に示される組織マイクロアレイは、マーカー中の非特異的結合材料、微粒状セルロースへの標識ポリヌクレオチドプローブの非特異的結合を証明している。ＴＭＡ配向マーカーは図１０のホスフォイメージャースキャンに矢印で示している。セルロースコアは一貫してプローブに非特異的に結合し、配向マーカーに対してポジティブなエレメントの明瞭な整列が可能になった。
第二の内部標準調製物はここに記載した標準分子の非特異的バインダーとして繊維状セルロースを使用して作製した。約２０重量／体積％のセルロースを含む非特異的バインダーを合成するために、約１ｇの繊維状セルロース（Sigma Chem. Co. カタログ番号C-6288）を３ｍｌのＨ２Ｏに添加し、混合して懸濁液を生成した。セルロース懸濁液の７５０μｌアリコートを２５０μｌの８％ＮｕＳｉｅｖｅ３：１アガロース（９９℃で溶融した高ゲル強度のアガロース）に添加し、ボルテックスし、１５ｍｍＸ１５ｍｍのＤｉｓＰＯベースモールド（Baxter Scientific）中に注いだ。第二の内部標準調製物を少なくとも１時間４℃でゲル化させた。
【０１０６】
ゲルの生成後に、第一及び第二の内部標準調製物／配向マーカーの各々を清浄な剃刀の刃を使用してプラスチックモールドから除去し、無傷のブロックを室温で一晩１０％の中性緩衝ホルマリンに固定した。ついで、アガロースブロックを７０％エタノールに移し、実施例１に記載したようなパラフィン包埋の標準的技術を使用してプロセシングした。
９つのウェルが１列のパラフィンブロック製の生物学的アレイを、アレイの第一の３つのウェル中に第一の内部標準調製物の３つのコアを、アレイの中央の３つのウェル中にアガロースの３つのコアを、アレイの最後の３つのウェル中に第二の内部標準調製物の３つのコアを挿入することにより、ここに記載したようにして作製した。前述の９つのコアに直交して等しい厚みの４つのスライスをアレイから切り取り、４つのスライスの各々を実施例３及び４に記載の如くガラススライドに取り付けて４つのマイクロアレイを形成した。
Ｈｅｒ２／ＥｒｂＢ２ ＲＮＡのアンチセンス及びセンスプローブを実施例３に記載の如く[３３Ｐ]標識を付して調製した。ＲＮＡを転写するために使用したＰＣＲ増幅ＤＮＡ鋳型の配列（センス配向）は次のものである：
TGGTCGTGGTCTTGGGGGTGGTCTTTGGGATCCTCATCAAGCGACGGCAGCAGAAGATCCGGAAGTACACGATGCGGAGACTGCTGCAGGAAACGGAGCTGGTGGAGCCGCTGACACCTAGCGGAGCGATGCCCAACCAGGCGCAGATGCGGATCCTGAAAGAGACGGAGCTGAGGAAGGTGAAGGTGCTTGGATCTGGCGCTTTTGGCACAGTCTACAAGGGCATCTGGATCCCTGATGGGGAGAATGTGAAAATTCCAGTGGCCATCAAAGTGTTGAGGGAAAACACATCCCCCAAAGCCAACAAAGAAATCTTAGACGAAGCATACGTGATGGCTGGTGTGGGCTCCCCATATGTCTCCCGCCTTCTGGGCATCTGCCTGACATCCACGGTGCAGCTGGTGACACAGCTTATGCCCTATGGCTGCCTCTTAGACCATGTCCGGGAAAACCGCGGACGCCTGGGCTCCCAGGACCTGCTGAACTGGTGTATGCAGATTGCCAAGGGGATGAGCTACCTGGAGGATGTGCGGCTCGTACACAGGGACTTGGCCGCTCGGAACGTGCTGGTCAAGAGTCCCAACCATGTCAAAATTACAGACTTCGGGCTGGCTCGGCTG [配列番号：８]
【０１０７】
２つのマイクロアレイをアンチセンスプローブにハイブリダイズさせ、２つのマイクロアレイをセンスプローブにハイブリダイズさせた。図１１Ａ−１１Ｄから分かるように、センス及びアンチセンスＨｅｒ２／ＥｒｂＢ２プローブ双方がセルロース含有内部標準調製物に検出可能に結合した。図１１Ａ及び１１Ｂはアンチセンスプローブにハイブリダイズした一つのマイクロアレイとセンスプローブにハイブリダイズした一つのマイクロアレイそれぞれに対する自己蛍光（励起周波数＝５３２ｎｍ、設定発光フィルター＝６１０ｎｍ／バンドパス３０ｎｍ）を示している。ホスフォイメージャーを用いて、実施例３に記載の如く残りの２つのマイクロアレイのハイブリダイゼーション結果を確認し、その結果はアンチセンス及びセンスプローブに対してそれぞれ図１１Ｃ及び１１Ｄに示す。セルロース含有内部標準調製物をその自己蛍光と標識プローブの非特異的結合の双方によって可視化できるという事実は、ほんの僅かな臨床試料コアがＩＳＨホスフォイメージャーシグナルで可視できるだけの場合でも、これらの内部標準調製物を、ＩＳＨホスフォイメージャーシグナルをコア位置に登録するための位置マーカーとして使用することを可能にする。
【０１０８】
実施例１５
染料／アガロース内部標準調製物配向マーカー
本実施例は、アガロースのような埋め込み材料中に、アレイ中の染料からなる内部標準調製物／配向マーカーを収容するための本発明に有用性を証明する。
２５０μｌの黒、青、及び黄の外科マーキング染料の４容量（Triangle Biomedical Sciences, Durham, NC）をそれぞれエッペンドルフ管に添加した。染料の各々に、７５０μｌの２％ＮｕＳｉｅｖｅ３：１アガロース（９９℃で溶融した高ゲル強度のアガロース）を添加し、混合物をボルテックスし、１５ｍｍＸ１５ｍｍのＤｉｓＰＯベースモールド（Baxter Scientific）中に注いだ。ついで、４つの内部標準調製物／配向マーカーの各々を少なくとも１時間４℃でゲル化させた。
臨床前立腺癌試料及び内部着色マーカー線量標準調製物を含む典型的な組織アレイは、次のようにして２０段、１２列に配列された２４０のコアを含むように構築された。直径０．６ｍｍの寸法の２３２の試料組織コアが様々なドナーパラフィンブロックから得られた。ドナーブロックは５７標本(試料)の前立腺癌組織を含んでおり、その２２の標本は採取した隣接する正常前立腺組織を含んでいた；各ドナーブロック領域（腫瘍及び正常）は２通り又は３通り採取した（University of Sheffield, England）。試料コアを、例えば実施例３に記載したようにＢｅｅｃｈｅｒ組織アレイ化機器を使用して、レシピエントパラフィンブロック中に埋め込んだ。
【０１０９】
内部着色染料標準調製物の８のコアは、直径が０．６ｍｍの寸法であり、それぞれ上述のようにして調製される、染料／アガロースを含むドナーブロックから得た。黒の染料／アガロースブロックからの３のコア、黄色染料／アガロースブロックからの３つのコア、青色染料／アガロースブロックからの１つのコア、及び淡い青色染料／アガロースブロックからの１つのコアを、図１２に示されるように、非対称パターンでアレイレシピエントブロックアレイ中に挿入した。染料／アガロース内部標準調製物は非常に明瞭であり、アレイ中にはっきりと目につき、よってアレイを見たとき、明瞭な配向が可能になる。
コアの全てを３７℃のオーブンでブロックを一晩インキュベートすることにより、アレイレシピエントブロックアレイ中でアニールした。分析のために、パラフィンアレイを３−５μｍ厚の組織学的ＴＭＡ切片にスライスした。ついで、各ＴＭＡを４２℃の水浴に移し、Ｓｕｐｅｒｆｒｏｓｔガラススライド上に個々に収集し、十分に乾燥させた。ＴＭＡ切片を脱パラフィン処理し、ここで記載したものと同様の手順を使用してヘマトキシリン及びエオシンで染色した。この手順の後に、染料／アガロース配向マーカーは引き続いて明瞭に観察可能で、アレイ中の組織試料と比較してはっきりと目についた。
【０１１０】
実施例１６
赤血球影及びＲＮＡ／アガロース内部標準調製物
本実施例は、組織又は細胞アレイで使用される、アガロースのような埋め込み材料に混合されたＲＮＡ及び／又はタンパク質内部標準物質を捕捉するために赤血球影を利用するための本発明の有用性を証明する。そのようなビヒクル中にＲＮＡ及びタンパク質標準物質を導入することは組織内の条件をより正確に模倣し、それがハイブリダイゼーション速度及び抗体接近又は認識に影響を及ぼしうる。
赤血球溶解
赤血球影をBoogaard及びDixonの方法, Procedural Cell Research 143:175-190 (1983)に従って調製する。簡単に述べると、１０ミリリットルのヘパリン処理血液を４℃で２３００ｘｇにて１０分間遠心分離する。遠心分離後に、血清及び白血球を吸引する。赤血球を、１０ｍｌの冷ハンクスバランス塩液（ＨＢＳＳ）中に懸濁させて３回洗浄する。赤血球を再び遠心分離し、あらゆる残留白血球を上清と共に除去する。３度目の洗浄後に白血球を除去した後、２０ｍｌの５５％ＨＢＳＳを赤血球に加えてそれらを膨潤させる。膨潤された赤血球を遠心分離し、上清を除去して膨潤赤血球ペレットを残す。次のものをチューブに添加して溶解を開始させる：２ｍｌの膨潤赤血球ペレット；１０ｍｌの２０％ＨＢＳＳ；及び２ｍｌの１０ｍＭのＴｒｉｓ-ＨＣｌ、ｐＨ７．６。チューブを数回逆さにして４℃で２分溶解を進行させ、細胞内容物（例えば内在性タンパク質及び残留ＲＮＡ）が赤血球からリークさせる。２分後に、１．５ｍｌの１０ＸのＨＢＳＳをチューブ中の懸濁液に添加して溶解によって生じる赤血球の膜の孔を閉止させる。チューブ中の懸濁液を３７℃の水浴中で１時間インキュベートして膜を再シールし、ついで４℃で遠心分離して上清を除く。
次の溶解手順を所望に応じて２又は３回繰り返すことができる。最終の再シール形成工程後に、膨潤細胞ペレットの容積を０．２ｍｌまで注意深く吸引することによって低減させ、細胞の充填準備が整う。
【０１１１】
赤血球の充填
充填バッファーを作製するには、ＲＮＡを約１ｍｇ／ｍｌの濃度で１０ｍＭのＴｒｉｓ-ＨＣｌ、ｐＨ  ７．０、５ｍｍのＤＴＴ中に懸濁させる。４℃の２００μｌアリコートの充填バッファーを、２００μｌの膨潤赤血球を持つチューブに加え、チューブを、透過性赤血球によるＲＮＡ取り込みを最大にするために２分ボルテックスする。１０ＸのＨＢＳＳの３０μｌのアリコートをチューブに添加する。チューブをボルテックスし、３７℃の水浴中で３０−４５分間インキュベートさせて、ＲＮＡ充填細胞をシールする。インキュベーション後、赤血球を４℃まで戻し、１５０ｍＭのＮａＣｌ、１０ｍＭのＴｒｉｓ、ｐＨ７．０及び５ｍＭのＤＴＴを加えて洗浄し、１０ｍｌの容積の細胞懸濁液をつくる。細胞懸濁液を２５分間上述のようにして遠心分離して細胞ペレットをつくり出す、細胞ペレットを１５０ｍＭのＮａＣｌ、１０ｍＭのＴｒｉｓ、ｐＨ７．０及び５ｍＭのＤＴＴで更に２回洗浄する。
ついで、細胞ペレットをチューブから穏やかに除去し、１５ｍｍＸ１５ｍｍＤｉｓＰＯベースモールド（Baxter Scientific）中の２％ＮｕＳｉｅｖｅ３：１アガロース（高ゲル強度アガロースを９９℃で溶融した後、約６０℃まで冷却）に添加する。ついで、混合物を少なくとも１時間４℃にてゲル化させる。タンパク質溶液が所望の濃度で１０ｍＭのＴｒｉｓ-ＨＣｌ、ｐＨ７．０、５ｍＭのＤＴＴ中に再懸濁させられる以外は同じようにして赤血球影中にタンパク質を充填し、２００μｌアリコートを２００μｌの膨潤赤血球を有するチューブに添加する。
ゲルが形成された後、タンパク質及び／又はＲＮＡ充填赤血球影／アガロースブロックを、清浄な剃刀の刃を使用してプラスチックモールドから除去し、無傷のブロックを、実施例１に記載されているように室温で一晩１０％中性バッファーホルマリンに固定する。ついでアガロースブロックを７０％エタノールに移して、実施例１に記載されているようにパラフィン包埋のための標準的な方法を使用してプロセシングし、実施例３及び４に記載されているようにして使用する。
【０１１２】
実施例１７
凍結細胞アレイの構築
本実施例は凍結組織又は細胞アレイを構築するための本発明の有用性を証明する。
５６の金属ピンを有し、４０ｍｍ長ｘ１．２ｍｍ直径の寸法のアレイヤーが作製され、これはヒードシールされ２５ｍｍｘ２５ｍｍの寸法のプレキシグラス製の基部にエポキシで接着される。ピンは７列、８段に配置され、各ピンはおよそ１ｍｍ等しく離間される。ピンの全面積は２０ｍｍｘ２２ｍｍであり、ピンの密度を約１３ピン／ｃｍ２にする。流動性ＯＣＴ媒質を、２２ｍｍｘ３０ｍｍｘ２０ｍｍ（深さ）の寸法の使い捨て埋め込みモールド（ＶＷＲ）中に注ぐ。アレイヤーピンを先ずグリセロールに浸漬した後、埋め込みモールド内に収容される流動性ＯＣＴ媒質中に部分的に浸漬する。−１６０℃の極低温浴中に３から５分、流動性ＯＣＴ、モールド及び係合ピンを沈めることにより流動性ＯＣＴを凍結させる。ついで、ピンをＯＣＴモールドから抽出し、約１３ウェル／ｃｍ２のアレイレシピエントブロック中に２０ｍｍ深さ以下の５６ウェルのアレイを残す。アレイレシピエントブロックは、ウェルに様々な細胞株を充填するまで−７０℃で保存される。
アレイレシピエントブロックの５６ウェルに一又は複数の生物学的試料を充填して、実施例７又は９−１１に記載されたような凍結生物学的アレイをつくる。凍結生物学的アレイはクリオスタット又は他のスライス化機器を使用して６μｍから１２μｍの範囲の切片にスライドのために切断する。凍結アレイからの二つの切片を７５ｍｍｘ２５ｍｍ、０．９６から１．０９ｍｍ厚の寸法の予め洗浄した顕微鏡スライド（Baxter Diagnostic Inc.）上に配する。各スライドはアレイ中の５６ウェルに対応する試料の１１２スポットを含み、各スポットはおよそ１．１ｍｍの直径である。細胞アレイスライドは分析に使用するまで−７０℃で保存した。
【０１１３】
材料の寄託
次のハイブリドーマ細胞株をアメリカン・タイプ・カルチャー・コレクション、１０８０１ユニバーシティ・ブルバード、マナッサス、ヴァージニア州２０１１０−２２０９米国(ＡＴＣＣ)に寄託した：
抗体名            ＡＴＣＣ番号          寄託日
４Ｄ５            ATCC CRL 10463     １９９０年５月２４日
【０１１４】
寄託は、特許手続き上の微生物の寄託の国際的承認に関するブダペスト条約及びその規則(ブダペスト条約)の規定に従って行われた。これは、寄託の日付から３０年間、寄託の生存可能な培養が維持されることを保証するものである。寄託物はブダペスト条約の条項に従い、またジェネンテク社とＡＴＣＣとの間の合意に従い、ＡＴＣＣから入手することができ、これは、どれが最初であろうとも、関連した米国特許の発行時又は任意の米国又は外国特許出願の公開時に、寄託培養物の後代を永久かつ非制限的に入手可能とすることを保証し、米国特許法第１２２条及びそれに従う特許庁長官規則(特に参照番号８８６ＯＧ６３８の３７ＣＦＲ第１．１４条を含む)に従って権利を有すると米国特許庁長官が決定した者に子孫を入手可能とすることを保証するものである。
【０１１５】
本出願の譲受人は、寄託した培養物が、適切な条件下で培養されていた場合に死亡もしくは損失又は破壊されたならば、材料は通知時に同一の他のものと即座に取り替えることに同意する。寄託物質の入手可能性は、特許法に従いあらゆる政府の権限下で認められた権利に違反して、本発明を実施するライセンスであるとみなされるものではない。
上記の文書による明細書は、当業者に本発明を実施できるようにするために十分であると考えられる。寄託した態様は、本発明のある側面の一つの説明として意図されており、機能的に等価なあらゆる作成物がこの発明の範囲内にあるため、寄託された作成物により、本発明の範囲が限定されるものではない。ここでの物質の寄託は、ここに含まれる文書による説明が、そのベストモードを含む、本発明の任意の側面の実施を可能にするために不十分であることを認めるものではないし、それが表す特定の例証に対して請求の範囲を制限するものと解釈されるものでもない。実際、ここに示し記載したものに加えて、本発明を様々に改変することは、前記の記載から当業者にとっては明らかなものであり、添付の請求の範囲内に入るものである。
【図面の簡単な説明】
【０１１６】
【図１】本発明の一実施態様に係る、アレイヤーをモールド中に挿入する前のアレイ装置の展開斜視図である。
【図２】モールド中の基質内にアレイヤーが挿入され、基質が凍結され、アレイレシピエントブロックの形成のためにアレイヤーが除去された後の状態の、図１の２−２線に沿った断面図である。
【図３】本発明の一実施態様に係る、図２のアレイレシピエントブロックの斜視図である。
【図４】本発明の一実施態様に係る、二つのアレイスライスを含むスライドを含んでなる細胞又は組織マイクロアレイの上面図である。
【図５】本発明の他の実施態様に係る、モールド中の基質内にアレイヤーが挿入され、基質が凍結され、アレイヤーが除去された後の状態の、アレイ装置の展開断面図である。
【図６】本発明の他の別の実施態様に係る、モールド中の基質内にアレイヤーが挿入され、基質が凍結され、アレイヤーが除去された後の状態の、アレイ装置の展開断面図である。
【図７】本発明の一実施態様に係る、内部標準調製物の３つのスポット５０４（又は横断切片）と生物学的試料の１２のスポット５０６（又は横断切片）を含む細胞又は組織マイクロアレイの上面図である。
【図８Ａ】ＨＥＲ２遺伝子増幅の相対量の棒グラフである。
【図８Ｂ】図８Ａと同様の図で、ＨＥＲ２タンパク質レベル（図８Ｂ(ＥＬＩＳＡ)及びマイクロアレイ上のＨＥＲ２発現細胞株中）に対するものである。
【図８Ｃ】図８Ａと同様の図で、本発明の定量的免疫蛍光を示すものである。
【図８Ｄ】図８Ｃと同様の図である。
【図８Ｅ】図８Ｃと同様の図である。
【図８Ｆ】図８Ｃと同様の図である。
【図９】図９Ａ−９Ｄは、ＨＥＲ２発現細胞がコントロールとして使用されアガロースに埋め込まれたＨＥＲ２ＥＣＤタンパク質が標準物質として使用された組織マイクロアレイの写真である。ＨＥＲ２はパラフィン包埋グレード３の管の乳癌、ＨＥＲ２発現細胞株、及びＨＥＲ２ＥＣＤ標準の９９の例で免疫染色した。図９Ａはアレキサ・フルオール(Alexa Fluor)６３３を使用しての、ＨＥＲ２に結合するヤギ抗ヒトＨＥＲ２ＥＣＤポリクローナル抗体の免疫蛍光検出を示す。図９Ｂはアレキサ(Alexa)６３３を使用しての、ＨＥＲ２に結合するウサギウサギ抗ヒトｃ−ｅｒｂＢ２（ＨＥＲ２／ｎｅｕ）ポリクローナル抗体の免疫蛍光検出を示す。図９Ｃは免疫ペルオキシダーゼを使用しての、ＨＥＲ２に結合するヤギ抗ヒトＨＥＲ２ＥＣＤポリクローナル抗体の免疫組織化学的検出を示す。図９Ｄは免疫ペルオキシダーゼを使用しての、ＨＥＲ２に結合するウサギウサギ抗ヒトｃ−ｅｒｂＢ２（ＨＥＲ２／ｎｅｕ）ポリクローナル抗体の免疫組織化学的検出を示す。
【図１０】アレイと共に位置させられた配向マーカーを含む組織マイクロアレイを示す。マーカーに対する標識ポリヌクレオチドプローブの非特異的結合（矢印）がアレイのホスフォイメージとして示されている。配向マーカーは実施例１４に記載された微粒子状セルロースとアガロースを含む。
【図１１】図１１Ａ−１１Ｄはセルロース／アガロース内部標準調製物を含む組織マイクロアレイの画像である。図１１Ａは実施例１４に記載されたセルロース／アガロース内部標準調製物を含むアレイ上のアンチセンスＨｅｒ２／ＥｒｂＢ２プローブでのハイブリダイゼーションの自己蛍光ホスフォイメージャーシグナル結果を示す。図１１Ｂは実施例１４に記載されたセルロース／アガロース内部標準調製物を含むアレイ上のセンスＨｅｒ２／ＥｒｂＢ２プローブでのハイブリダイゼーションの自己蛍光ホスフォイメージャーシグナル結果を示す。図１１Ｃは実施例１４に記載されたセルロース／アガロース内部標準調製物を含むアレイ上のアンチセンスＨｅｒ２／ＥｒｂＢ２プローブでのハイブリダイゼーションのＩＳＨホスフォイメージャーシグナル結果を示す。図１１Ｄは実施例１４に記載されたセルロース／アガロース内部標準調製物を含むアレイ上のセンスＨｅｒ２／ＥｒｂＢ２プローブでのハイブリダイゼーションのＩＳＨホスフォイメージャーシグナル結果を示す。
【図１２】実施例１５に記載された染料／アガロース内部標準調製物の非対称パターンを含むアレイの上面写真である。
【図１】
2005509870.tif 000011
【図２】
2005509870.tif 000012
【図３】
2005509870.tif 000013
【図４】
2005509870.tif 000014
【図５】
2005509870.tif 000015
【図６】
2005509870.tif 000016
【図７】
2005509870.tif 000017
【図８Ａ】
2005509870.tif 000018
【図８Ｂ】
2005509870.tif 000019
【図８Ｃ】
2005509870.tif 000020
【図８Ｄ】
2005509870.tif 000021
【図８Ｅ】
2005509870.tif 000022
【図８Ｆ】
2005509870.tif 000023
【図９】
2005509870.tif 000024
【図１０】
2005509870.tif 000025
【図１１】
2005509870.tif 000026
【図１２】
2005509870.tif 000027
【国際調査報告】
2005509870.tif 000028